(57)【要約】  複数の維持電極（ＳＵ１〜ＳＵ２１６０）が第１及び第２維持電極グループ（ＵＧ１，ＵＧ２）に分割されたプラズマディスプレイパネルを駆動する維持電極駆動回路（４４）において、第１及び第２所定電圧印加回路（９０ａ，９０ｂ）は、第１所定電圧（Ｖｅ２）を第１及び第２電極経路（ＲＧ１，ＲＧ２）にそれぞれ印加する。電圧選択回路（１００）は、第２所定電圧（Ｖｓ）及び第３所定電圧（Ｖｅ３）のうちのいずれか一方を選択し、選択電圧（Ｖ３）を生成する。第１及び第２維持パルス発生回路（８０ａ，８０ｂ）は、前記選択電圧（Ｖ３）が前記第２所定電圧（Ｖｓ）の場合、前記第２所定電圧（Ｖｓ）にもとづいて維持パルスを発生し、前記選択電圧（Ｖ３）が前記第３所定電圧（Ｖｅ１）の場合、前記第３所定電圧（Ｖｅ１）を前記第１及び第２電極経路（ＲＧ１，ＲＧ２）にそれぞれ印加する。
2009157181.tif 000002
【特許請求の範囲】
【請求項１】
走査電極と維持電極とで構成された表示電極対を複数備えるとともに複数のデータ電極を備え、前記表示電極対と前記データ電極とが交差する位置のそれぞれに放電セルを形成したプラズマディスプレイパネルを駆動する駆動回路であって、
複数の前記表示電極対を複数の表示電極対グループに分けるとともに、複数の前記表示電極対グループのそれぞれに対して設けられ、前記表示電極対グループに属する維持電極に維持パルスを印加する維持パルス発生回路と、
複数の前記表示電極対グループのそれぞれに対して設けられ、前記表示電極対グループに属する維持電極に一定電圧を印加する一定電圧発生回路と、
複数の電圧から１つの電圧を選択して、複数の前記維持パルス発生回路のそれぞれに供給する電圧選択回路と、
を備えたことを特徴とするプラズマディスプレイパネルの駆動回路。
【請求項２】
前記電圧選択回路は、前記維持パルス発生回路の高電圧側の電源端子に前記１つの電圧を供給することを特徴とする請求項１に記載のプラズマディスプレイパネルの駆動回路。
【請求項３】
前記電圧選択回路は、前記維持パルス発生回路の低電圧側の電源端子に前記１つの電圧を供給することを特徴とする請求項１に記載のプラズマディスプレイパネルの駆動回路。
【請求項４】
請求項１に記載のプラズマディスプレイパネルの駆動回路と、
前記プラズマディスプレイパネルとを備えたことを特徴とするプラズマディスプレイ装置。
【発明の詳細な説明】
【技術分野】
【０００１】
本発明は、プラズマディスプレイパネルの駆動回路およびプラズマディスプレイ装置に関し、さらに詳しくはプラズマディスプレイパネルを駆動する駆動回路およびこの駆動回路を用いたプラズマディスプレイ装置に関する。
【背景技術】
【０００２】
プラズマディスプレイパネル（以下、「パネル」と略記する）として代表的な交流面放電型パネルでは、対向配置された前面基板と背面基板との間に多数の放電セルが形成されている。【０００３】
前面基板には走査電極と維持電極とからなる表示電極対が互いに平行に複数対形成され、背面基板にはデータ電極が平行に複数形成されている。そして、表示電極対とデータ電極とが立体交差するように前面基板と背面基板とが対向配置されて密封され、内部の放電空間には放電ガスが封入されている。ここで表示電極対とデータ電極との対向する部分に放電セルが形成される。【０００４】
パネルを駆動する構成としては、１フィールドを複数のサブフィールドに分割した上で、サブフィールドの組み合わせによって階調表示を行うサブフィールド法による構成が用いられる。各サブフィールドは、初期化期間、書き込み期間、および維持期間を有する。初期化期間では初期化放電を発生し、続く書き込み動作に必要な壁電荷を形成する。書き込み期間では、表示する画像に応じて選択的に放電セルで書き込み放電を発生し壁電荷を形成する。そして維持期間では、表示電極対に交互に維持パルスを印加して維持放電を発生させ、対応する放電セルの蛍光体層を発光させることにより画像表示を行う。【０００５】
サブフィールド法の中でも、すべての放電セルに対する維持期間の位相を揃えることにより、書き込み期間と維持期間とが重ならないように時間的に分離した、書き込み・維持分離方式が一般的に用いられている。書き込み・維持分離方式では、書き込み放電を発生させる放電セルと維持放電を発生させる放電セルとが共存するタイミングが存在しないので、書き込み期間には書き込み放電に最適な条件で、維持期間には維持放電に最適な条件でパネルを駆動することができる。そのため放電制御が比較的簡単であり、またパネルの駆動マージンも大きく設定することができる。【０００６】
その反面、書き込み・維持分離方式では書き込み期間を除く期間に維持期間を設定するため、パネルの高精細度化等により書き込み期間に要する時間が長くなると、画像表示品質を向上するための十分なサブフィールド数が確保できなくなるという問題があった。【０００７】
このような問題を解決するために、表示電極対を複数のグループに分け、複数のグループのうち２つ以上のグループに対する書き込み期間が時間的に重ならないように、それぞれのグループに対するサブフィールドの開始時間をずらして駆動する構成が開示されている（例えば、特許文献１参照）。
【先行技術文献】
【特許文献】
【０００８】
【特許文献１】特開２００５−１５７３３８号公報
【発明の概要】
【発明が解決しようとする課題】
【０００９】
しかしながら特許文献１に記載の駆動回路によれば、表示電極対グループの数と同数の走査電極駆動回路および維持電極駆動回路がそれぞれ必要であり、回路規模が増大し使用する回路部品も増加する。その結果、駆動回路のコストが増大するという課題があった。【００１０】
本発明は上述した課題に鑑みてなされたものであり、高精細度パネルにおいて十分なサブフィールド数を確保するとともに、低コストで簡素なプラズマディスプレイパネルの駆動回路およびプラズマディスプレイ装置を提供することを目的とする。
【課題を解決するための手段】
【００１１】
上述した目的を達成するために本発明のプラズマディスプレイパネルの駆動回路は、走査電極と維持電極とで構成された表示電極対を複数備えるとともに複数のデータ電極を備え、前記表示電極対と前記データ電極とが交差する位置のそれぞれに放電セルを形成したプラズマディスプレイパネルを駆動する駆動回路であって、複数の前記表示電極対を複数の表示電極対グループに分けるとともに、複数の前記表示電極対グループのそれぞれに対して設けられ、前記表示電極対グループに属する維持電極に維持パルスを印加する維持パルス発生回路と、複数の前記表示電極対グループのそれぞれに対して設けられ、前記表示電極対グループに属する維持電極に一定電圧を印加する一定電圧発生回路と、複数の電圧から１つの電圧を選択して、複数の前記維持パルス発生回路のそれぞれに供給する電圧選択回路と、を備えたことを特徴とする。【００１２】
また本発明のプラズマディスプレイ装置は、上記プラズマディスプレイパネルの駆動回路と、上記プラズマディスプレイパネルとを備えたことを特徴とする。
【発明の効果】
【００１３】
本発明のプラズマディスプレイパネルの駆動回路およびプラズマディスプレイ装置によれば、１つの選択電圧を生成する１つの電圧選択回路を備え、複数の維持パルス発生回路がこの１つの選択電圧にもとづいて維持パルスまたは所定電圧を、複数の維持電極グループへそれぞれ異なる維持期間において印加することができる。これにより、高精細度パネルにおいて十分なサブフィールド数および維持パルス数を確保することができるので、プラズマディスプレイパネルを高精細度化かつ高輝度化させることが可能となる。それとともに、部品点数を少なくし、回路構成を簡素化することができるので、駆動回路を低コスト化することが可能となる。
【図面の簡単な説明】
【００１４】
【図１】本発明の実施の形態１におけるプラズマディスプレイ装置のプラズマディスプレイパネルの分解斜視図
【図２】同プラズマディスプレイ装置のプラズマディスプレイパネルの電極配列図
【図３】同プラズマディスプレイ装置のサブフィールド構成を示すタイミング図
【図４】同プラズマディスプレイ装置のプラズマディスプレイパネルの各電極に印加する駆動電圧波形を示す波形図
【図５】同プラズマディスプレイ装置のブロック図
【図６】本発明の実施の形態１におけるプラズマディスプレイパネルの駆動回路の走査電極駆動回路の回路図
【図７】同プラズマディスプレイパネルの駆動回路の維持電極駆動回路の回路図
【図８】同プラズマディスプレイパネルの駆動回路の維持電極駆動回路の動作を示す波形図
【図９】本発明の実施の形態２におけるプラズマディスプレイ装置のプラズマディスプレイパネルの電極配列図
【図１０】同プラズマディスプレイ装置のサブフィールド構成を示すタイミング図
【図１１】本発明の実施の形態２におけるプラズマディスプレイパネルの駆動回路の維持電極駆動回路の回路図
【図１２】本発明の実施の形態３におけるプラズマディスプレイパネルの駆動回路の維持電極駆動回路の回路図
【図１３】同プラズマディスプレイパネルの駆動回路の維持電極駆動回路の動作を示す波形図
【図１４】本発明の実施の形態４におけるプラズマディスプレイパネルの駆動回路の回路図
【図１５】同プラズマディスプレイパネルの駆動回路の動作を示す波形図
【発明を実施するための形態】
【００１５】
以下、本発明を実施するための形態に関するいくつかの例について、図面を参照しながら説明する。図面において、実質的に同一の構成、動作、および効果を表す要素については、同一の符号を付す。
【００１６】
（実施の形態１）
図１は、プラズマディスプレイ装置のプラズマディスプレイパネル１０（以下、「パネル」と略記する）の分解斜視図である。ガラス製の前面基板２１上には走査電極２２と維持電極２３とで構成された表示電極対２４が複数形成されている。そして表示電極対２４を覆うように誘電体層２５が形成され、その誘電体層２５上に保護層２６が形成されている。
【００１７】
背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色、緑色および青色の各色に発光する蛍光体層３５が設けられている。
【００１８】
これら前面基板２１と背面基板３１とは、微小な放電空間を挟んで表示電極対２４とデータ電極３２とが交差するように対向配置され、その外周部をガラスフリット等の封着材によって封着されている。そして放電空間には、例えばネオン、アルゴン、キセノン、といった希ガスあるいは、これらの混合ガスが放電ガスとして封入されている。放電空間は隔壁３４によって複数の区画に仕切られており、表示電極対２４とデータ電極３２とが交差する位置のそれぞれに放電セルが構成されている。そしてこれらの放電セルが放電、発光することにより画像が表示される。
【００１９】
なお、パネル１０の構造は上述したものに限られるわけではなく、例えばストライプ状の隔壁を備えたものであってもよい。
【００２０】
図２は、プラズマディスプレイ装置のパネル１０の電極配列図である。パネル１０には、行方向に長いｎ本の走査電極ＳＣ１、ＳＣ２、・・・、ＳＣｎ（図１の走査電極２２）およびｎ本の維持電極ＳＵ１、ＳＵ２、・・・、ＳＵｎ（図１の維持電極２３）が配列され、列方向に長いｍ本のデータ電極Ｄ１、Ｄ２、・・・、Ｄｍ（図１のデータ電極３２）が配列されている。そして、１対の走査電極ＳＣｉ（ｉ＝１、２、・・・、ｎ）および維持電極ＳＵｉ（ｉ＝１〜ｎ）で構成されるｎ対の表示電極対と、１つのデータ電極Ｄｊ（ｊ＝１、２、・・・、ｍ）とが交差した部分に、放電セルＣｉｊ（ｉ＝１〜ｎ、ｊ＝１〜ｍ）が形成される。放電セルＣｉｊは、放電空間内にｍ×ｎ個形成されている。表示電極対の数について特に制限はないが、一例として、ｎ＝２１６０として説明する。
【００２１】
走査電極ＳＣ１〜ＳＣ２１６０および維持電極ＳＵ１〜ＳＵ２１６０からなる２１６０対の表示電極対は、複数の表示電極対グループＤＧ１、ＤＧ２、・・・、ＤＧＮに分けられている。表示電極対グループの数Ｎの決め方については後述することとして、一例として、パネルを上下に２分割し、２つの表示電極対グループＤＧ１、ＤＧ２に分けたとして説明する。図２に示したように、パネルの上半分に位置する表示電極対を表示電極対グループＤＧ１とし、パネルの下半分に位置する表示電極対を表示電極対グループＤＧ２とする。また、１０８０本の走査電極ＳＣ１〜ＳＣ１０８０を走査電極グループＳＧ１とし、１０８０本の維持電極ＳＵ１〜ＳＵ１０８０を維持電極グループＵＧ１とする。さらに、１０８０本の走査電極ＳＣ１０８１〜ＳＣ２１６０を走査電極グループＳＧ２とし、１０８０本の維持電極ＳＵ１０８１〜ＳＵ２１６０を維持電極グループＵＧ２とする。すなわち、走査電極グループＳＧ１および維持電極グループＵＧ１が表示電極対グループＤＧ１に属し、走査電極グループＳＧ２および維持電極グループＵＧ２が表示電極対グループＤＧ２に属している。
【００２２】
次に、パネル１０を駆動するための駆動構成について説明する。一例として、初期化期間を除き、書き込み動作が連続して行われるように走査パルスおよび書き込みパルスのタイミングを設定している。その結果、１フィールド期間内に最大限の数のサブフィールドを設定することができる。以下に、その詳細について、例をあげて説明する。
【００２３】
図３は、プラズマディスプレイ装置のサブフィールド構成を示すタイミング図である。図３（ａ）、図３（ｂ）、図３（ｃ）、および図３（ｄ）の縦軸は走査電極ＳＣ１〜ＳＣ２１６０を示し、横軸は時間ｔを示している。また、書き込み動作を行うタイミングを表す書き込みタイミングｔＷは太い実線で示し、維持期間および後述する消去期間のタイミングを表す維持消去期間タイミングｔＳＥはハッチングで示している。なお以下の説明では、１フィールド期間Ｔｆを１６．７ｍｓとした。
【００２４】
まず、図３（ａ）に示すように、１フィールド期間Ｔｆの最初に、すべての放電セルで一斉に初期化放電を発生させる初期化期間Ｔｉｎを設ける。一例として、初期化期間Ｔｉｎを５００μｓと設定した。
【００２５】
次に、図３（ｂ）に示すように、走査電極ＳＣ１〜ＳＣ２１６０のすべてに走査パルスを順次印加する（すなわち、走査電極ＳＣ１〜ＳＣ２１６０のすべてに書き込み動作を１回行う）ために要する期間を表す全書き込み期間Ｔｗを見積もる。このとき、書き込み動作が連続して行われるように走査パルスを可能な限り短くかつ可能な限り連続して印加することが望ましい。一例として、走査電極１本あたりの書き込み動作に要する期間を０．７μｓとした。走査電極の数が２１６０本であるため、全書き込み期間Ｔｗは、０．７×２１６０＝１５１２μｓである。
【００２６】
次に、サブフィールド数を見積もる。当初は、消去期間を無視する。１フィールド期間Ｔｆから初期化期間Ｔｉｎを引いて、全書き込み期間Ｔｗで割ると、（１６．７−０．５）／１．５＝１０．８ｍｓとなる。その結果、図３（ｃ）に示すように、最大で１０個のサブフィールドＳＦ１、ＳＦ２、・・・、ＳＦ１０を確保できることがわかる。
【００２７】
次に、必要な維持パルス数にもとづき、表示電極対グループＤＧ１、ＤＧ２、・・・、ＤＧＮの数を表す表示電極対グループ数Ｎを決める。一例として、サブフィールドＳＦ１〜ＳＦ１０においてそれぞれ「６０」、「４４」、「３０」、「１８」、「１１」、「６」、「３」、「２」、「１」、「１」の個数の維持パルスを、走査電極ＳＣ１〜ＳＣ２１６０に印加するものと仮定する。維持パルスを印加するために要する期間を表す維持期間Ｔｓ１、Ｔｓ２、・・・、Ｔｓ１０は、それぞれサブフィールドＳＦ１〜ＳＦ１０における上述した維持パルスの個数に、維持パルス周期を掛けたものとなる。維持パルス周期を１０μｓとすると、最大の維持期間を表す最大維持期間Ｔｓ１は、１０×６０＝６００μｓとなる。
【００２８】
図３（ｄ）（および後述する図４）において、書き込み期間Ｔｗ１は、全書き込み期間Ｔｗのうちの各表示電極対グループＤＧ１〜ＤＧＮの書き込み動作に要する期間を表し、式１により求められる。
Ｔｗ１＝Ｔｗ／Ｎ                              （１）
【００２９】
維持期間Ｔｓ１〜Ｔｓ１０は、それぞれのサブフィールドＳＦ１〜ＳＦ１０において、書き込み期間Ｔｗ１の後に設けられる。表示電極対グループＤＧ１〜ＤＧＮのうちｐ番目（ｐ＝１〜Ｎ）の表示電極対グループＤＧｐに対するｑ番目（ｑ＝１〜１０）のサブフィールドＳＦｑの維持期間は、各表示電極対グループＤＧ（ｐ＋１）〜ＤＧＮ（ここで、ｐ＝１、２、・・・、Ｎ−１）に対するサブフィールドＳＦｑの書き込み期間Ｔｗ１と時間的に並行して設定される。さらに、表示電極対グループＤＧｐに対するサブフィールドＳＦｑの維持期間は、各表示電極対グループＤＧ１〜ＤＧ（ｐ−１）（ここで、ｐ＝２、３、・・・、Ｎ）に対するサブフィールドＳＦ（ｑ＋１）（ここで、ｑ＝１〜９）の書き込み期間Ｔｗ１と、時間的に並行して設定される。
【００３０】
表示電極対グループ数Ｎは、全書き込み期間Ｔｗと最大維持期間Ｔｓ１を用いて、以下の式２を満たす最小の整数として求められる。
Ｎ≧Ｔｗ／（Ｔｗ−Ｔｓ１）                    （２）
【００３１】
ここで、式２の導出を説明する。式２の元の式は、
Ｔｓ１≦Ｔｗ×（Ｎ−１）／Ｎ                  （３）
である。式３は、全書き込み期間Ｔｗからグループ単位書き込み期間Ｔｗ／Ｎを引いた残りの期間を、最大維持期間Ｔｓ１が超えてはならないことを示している。言い換えれば、最大維持期間Ｔｓ１よりも、式３の右辺で表される期間（Ｔｗ×（Ｎ−１）／Ｎ）が長くなるように、表示電極対グループ数Ｎを決める必要がある。例えば、式３が成立しない小さなＮを選択する場合、表示電極対グループＤＧＮに対するサブフィールドＳＦｑの書き込み動作が終了した時点で、表示電極対グループＤＧ（Ｎ−１）に対するサブフィールドＳＦｑの維持期間が終了していないことになる。その結果、表示電極対グループＤＧ１に対するサブフィールドＳＦ（ｑ＋１）の書き込み動作が、直ちには行えない。したがって、次のサブフィールドに向けて連続した書き込み動作が実現せず、駆動時間が短縮できない。よって、式３が成立する自然数Ｎを選択する必要がある。式２は、式３のこのような導出理由の結果として表される。
【００３２】
上述したように、Ｔｗ＝１５１２μｓ、Ｔｓ１＝６００μｓであるので、式２から、
１５１２／（１５１２−６００）＝１．６６      （４）
となり、表示電極対グループ数Ｎは２となる。
【００３３】
以上の考察にもとづき、図２に示したように表示電極対を２つの表示電極対グループＤＧ１、ＤＧ２に分ける。この場合、Ｎ＝２、Ｔｗ＝１５１２μｓ、Ｔｓ１＝６００μｓであるので、
Ｔｗ×（Ｎ−１）／Ｎ＝７５６≧６００          （５）
となり、もちろん式３の条件を満たしている。
【００３４】
以上のようにして、パネル１０を駆動するための駆動構成および表示電極対グループ数Ｎを決めることができる。なお、以上においては、消去期間を無視して計算を進めたが、いずれかの表示電極対グループが消去期間であるときには書き込み動作を行わないことが望ましい。これは、消去期間では壁電圧を消去するだけでなく、次の書き込み期間Ｔｗ１の書き込み動作に備えてデータ電極上の壁電圧を調整する期間でもあるため、データ電極の電圧を固定しておくことが望ましいからである。
【００３５】
次に、駆動電圧波形の詳細とその動作について説明する。
図４は、プラズマディスプレイ装置のパネル１０の各電極に印加する駆動電圧波形を示す波形図である。図４は、上から順に、データ電極Ｄ１〜Ｄｍの駆動電圧波形と、表示電極対グループＤＧ１に属する走査電極グループＳＧ１および維持電極グループＵＧ１の駆動電圧波形と、表示電極対グループＤＧ２に属する走査電極グループＳＧ２および維持電極グループＵＧ２の駆動電圧波形とを示している。１フィールド期間Ｔｆの最初に、各放電セルＣｉｊで初期化放電を発生させる初期化期間Ｔｉｎを設ける。さらに、１フィールド期間Ｔｆ内の初期化期間Ｔｉｎの後に、図３（ｄ）と同様に表示電極対グループＤＧ１、ＤＧ２毎にサブフィールドＳＦ１〜ＳＦ１０を設ける。サブフィールドＳＦｑは、書き込み期間Ｔｗ１、維持期間Ｔｓｑ、および消去期間Ｔｅの順序で構成される（ｑ＝１〜１０）。消去期間Ｔｅは、各維持期間Ｔｓ１〜Ｔｓ１０の後に、その維持期間で放電した放電セルに対して消去放電を発生させる期間である。図３（ｄ）において上述したように、表示電極対グループＤＧ２に対するサブフィールドＳＦ１〜ＳＦ１０は、表示電極対グループＤＧ１に対するサブフィールドＳＦ１〜ＳＦ１０に比べて、全体的に書き込み期間Ｔｗ１だけ遅れている。その結果、表示電極対グループＤＧ１の維持期間Ｔｓｑおよび消去期間Ｔｅは、表示電極対グループＤＧ２に対するサブフィールドＳＦｑの書き込み期間Ｔｗ１と時間的に並行することになる（ｑ＝１〜１０）。
【００３６】
まず、初期化期間Ｔｉｎについて説明する。
初期化期間Ｔｉｎでは、データ電極Ｄ１〜Ｄｍおよび維持電極ＳＵ１〜ＳＵ２１６０にそれぞれ電圧０（Ｖ）を印加する。走査電極ＳＣ１〜ＳＣ２１６０には、それぞれ維持電極ＳＵ１〜ＳＵ２１６０に対する正の放電開始電圧よりも低い正の電圧Ｖｉ１から、放電開始電圧を超える正の電圧Ｖｉ２に向かって緩やかに上昇する傾斜波形電圧を印加する。この傾斜波形電圧が上昇する間に、走査電極ＳＣ１〜ＳＣ２１６０と、維持電極ＳＵ１〜ＳＵ２１６０およびデータ電極Ｄ１〜Ｄｍとの間でそれぞれ微弱な初期化放電が発生する。そして、走査電極ＳＣ１〜ＳＣ２１６０上に負の壁電圧が蓄積されるとともに、データ電極Ｄ１〜Ｄｍ上および維持電極ＳＵ１〜ＳＵ２１６０上には正の壁電圧が蓄積される。ここで、電極上の壁電圧とは、電極を覆う誘電体層上、保護層上、および蛍光体層上等に蓄積された壁電荷により生じる電圧を表す。なお、この期間はデータ電極Ｄ１〜Ｄｍに電圧Ｖｄを印加してもよい。
【００３７】
次に、データ電極Ｄ１〜Ｄｍに電圧０（Ｖ）を印加し、維持電極ＳＵ１〜ＳＵ２１６０に正の所定電圧Ｖｅ１を印加し、走査電極ＳＣ１〜ＳＣ２１６０には、それぞれ維持電極ＳＵ１〜ＳＵ２１６０に対する正の放電開始電圧よりも低い正の電圧Ｖｉ３から、負の放電開始電圧を負方向に超える負の電圧Ｖｉ４に向かって、緩やかに下降する傾斜波形電圧を印加する。この間に、走査電極ＳＣ１〜ＳＣ２１６０と、維持電極ＳＵ１〜ＳＵ２１６０およびデータ電極Ｄ１〜Ｄｍとの間でそれぞれ微弱な初期化放電が発生する。そして、走査電極ＳＣ１〜ＳＣ２１６０上の負の壁電圧および維持電極ＳＵ１〜ＳＵ２１６０上の正の壁電圧が弱められ、データ電極Ｄ１〜Ｄｍ上の正の壁電圧は書き込み動作に適した値に調整される。その後、走査電極ＳＣ１〜ＳＣ２１６０に電圧Ｖｃを印加する。以上により、すべての放電セルに対して初期化放電を行う初期化動作が終了する。
【００３８】
次に表示電極対グループＤＧ１に対するサブフィールドＳＦ１の書き込み期間Ｔｗ１について説明する。
維持電極グループＵＧ１に、所定電圧Ｖｅ１よりも高い正の所定電圧Ｖｅ２を印加する。そして走査電極ＳＣ１に負の電圧Ｖａを持つ走査パルスを印加するとともに、発光すべき放電セルに対応するデータ電極Ｄｊ（ｊ＝１〜ｍ）に、正の電圧Ｖｄを持つ書き込みパルスを印加する。するとデータ電極Ｄｊ上と走査電極ＳＣ１上との交差部の電圧差は、外部印加電圧の差（Ｖｄ−Ｖａ）に、データ電極Ｄｊ上の壁電圧と走査電極ＳＣ１上の壁電圧との差が加算されたものとなり、放電開始電圧を超える。そして、データ電極Ｄｊと走査電極ＳＣ１との間で放電が開始し、維持電極ＳＵ１と走査電極ＳＣ１との間の放電に進展して書き込み放電が発生する。その結果、走査電極ＳＣ１上に正の壁電圧が蓄積され、維持電極ＳＵ１上に負の壁電圧が蓄積され、データ電極Ｄｊ上にも負の壁電圧が蓄積される。このようにして、１行目に発光させるべき放電セルにおいて書き込み放電が発生し、各電極上に壁電圧を蓄積する書き込み動作が行われる。一方、書き込みパルスを印加しなかったデータ電極Ｄ１〜Ｄｍと走査電極ＳＣ１との交差部の電圧は放電開始電圧を超えないので、書き込み放電は発生しない。
【００３９】
次に、２行目の走査電極ＳＣ２に走査パルスを印加するとともに、発光すべき放電セルに対応するデータ電極Ｄｊに書き込みパルスを印加する。すると走査パルスと書き込みパルスとが同時に印加された２行目の放電セルでは書き込み放電が発生し、書き込み動作が行われる。
【００４０】
以上の書き込み動作を１０８０行目の放電セルに至るまで繰り返し、発光すべき放電セルに対して選択的に書き込み放電を発生させて壁電荷を形成する。
表示電極対グループＤＧ１に対するサブフィールドＳＦ１の書き込み期間Ｔｗ１において、走査電極グループＳＧ２には電圧Ｖｃが、維持電極グループＵＧ２には所定電圧Ｖｅ１がそれぞれ印加されたままである。この書き込み期間Ｔｗ１は、表示電極対グループＤＧ２に対しては放電の発生しない休止期間である。ただし、表示電極対グループＤＧ２に属する各電極に印加する電圧は上述した電圧に限定されるものではなく、放電を発生しない範囲の、他の電圧を印加してもよい。
【００４１】
次に表示電極対グループＤＧ２に対するサブフィールドＳＦ１の書き込み期間Ｔｗ１について説明する。
維持電極グループＵＧ２に正の所定電圧Ｖｅ２を印加する。そして走査電極ＳＣ１０８１に走査パルスを印加するとともに、発光すべき放電セルに対応するデータ電極Ｄｊに書き込みパルスを印加する。するとデータ電極Ｄｊと走査電極ＳＣ１０８１との間、維持電極ＳＵ１０８１と走査電極ＳＣ１０８１との間で書き込み放電が発生する。次に、走査電極ＳＣ１０８２に走査パルスを印加するとともに、発光すべき放電セルに対応するデータ電極Ｄｊに書き込みパルスを印加する。すると走査パルスと書き込みパルスとが同時に印加された１０８２行目の放電セルで、書き込み放電が発生する。以上の書き込み動作を２１６０行目の放電セルに至るまで繰り返し、発光すべき放電セルに対して選択的に書き込み放電を発生させて壁電荷を形成する。
【００４２】
表示電極対グループＤＧ２に対するサブフィールドＳＦ１の書き込み期間Ｔｗ１は、表示電極対グループＤＧ１に対してはサブフィールドＳＦ１の維持期間Ｔｓ１に対応する。すなわち、走査電極グループＳＧ１へ「６０」個の維持パルス、および維持電極グループＵＧ１へ「６０」個の維持パルスを、１個ずつ交互に印加して書き込み放電を行い、放電セルを発光させる。
【００４３】
具体的には、まず走査電極グループＳＧ１に正の維持パルス電圧Ｖｓを印加するとともに、維持電極グループＵＧ１に電圧０（Ｖ）を印加する。すると書き込み放電を発生させた放電セルでは、走査電極ＳＣｉ上の壁電圧と維持電極ＳＵｉ上の壁電圧との差に維持パルス電圧Ｖｓが加算され、走査電極ＳＣｉ上と維持電極ＳＵｉ上との電圧差が放電開始電圧を超える。そのため走査電極ＳＣｉと維持電極ＳＵｉとの間に維持放電が発生し、このとき発生した紫外線により蛍光体層３５が発光する。そして走査電極ＳＣｉ上に負の壁電圧が蓄積され、維持電極ＳＵｉ上に正の壁電圧が蓄積される。書き込み期間Ｔｗ１において書き込み放電を発生させなかった放電セルでは維持放電は発生せず、初期化期間Ｔｉｎの終了時における壁電圧が保たれる。
【００４４】
続いて、走査電極グループＳＧ１には電圧０（Ｖ）を、維持電極グループＵＧ１には正の維持パルス電圧Ｖｓをそれぞれ印加する。すると、維持放電を発生した放電セルでは、維持電極ＳＵｉ上と走査電極ＳＣｉ上との電圧差が放電開始電圧を超えるので、再び維持電極ＳＵｉと走査電極ＳＣｉとの間で維持放電が発生し、維持電極ＳＵｉ上に負の壁電圧が蓄積され走査電極ＳＣｉ上に正の壁電圧が蓄積される。以降同様に、走査電極グループＳＧ１と維持電極グループＵＧ１とに交互に維持パルスを印加し、表示電極対の電極間に電位差を与えることにより、書き込み期間Ｔｗ１において書き込み放電を発生した放電セルにおいて維持放電が継続して発生し、放電セルが発光する。
【００４５】
維持期間Ｔｓ１の後には、消去期間Ｔｅが設けられている。消去期間Ｔｅでは、走査電極ＳＣ１〜ＳＣｎと維持電極ＳＵ１〜ＳＵｎとの間にいわゆる細幅パルス状の電圧差を与えて、データ電極Ｄｊ上の正の壁電圧を残したまま、走査電極ＳＣｉおよび維持電極ＳＵｉ上の壁電圧を消去している。
【００４６】
次に表示電極対グループＤＧ１に対するサブフィールドＳＦ２の書き込み期間Ｔｗ１について説明する。
維持電極グループＵＧ１に正の所定電圧Ｖｅ２を印加する。そして走査電極グループＳＧ１に対しては、サブフィールドＳＦ１の書き込み期間Ｔｗ１と同様に走査パルスを順次印加するとともに、データ電極Ｄｊに書き込みパルスを印加して、１〜１０８０行目の放電セルで書き込み動作を行う。
【００４７】
表示電極対グループＤＧ１に対するサブフィールドＳＦ２の書き込み期間Ｔｗ１は、表示電極対グループＤＧ２に対してはサブフィールドＳＦ１の維持期間Ｔｓ１に対応する。すなわち、走査電極グループＳＧ２および維持電極グループＵＧ２には、それぞれ「６０」個の維持パルスを、１個ずつ交互に印加して書き込み放電を行い、放電セルを発光させる。
そして、維持期間Ｔｓ１の後の消去期間Ｔｅでは、走査電極グループＳＧ２と維持電極グループＵＧ２との間に細幅パルス状の電圧差を与えて、データ電極Ｄｊ上の正の壁電圧を残したまま、走査電極ＳＣｉ上および維持電極ＳＵｉ上の壁電圧を消去している。
【００４８】
以降同様に、表示電極対グループＤＧ２に対するサブフィールドＳＦ２の書き込み期間Ｔｗ１、表示電極対グループＤＧ１に対するサブフィールドＳＦ３の書き込み期間Ｔｗ１、・・・、表示電極対グループＤＧ２に対するサブフィールドＳＦ１０の書き込み期間Ｔｗ１と続き、この後、最後に表示電極対グループＤＧ２に対するサブフィールドＳＦ１０の維持期間Ｔｓ１０および消去期間Ｔｅと続いて１フィールド期間Ｔｆを終える。
【００４９】
このように、初期化期間Ｔｉｎの後に、表示電極対グループＤＧ１、ＤＧ２のうちいずれか一方のグループにおいて書き込み動作が連続して行われるように、走査パルスおよび書き込みパルスのタイミングを設定している。すなわち、式６に示すように、１フィールド期間Ｔｆは、初期化期間Ｔｉｎと、全書き込み期間ＴｗのサブフィールドＳＦ１〜ＳＦ１０相当分（Ｔｗ×１０）と、サブフィールドＳＦ１０の維持期間Ｔｓ１０と、サブフィールドＳＦ１０の消去期間Ｔｅとの総和以上であればよい。
Ｔｆ≧（Ｔｉｎ＋Ｔｗ×１０＋Ｔｓ１０＋Ｔｅ）        （６）
サブフィールドＳＦ１〜ＳＦ９における維持期間Ｔｓ１〜Ｔｓ９および消去期間Ｔｅは、全書き込み期間ＴｗのサブフィールドＳＦ１〜ＳＦ１０相当分（Ｔｗ×１０）と時間的に並行しているため、実質的に無視することができる。
【００５０】
その結果、１フィールド期間Ｔｆ内に１０個のサブフィールドＳＦ１〜ＳＦ１０を設定することができる。このサブフィールドＳＦ１〜ＳＦ１０の数は、上述したように、１フィールド期間Ｔｆ内に設定できる最大の数である。
【００５１】
また上述したように、最後に表示電極対グループＤＧ２に対する維持期間Ｔｓ１０および消去期間Ｔｅで１フィールド期間Ｔｆを終える（式６を参照）。そのために、最後のサブフィールドＳＦ１０に輝度重みの最も小さい維持期間Ｔｓ１０を配置することで、式６の維持期間Ｔｓ１０を短縮することができる。
【００５２】
なお、上述したように消去期間Ｔｅでは、走査電極ＳＣ１〜ＳＣｎと維持電極ＳＵ１〜ＳＵｎとの間に細幅パルス状の電圧差を与えて消去動作を行うものとし、消去期間Ｔｅを無視してサブフィールド構成および表示電極対グループ数Ｎを決めた。また、表示電極対グループＤＧ１、ＤＧ２のうちいずれか一方のグループが消去期間Ｔｅであっても書き込み動作を行うものとして説明した。しかし、消去動作を行うためにはある程度の消去期間Ｔｅが必要であり、また上述したように、表示電極対グループＤＧ１、ＤＧ２のうちいずれか一方のグループが消去期間Ｔｅであるときには書き込み動作を行わないことが望ましい。
【００５３】
次に、プラズマディスプレイパネルの駆動回路について説明する。
図５は、プラズマディスプレイ装置４０のブロック図である。プラズマディスプレイ装置４０は、プラズマディスプレイパネルの駆動回路４６およびパネル１０を備えている。プラズマディスプレイパネルの駆動回路４６は、画像信号処理回路４１、データ電極駆動回路４２、走査電極駆動回路４３ａ、走査電極駆動回路４３ｂ、維持電極駆動回路４４、タイミング発生回路４５、および各回路ブロックに必要な電源を供給する電源回路（図示せず）を備えている。
【００５４】
タイミング発生回路４５は、画像信号の水平同期信号および垂直同期信号にもとづいて各回路の動作を制御する各種のタイミング信号Ｓ４５を発生し、それぞれの回路へ供給する。画像信号処理回路４１は、タイミング信号Ｓ４５にもとづいて、画像信号を、サブフィールド毎の発光・非発光を示す画像データに変換する。データ電極駆動回路４２は、ｍ本のデータ電極Ｄ１〜Ｄｍのそれぞれに電圧Ｖｄまたは電圧０（Ｖ）を印加するためのｍ個のスイッチを備えている。そしてデータ電極駆動回路４２は、タイミング信号Ｓ４５にもとづいて、画像信号処理回路４１から出力された画像データを各データ電極Ｄ１〜Ｄｍに対応する書き込みパルスに変換し、各データ電極Ｄ１〜Ｄｍに印加する。
【００５５】
走査電極駆動回路４３ａはタイミング信号Ｓ４５にもとづいて走査電極グループＳＧ１を駆動し、走査電極駆動回路４３ｂはタイミング信号Ｓ４５にもとづいて、走査電極グループＳＧ２を駆動する。また維持電極駆動回路４４は、タイミング信号Ｓ４５にもとづいて維持電極グループＵＧ１、ＵＧ２を駆動する。以下の実施の形態におけるプラズマディスプレイパネルの駆動回路４６、４６ａの具体的な回路図（図６、図７、図１１、図１２、および図１４）では、タイミング発生回路４５からのタイミング信号Ｓ４５の配線は、図示の簡単化のため、省略されている。
【００５６】
図６は、プラズマディスプレイパネルの駆動回路４６における走査電極駆動回路４３ａ、４３ｂの回路図である。走査電極駆動回路４３ａは、維持パルス発生回路５０ａ、初期化波形発生回路６０ａ、および走査パルス発生回路７０ａを備えている。
【００５７】
維持パルス発生回路５０ａは、電力回収部５１ａおよび電圧クランプ部５５ａを有し、走査電極グループＳＧ１に維持パルスを印加する。
【００５８】
電力回収部５１ａは、電力回収用のコンデンサＣ５１ａ、スイッチング素子Ｑ５１ａおよびＱ５２ａ、逆流防止用のダイオードＤ５１ａおよびＤ５２ａ、ならびに共振用のインダクタＬ５１ａを有する。コンデンサＣ５１ａの一端は接地され、他端はスイッチング素子Ｑ５１ａの一端およびスイッチング素子Ｑ５２ａの一端に接続される。スイッチング素子Ｑ５１ａの他端はダイオードＤ５１ａのアノードに接続され、スイッチング素子Ｑ５２ａの他端はダイオードＤ５２ａのカソードに接続される。ダイオードＤ５１ａのカソードおよびダイオードＤ５２ａのアノードは、共通にインダクタＬ５１ａの一端に接続され、インダクタＬ５１ａの他端は、電圧クランプ部５５ａにおけるスイッチング素子Ｑ５５ａとスイッチング素子Ｑ５６ａとの接続点に接続される。
【００５９】
電力回収部５１ａは、表示電極対グループＤＧ１を構成する走査電極グループＳＧ１と維持電極グループＵＧ１との間の１０８０個の電極間容量とインダクタＬ５１ａとをＬＣ共振させて、維持パルスの立ち上がりおよび立ち下がりを行う。電力回収部５１ａは、維持パルスの立ち上がり時には、電力回収用のコンデンサＣ５１ａに蓄えられている電荷（または電力）を、スイッチング素子Ｑ５１ａ、ダイオードＤ５１ａ、インダクタＬ５１ａ、初期化波形発生回路６０ａ、走査パルス発生回路７０ａ、および走査電極グループＳＧ１を介して、１０８０個の電極間容量に供給する。一方、電力回収部５１ａは、維持パルスの立ち下がり時には、１０８０個の電極間容量に蓄えられた電荷（または電力）を、走査電極グループＳＧ１から、走査パルス発生回路７０ａ、初期化波形発生回路６０ａ、インダクタＬ５１ａ、ダイオードＤ５２ａ、およびスイッチング素子Ｑ５２ａを介して、電力回収用のコンデンサＣ５１ａに回収する。このように、電力回収部５１ａは電源から電力を供給されずにＬＣ共振によって走査電極グループＳＧ１の駆動を行うため、理想的には消費電力が「０」となる。なお、電力回収用のコンデンサＣ５１ａは１０８０個の電極間容量に比べて十分に大きい容量を持ち、電力回収部５１ａの電源として働くように、維持放電用に供給される電源電圧Ｖｓの半分の約Ｖｓ／２に充電されている。
【００６０】
電圧クランプ部５５ａは、スイッチング素子Ｑ５５ａ、Ｑ５６ａを有する。走査電極グループＳＧ１は、スイッチング素子Ｑ５５ａを介して電源に接続され、スイッチング素子Ｑ５５ａがオンされると電源電圧Ｖｓにクランプされる。また、走査電極グループＳＧ１は、スイッチング素子Ｑ５６ａを介して接地され、スイッチング素子Ｑ５６ａがオンされると電圧０（Ｖ）にクランプされる。電源電圧Ｖｓは維持パルスのパルス尖頭電圧に対応し、電圧０（Ｖ）は維持パルスのパルス基準電圧に対応する。電圧クランプ部５５ａは、維持期間中の走査電極グループＳＧ１を、維持パルスのパルス尖頭電圧とパルス基準電圧とに交互にクランプすることにより、走査電極グループＳＧ１に維持パルスを印加する。電圧印加時における電圧クランプ部５５ａのインピーダンスは小さく、強い維持放電による大きな放電電流を安定して流すことができる。
【００６１】
こうして維持パルス発生回路５０ａは、タイミング信号Ｓ４５にもとづいてスイッチング素子Ｑ５１ａ、Ｑ５２ａ、Ｑ５５ａ、Ｑ５６ａが制御されることによって維持パルスを発生し、初期化波形発生回路６０ａおよび走査パルス発生回路７０ａを介して、走査電極グループＳＧ１に維持パルスを印加する。なお、これらのスイッチング素子Ｑ５１ａ、Ｑ５２ａ、Ｑ５５ａ、Ｑ５６ａは、ＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ：金属酸化膜半導体電界効果トランジスタ）およびＩＧＢＴ（Ｉｎｓｕｌａｔｅｄ  Ｇａｔｅ  Ｂｉｐｏｌａｒ  Ｔｒａｎｓｉｓｔｏｒ：絶縁ゲートバイポーラトランジスタ）等のトランジスタ素子を用いて構成することができる。図６には、スイッチング素子として例えばＭＯＳＦＥＴを用いた回路構成を示した。また、図面を見やすくするために、ＭＯＳＦＥＴのボディーダイオードは省略した。
【００６２】
初期化波形発生回路６０ａは、ミラー積分回路６１ａ、ミラー積分回路６２ａ、スイッチング素子Ｑ６３ａ、およびスイッチング素子Ｑ６４ａを備えている。ミラー積分回路６１ａは、初期化期間Ｔｉｎにおいて、走査電極グループＳＧ１に、緩やかに上昇する傾斜波形電圧を印加する。ミラー積分回路６２ａは、初期化期間Ｔｉｎにおいて、走査電極グループＳＧ１に、緩やかに下降する傾斜波形電圧を印加する。スイッチング素子Ｑ６３ａ、Ｑ６４ａは分離スイッチであり、維持パルス発生回路５０ａおよび初期化波形発生回路６０ａを構成するスイッチング素子の寄生ダイオードを介して電流が逆流するのを防止するために設けられている。このように初期化波形発生回路６０ａは、タイミング信号Ｓ４５にもとづいてミラー積分回路６１ａ、６２ａおよびスイッチング素子Ｑ６３ａ、Ｑ６４ａが制御されることによって、走査電極グループＳＧ１に初期化パルスを印加する。
【００６３】
走査パルス発生回路７０ａは、負の電圧Ｖａの走査パルスを走査電極ＳＣ１に印加するためのスイッチング素子Ｑ７１Ｈ１およびＱ７１Ｌ１と、走査電極ＳＣ２に印加するためのスイッチング素子Ｑ７１Ｈ２およびＱ７１Ｌ２と、・・・、走査電極ＳＣ１０８０に印加するためのスイッチング素子Ｑ７１Ｈ１０８０およびＱ７１Ｌ１０８０とを有する。さらに走査パルス発生回路７０ａは、負の電圧Ｖａを発生する電圧源７２ａを有する。走査パルス発生回路７０ａは、タイミング信号Ｓ４５にもとづいて、スイッチング素子Ｑ７１Ｈｉがオンからオフへ、同時にスイッチング素子Ｑ７１Ｌｉがオフからオンへ変化することによって、負の電圧Ｖａの走査パルスを走査電極ＳＣｉに印加する（ｉ＝１〜１０８０）。このように走査パルス発生回路７０ａは、タイミング信号Ｓ４５にもとづいてスイッチング素子Ｑ７１Ｈ１〜Ｑ７１Ｈ１０８０、Ｑ７１Ｌ１〜Ｑ７１Ｌ１０８０が制御されることによって、走査電極グループＳＧ１に走査パルスを順次印加する。
【００６４】
走査電極駆動回路４３ｂは走査電極駆動回路４３ａと同様の構成であり、走査電極グループＳＧ２に、維持パルス、初期化波形、および走査パルスを印加する。
【００６５】
維持電極駆動回路は、複数の表示電極対グループのそれぞれに対して設けられ、表示電極対グループに属する維持電極に維持パルスを印加する維持パルス発生回路と、複数の表示電極対グループのそれぞれに対して設けられ、表示電極対グループに属する維持電極に所定電圧を印加する所定電圧印加回路と、複数の電圧から１つの電圧を選択して、複数の維持パルス発生回路のそれぞれに供給する電圧選択回路とを備えている。所定電圧印加回路は、一定電圧発生回路とも呼ばれる。所定電圧は、一定電圧とも呼ばれる。一定電圧発生回路は、表示電極対グループに属する維持電極に一定電圧を印加する。
【００６６】
図７は、プラズマディスプレイパネルの駆動回路４６における維持電極駆動回路４４の回路図である。上述したように、プラズマディスプレイパネル１０を構成する走査電極ＳＣ１〜ＳＣ２１６０および維持電極ＳＵ１〜ＳＵ２１６０からなる２１６０対の表示電極対は、表示電極対グループＤＧ１、ＤＧ２に分けられる。表示電極対グループＤＧ１は走査電極グループＳＧ１および維持電極グループＵＧ１を含み、表示電極対グループＤＧ２は走査電極グループＳＧ２および維持電極グループＵＧ２を含む。すなわち、プラズマディスプレイパネル１０を構成する複数の維持電極ＳＵ１〜ＳＵ２１６０は、維持電極グループＵＧ１および維持電極グループＵＧ２に分割される。維持電極駆動回路４４は、維持期間Ｔｓ１〜Ｔｓ１０において維持パルスを、維持電極グループＵＧ１および維持電極グループＵＧ２に印加する。
【００６７】
維持電極駆動回路４４は、２つの維持パルス発生回路８０ａ、８０ｂ、２つの所定電圧印加回路９０ａ、９０ｂ、１つの電圧選択回路１００、電極経路ＲＧ１、および電極経路ＲＧ２を備えている。維持電極駆動回路４４は、電極経路ＲＧ１を介して維持電極グループＵＧ１と接続され、電極経路ＲＧ２を介して維持電極グループＵＧ２と接続される。電極経路ＲＧ１は、維持電極駆動回路４４において、維持電極グループＵＧ１への出力経路または維持電極グループＵＧ１からの入力経路を表す。電極経路ＲＧ２は、維持電極駆動回路４４において、維持電極グループＵＧ２への出力経路または維持電極グループＵＧ２からの入力経路を表す。
【００６８】
電圧選択回路１００は、電源経路ＲＳ、電源経路Ｒ１、スイッチング素子Ｑ１０１、およびスイッチング素子Ｑ１０２を有する。所定電圧源ＥＳは所定電圧Ｖｓを発生し、電源経路ＲＳは所定電圧Ｖｓを受ける。同様に、所定電圧源Ｅ１は所定電圧Ｖｅ１を発生し、電源経路Ｒ１は所定電圧Ｖｅ１を受ける。スイッチング素子Ｑ１０１は電源経路ＲＳと維持パルス発生回路８０ａおよび８０ｂとの間に接続され、スイッチング素子Ｑ１０２は電源経路Ｒ１と維持パルス発生回路８０ａおよび８０ｂとの間に接続される。電源経路は、電源端子であってもよい。
【００６９】
電圧選択回路１００は、複数の所定電圧のうちいずれか１つの所定電圧を選択し、選択された所定電圧を表す選択電圧Ｖ３を生成する。一例では、電圧選択回路１００は、所定電圧Ｖｓ、Ｖｅ１のうちいずれか一方を選択し、選択電圧Ｖ３を生成する。電圧選択回路１００は、スイッチング素子Ｑ１０１がオンされる場合、所定電圧Ｖｓを選択し、選択電圧Ｖ３を所定電圧Ｖｓとする。一方、電圧選択回路１００は、スイッチング素子Ｑ１０２がオンされる場合、所定電圧Ｖｅ１を選択し、選択電圧Ｖ３を所定電圧Ｖｅ１とする。このように電圧選択回路１００は、タイミング信号Ｓ４５にもとづいてスイッチング素子Ｑ１０１、Ｑ１０２が制御されることによって選択電圧Ｖ３を生成する。
【００７０】
なお、スイッチング素子Ｑ１０２は、維持パルス発生回路８０ａおよび８０ｂから電源経路Ｒ１を介して所定電圧源Ｅ１に向かって電流を流すために設けられている。しかし、所定電圧源Ｅ１から電源経路Ｒ１を介して維持パルス発生回路８０ａおよび８０ｂに向かってのみ電流を流す場合には、ダイオードで置き換えてもよい。
【００７１】
維持パルス発生回路８０ａは、電力回収部８１ａおよび電圧クランプ部８５ａを有する。電力回収部８１ａは、電力回収用のコンデンサＣ８１ａ、スイッチング素子Ｑ８１ａおよびＱ８２ａ、逆流防止用のダイオードＤ８１ａおよびＤ８２ａ、ならびに共振用のインダクタＬ８１ａを有する。電圧クランプ部８５ａは、高電圧側経路Ｒ３Ｈ、低電圧側経路Ｒ３Ｌ、スイッチング素子Ｑ８５ａおよびＱ８６ａ、ならびにダイオードＤ８５ａおよびＤ８６ａを有する。スイッチング素子Ｑ８５ａは、高電圧側スイッチング素子の一例であり、スイッチング素子Ｑ８６ａは、低電圧側スイッチング素子の一例である。
【００７２】
コンデンサＣ８１ａの一端は接地され、他端はスイッチング素子Ｑ８１ａの一端およびスイッチング素子Ｑ８２ａの一端に接続される。スイッチング素子Ｑ８１ａの他端はダイオードＤ８１ａのアノードに接続され、スイッチング素子Ｑ８２ａの他端はダイオードＤ８２ａのカソードに接続される。ダイオードＤ８１ａのカソードおよびダイオードＤ８２ａのアノードは、インダクタＬ８１ａの一端に接続される。インダクタＬ８１ａの他端は、電圧クランプ部８５ａにおけるスイッチング素子Ｑ８５ａとスイッチング素子Ｑ８６ａとの接続点に共通に接続される。
【００７３】
同様に、維持パルス発生回路８０ｂは、電力回収部８１ｂおよび電圧クランプ部８５ｂを有する。電力回収部８１ｂは、電力回収用のコンデンサＣ８１ｂ、スイッチング素子Ｑ８１ｂおよびＱ８２ｂ、逆流防止用のダイオードＤ８１ｂおよびＤ８２ｂ、ならびに共振用のインダクタＬ８１ｂを有する。電圧クランプ部８５ｂは、高電圧側経路Ｒ３Ｈ、低電圧側経路Ｒ３Ｌ、スイッチング素子Ｑ８５ｂおよびＱ８６ｂ、ならびにダイオードＤ８５ｂおよびＤ８６ｂを有している。スイッチング素子Ｑ８５ｂは、高電圧側スイッチング素子の一例であり、スイッチング素子Ｑ８６ｂは、低電圧側スイッチング素子の一例である。
【００７４】
なお、維持パルス発生回路８０ａ、８０ｂを構成するスイッチング素子として、ＭＯＳＦＥＴやＩＧＢＴ等のトランジスタ素子を用いることができる。図７には、ＩＧＢＴを用いた回路構成を示した。特に電圧クランプ部８５ａ、８５ｂを構成するスイッチング素子Ｑ８５ａ、Ｑ８６ａ、Ｑ８５ｂ、Ｑ８６ｂとしてＩＧＢＴを用いる場合には、制御される電流の順方向（すなわち、コレクタからエミッタへ流れる順方向の電流方向）とは逆の方向の電流経路を設けてＩＧＢＴの逆耐圧特性を確保する必要がある。そのために、ダイオードＤ８５ａ、Ｄ８６ａ、Ｄ８５ｂ、Ｄ８６ｂは、それぞれスイッチング素子Ｑ８５ａ、Ｑ８６ａ、Ｑ８５ｂ、Ｑ８６ｂに対して電流の順方向が互いに逆となるように並列に接続されている。
【００７５】
また図７には示していないが、ＩＧＢＴを保護するためにスイッチング素子Ｑ８１ａ、Ｑ８２ａ、Ｑ８１ｂ、Ｑ８２ｂのそれぞれに並列にダイオードを接続してもよい。
【００７６】
電圧クランプ部８５ａでは、スイッチング素子Ｑ８５ａおよびダイオードＤ８５ａの並列回路は、高電圧側経路Ｒ３Ｈと電極経路ＲＧ１との間に接続され、スイッチング素子Ｑ８６ａおよびダイオードＤ８６ａの並列回路は、低電圧側経路Ｒ３Ｌと電極経路ＲＧ１との間に接続される。同様に、電圧クランプ部８５ｂでは、スイッチング素子Ｑ８５ｂおよびダイオードＤ８５ｂの並列回路は、高電圧側経路Ｒ３Ｈと電極経路ＲＧ２との間に接続され、スイッチング素子Ｑ８６ｂおよびダイオードＤ８６ｂの並列回路は、低電圧側経路Ｒ３Ｌと電極経路ＲＧ２との間に接続される。高電圧側経路Ｒ３Ｈは、電圧選択回路１００のスイッチング素子Ｑ１０１およびＱ１０２に接続され、低電圧側経路Ｒ３Ｌは接地される。
【００７７】
維持パルス発生回路８０ａの動作は、維持パルス発生回路５０ａの動作と同様である。すなわち、電力回収部８１ａは、維持パルスの立ち上がり時には、電力回収用のコンデンサＣ８１ａに蓄えられている電荷（または電力）を、スイッチング素子Ｑ８１ａ、ダイオードＤ８１ａ、インダクタＬ８１ａ、および電極経路ＲＧ１を介して、維持電極グループＵＧ１に属する維持電極ＳＵ１〜ＳＵ１０８０の各電極間容量に供給する。一方、電力回収部８１ａは、維持パルスの立ち下がり時には、維持電極ＳＵ１〜ＳＵ１０８０の電極間容量に蓄えられた電荷（または電力）を、電極経路ＲＧ１、インダクタＬ８１ａ、ダイオードＤ８２ａ、およびスイッチング素子Ｑ８２ａを介して、電力回収用のコンデンサＣ８１ａに回収する。
【００７８】
また、電圧クランプ部８５ａでは、高電圧側経路Ｒ３Ｈは選択電圧Ｖ３を受け、低電圧側経路Ｒ３Ｌは所定電圧０（Ｖ）を受ける。維持電極グループＵＧ１は、スイッチング素子Ｑ８５ａがオンされると、高電圧側経路Ｒ３Ｈにおける選択電圧Ｖ３にクランプされる。維持電極グループＵＧ１は、選択電圧Ｖ３が所定電圧Ｖｓの場合、所定電圧Ｖｓにクランプされ、選択電圧Ｖ３が所定電圧Ｖｅ１の場合、所定電圧Ｖｅ１にクランプされる。維持電極グループＵＧ１は、スイッチング素子Ｑ８６ａがオンされると、所定電圧０（Ｖ）にクランプされる。
【００７９】
所定電圧Ｖｓは維持パルスのパルス尖頭電圧に対応し、所定電圧０（Ｖ）は維持パルスのパルス基準電圧に対応する。電圧クランプ部８５ａは、維持期間中の維持電極グループＵＧ１を、維持パルスのパルス尖頭電圧とパルス基準電圧とに交互にクランプすることにより、維持電極グループＵＧ１に維持パルスを印加する。電圧印加時における電圧クランプ部８５ａのインピーダンスは小さく、強い維持放電による大きな放電電流を安定して流すことができる。
【００８０】
このように、維持パルス発生回路８０ａは、タイミング信号Ｓ４５にもとづいてスイッチング素子Ｑ８１ａ、Ｑ８２ａ、Ｑ８５ａ、Ｑ８６ａが制御されることによって維持パルスを発生し、電極経路ＲＧ１を介して維持電極グループＵＧ１に維持パルスを印加する。さらに、維持パルス発生回路８０ａは、電圧選択回路１００からの所定電圧Ｖｅ１を、高電圧側経路Ｒ３Ｈにおいて受け、電極経路ＲＧ１を介して維持電極グループＵＧ１に所定電圧Ｖｅ１を印加する。
【００８１】
維持パルス発生回路８０ｂの動作についても、維持パルス発生回路８０ａの動作と同様である。すなわち、維持パルス発生回路８０ｂは、パルス尖頭電圧およびパルス基準電圧を繰り返し発生することにより維持パルスを発生し、電極経路ＲＧ２を介して維持電極グループＵＧ２に印加する。さらに、維持パルス発生回路８０ｂは、電圧選択回路１００からの所定電圧Ｖｅ１を、高電圧側経路Ｒ３Ｈにおいて受け、電極経路ＲＧ２を介して維持電極グループＵＧ２に印加する。
【００８２】
所定電圧印加回路９０ａは、電源経路Ｒ２、スイッチング素子Ｑ９１ａ、およびスイッチング素子Ｑ９２ａを有する。所定電圧源Ｅ２は所定電圧Ｖｅ２を発生し、電源経路Ｒ２は所定電圧Ｖｅ２を受ける。スイッチング素子Ｑ９１ａとスイッチング素子Ｑ９２ａとは、制御される電流の順方向（すなわち、ドレインからソースへまたはコレクタからエミッタへ流れる順方向の電流方向）が互いに逆になるように、直列接続された双方向のスイッチを形成している。このスイッチング素子Ｑ９１ａとスイッチング素子Ｑ９２ａとの直列接続回路は、電源経路Ｒ２と電極経路ＲＧ１との間に接続される。所定電圧印加回路９０ａは、スイッチング素子Ｑ９１ａおよびスイッチング素子Ｑ９２ａが同時にオン状態の場合にオン状態となり、同時にオフ状態の場合にオフ状態となる。所定電圧印加回路９０ａは、オンされることにより、所定電圧Ｖｅ２を、電極経路ＲＧ１を介して維持電極グループＵＧ１に印加する。所定電圧印加回路９０ａは、オフされることにより、電源経路Ｒ２と維持電極グループＵＧ１とを電気的に遮断する。このように所定電圧印加回路９０ａは、タイミング信号Ｓ４５にもとづいて制御されることによって、所定電圧Ｖｅ２を、電極経路ＲＧ１を介して維持電極グループＵＧ１に印加する。
【００８３】
同様に、所定電圧印加回路９０ｂは、電源経路Ｒ２、スイッチング素子Ｑ９１ｂ、およびスイッチング素子Ｑ９２ｂを有する。スイッチング素子Ｑ９１ｂとスイッチング素子Ｑ９２ｂとは、制御される電流の順方向が互いに逆になるように、直列接続された双方向のスイッチを形成している。このスイッチング素子Ｑ９１ｂとスイッチング素子Ｑ９２ｂとの直列接続回路は、電源経路Ｒ２と電極経路ＲＧ２との間に接続される。所定電圧印加回路９０ｂは、スイッチング素子Ｑ９１ｂおよびスイッチング素子Ｑ９２ｂが同時にオン状態の場合にオン状態となり、同時にオフ状態の場合にオフ状態となる。所定電圧印加回路９０ｂは、オンされることにより、所定電圧Ｖｅ２を、電極経路ＲＧ２を介して維持電極グループＵＧ２に印加する。所定電圧印加回路９０ｂは、オフされることにより、電源経路Ｒ２と維持電極グループＵＧ２とを電気的に遮断する。このように所定電圧印加回路９０ｂは、タイミング信号Ｓ４５にもとづいて制御されることによって、所定電圧Ｖｅ２を、電極経路ＲＧ２を介して維持電極グループＵＧ２に印加する。
【００８４】
なお、電圧選択回路１００および所定電圧印加回路９０ａ、９０ｂを構成するスイッチング素子も、ＭＯＳＦＥＴやＩＧＢＴ等のトランジスタ素子を用いて構成することができる。図７には、ＭＯＳＦＥＴを用いた回路構成を示した。しかしスイッチング素子としてＩＧＢＴを用いる場合には、制御される電流の順方向（すなわち、コレクタからエミッタへ流れる順方向の電流方向）とは逆の方向の電流経路を設けてＩＧＢＴの逆耐圧特性を確保する必要がある。そのために、ＩＧＢＴに並列にダイオードを接続することが望ましい。なお図７にはそれぞれのＭＯＳＦＥＴのボディーダイオードを明記した。
【００８５】
なお、スイッチング素子Ｑ９１ａ、Ｑ９１ｂは、所定電圧源Ｅ２から、それぞれ維持電極グループＵＧ１、ＵＧ２に向かってのみ電流を流す場合には、ダイオードで置き換えることができる。
【００８６】
図８は、プラズマディスプレイパネルの駆動回路４６における維持電極駆動回路４４の動作を示す波形図である。図８の上半部は、維持電極グループＵＧ１および維持電極グループＵＧ２に印加する駆動電圧波形を示している。図８の下半部は、スイッチング素子Ｑ８５ａ、Ｑ８６ａ、Ｑ８５ｂ、およびＱ８６ｂ、所定電圧印加回路９０ａおよび９０ｂ、ならびにスイッチング素子Ｑ１０１およびＱ１０２が、タイミング信号Ｓ４５にもとづいてオン／オフされる状態を示している。図８、ならびに後述する図１３および図１５では、オン状態がＯＮ、オフ状態がＯＦＦのように示される。
【００８７】
初期化期間Ｔｉｎにおいて維持電極グループＵＧ１、ＵＧ２に所定電圧０（Ｖ）を印加するには、スイッチング素子Ｑ８６ａをオンにして、維持電極グループＵＧ１を接地する。同時にスイッチング素子Ｑ８６ｂをオンにして、維持電極グループＵＧ２を接地する。
【００８８】
次に維持電極グループＵＧ１、ＵＧ２に所定電圧Ｖｅ１を印加するには、スイッチング素子Ｑ８６ａ、Ｑ８６ｂをオフにする。そしてスイッチング素子Ｑ１０２をオンにして、維持パルス発生回路８０ａ、８０ｂに所定電圧Ｖｅ１を供給する。さらにスイッチング素子Ｑ８５ａをオンにして、維持電極グループＵＧ１を所定電圧Ｖｅ１にクランプする。同時にスイッチング素子Ｑ８５ｂをオンにして、維持電極グループＵＧ２を所定電圧Ｖｅ１にクランプする。
【００８９】
続く維持電極グループＵＧ１におけるサブフィールドＳＦ１の書き込み期間Ｔｗ１において、スイッチング素子Ｑ８５ａをオフにするとともに所定電圧印加回路９０ａをオンにして、維持電極グループＵＧ１に所定電圧Ｖｅ２を印加する。同時に、スイッチング素子Ｑ８５ｂをオフにするとともに所定電圧印加回路９０ｂをオンにして、維持電極グループＵＧ２にも所定電圧Ｖｅ２を印加する。
【００９０】
続く維持電極グループＵＧ１におけるサブフィールドＳＦ１の維持期間Ｔｓ１において、スイッチング素子Ｑ１０１をオンにして維持パルス発生回路８０ａ、８０ｂに所定電圧Ｖｓを供給する。そして所定電圧印加回路９０ａをオフにするとともに、維持パルス発生回路８０ａで発生させた維持パルスを維持電極グループＵＧ１に印加する。
【００９１】
維持パルス発生回路８０ａで維持パルスを発生させるには、スイッチング素子Ｑ８１ａ、Ｑ８５ａ、Ｑ８６ａをオフにした後、スイッチング素子Ｑ８２ａをオンにして、ＬＣ共振により維持電極グループＵＧ１の電圧を所定電圧０（Ｖ）付近まで低下させる。その後スイッチング素子Ｑ８６ａをオンにして、維持電極グループＵＧ１を所定電圧０（Ｖ）にクランプする。次に、スイッチング素子Ｑ８２ａ、Ｑ８６ａをオフにした後、スイッチング素子Ｑ８１ａをオンにして、ＬＣ共振により維持電極グループＵＧ１の電圧を所定電圧Ｖｓ付近まで上昇させる。その後、スイッチング素子Ｑ８５ａをオンにして、維持電極グループＵＧ１を所定電圧Ｖｓにクランプする。以上の動作を繰り返すことにより、維持パルス発生回路８０ａは維持パルスを発生させることができる。
【００９２】
この間、維持電極グループＵＧ２はサブフィールドＳＦ１の書き込み期間Ｔｗ１の状態にあるので、維持電極グループＵＧ２に所定電圧Ｖｅ２を継続して印加する。
【００９３】
続く維持電極グループＵＧ１におけるサブフィールドＳＦ１の消去期間Ｔｅにおいて、スイッチング素子Ｑ８１ａ、Ｑ８２ａ、Ｑ８５ａ、Ｑ８６ａをオフにした後、所定電圧印加回路９０ａをオンにして、維持電極グループＵＧ１に所定電圧Ｖｅ２を印加する。その後、維持電極グループＵＧ１におけるサブフィールドＳＦ２の書き込み期間Ｔｗ１において、各スイッチング素子のオンオフ状態を継続する。
【００９４】
維持電極グループＵＧ１におけるサブフィールドＳＦ２の書き込み期間Ｔｗ１では、維持電極グループＵＧ２はサブフィールドＳＦ１の維持期間Ｔｓ１の状態にあるので、所定電圧印加回路９０ｂをオフにするとともに、維持パルス発生回路８０ｂで発生させた維持パルスを、維持電極グループＵＧ２に印加する。
【００９５】
以下同様に、書き込み期間Ｔｗ１となる維持電極グループに属する維持電極には、対応する維持パルス発生回路のスイッチング素子をオフとするとともに、対応する所定電圧印加回路をオンとして所定電圧Ｖｅ２を印加する。そして維持期間となる維持電極グループに属する維持電極には、対応する所定電圧印加回路をオフとするとともに、対応する維持パルス発生回路のスイッチング素子を制御して維持パルスを印加する。
【００９６】
以上の動作を繰り返すことにより、図８に示した駆動電圧波形を各維持電極グループＵＧ１、ＵＧ２に属する維持電極に印加することができる。
【００９７】
このように、実施の形態１における維持電極駆動回路４４は、所定電圧Ｖｓおよび所定電圧Ｖｅ１から１つの所定電圧を選択して、２つの維持パルス発生回路８０ａ、８０ｂのそれぞれに供給する電圧選択回路１００を備えている。この回路構成により、表示電極対グループ数と同数の維持電極駆動回路を設けた場合に比べて、スイッチング素子の数を少なくすることができ、簡素な維持電極駆動回路を実現している。実際、表示電極対グループの数と同数の維持電極駆動回路を設けたと仮定すると、それぞれの維持電極駆動回路に対して所定電圧Ｖｅ１を供給するためにスイッチング素子が２つずつ、合計４つのスイッチング素子が必要となる。しかしながら実施の形態１によれば、電圧選択回路１００を構成する２つのスイッチング素子Ｑ１０１、Ｑ１０２を追加することで、上述した４つのスイッチング素子をなくすことができるので、スイッチング素子を２つ減らすことができる。
【００９８】
なお、実施の形態１においては２１６０対の表示電極対を上下に２分割して２つの表示電極対グループに分けた場合について説明した。しかし本発明はこれに限定するものではなく、表示電極対を３つ以上の表示電極対グループに分けた場合であっても適用することができる。また表示電極対グループの数が多くなるほどスイッチング素子の削減効果は大きくなる。以下に、表示電極対を４つの表示電極対グループに分けた例について説明する。
【００９９】
（実施の形態２）
実施の形態２では、実施の形態１と異なる点を中心に説明する。実施の形態２におけるその他の構成、動作、および効果は、実施の形態１と同等であるので、説明を省略する。
【０１００】
図９は、プラズマディスプレイ装置４０のパネル１０の電極配列図である。実施の形態２においては、パネルを上下方向に４分割して４つの表示電極対グループに分けている。パネルの上部に位置する表示電極対から順に、表示電極対グループＤＧ１１、表示電極対グループＤＧ１２、表示電極対グループＤＧ２１、表示電極対グループＤＧ２２とする。また、５４０本の走査電極ＳＣ１〜ＳＣ５４０を走査電極グループＳＧ１１とし、５４０本の維持電極ＳＵ１〜ＳＵ５４０を維持電極グループＵＧ１１とする。さらに、５４０本の走査電極ＳＣ５４１〜ＳＣ１０８０を走査電極グループＳＧ１２とし、５４０本の維持電極ＳＵ５４１〜ＳＵ１０８０を維持電極グループＵＧ１２とする。さらに、５４０本の走査電極ＳＣ１０８１〜ＳＣ１６２０を走査電極グループＳＧ２１とし、５４０本の維持電極ＳＵ１０８１〜ＳＵ１６２０を維持電極グループＵＧ２１とする。さらに、５４０本の走査電極ＳＣ１６２１〜ＳＣ２１６０を走査電極グループＳＧ２２とし、５４０本の維持電極ＳＵ１６２１〜ＳＵ２１６０を維持電極グループＵＧ２２とする。すなわち、走査電極グループＳＧ１１および維持電極グループＵＧ１１が表示電極対グループＤＧ１１に属し、走査電極グループＳＧ１２および維持電極グループＵＧ１２が表示電極対グループＤＧ１２に属している。さらに、走査電極グループＳＧ２１および維持電極グループＵＧ２１が表示電極対グループＤＧ２１に属し、走査電極グループＳＧ２２および維持電極グループＵＧ２２が表示電極対グループＤＧ２２に属している。
【０１０１】
図１０は、プラズマディスプレイ装置４０のサブフィールド構成を示すタイミング図である。図１０の縦軸は走査電極ＳＣ１〜ＳＣ２１６０を示し、横軸は時間ｔを示している。また、書き込み動作を行うタイミングを表す書き込みタイミングｔＷは、太い実線で示している。維持期間のタイミングを表す維持期間タイミングｔＳは、細いハッチングで示している。消去期間のタイミングを表す消去期間タイミングｔＥは、太いハッチングで示している。このように、表示電極対グループの数を増やすことで、図３の場合に比べて維持期間Ｔｓ１、・・・を長くすることができる。その結果、表示電極対に印加する維持パルス数を増やすことができ、パネルの発光輝度を高めることができる。
【０１０２】
また図１０では、消去期間Ｔｅを次のサブフィールドの書き込み期間の直前に設けている。そして、初期化期間Ｔｉｎおよびそれぞれの消去期間Ｔｅを除くフィールド期間Ｔｆにおいて、いずれかの表示電極対グループで連続して書き込み動作を行うように駆動している。加えて、維持期間が消去期間Ｔｅの直前で終了するように、維持期間と書き込み期間との間に放電を発生させない消去期間を設けている。このように維持期間の直後に消去期間を設けることで、維持放電で発生したプライミングを利用して消去放電を行うことができ、安定した消去動作を行うことができる。
【０１０３】
なお実施の形態２においても、１フィールド期間Ｔｆを１６．７ｍｓ、初期化期間Ｔｉｎを５００μｓ、１走査電極１本あたりの書き込み動作に要する期間を０．７μｓとした。したがって、すべての走査電極ＳＣ１〜ＳＣ２１６０で書き込み動作を１回行うために必要な期間を表す全書き込み期間Ｔｗは１５１２μｓであり、最大で１０サブフィールドを確保できる。ただし実施の形態２においては、各サブフィールドにおいてそれぞれ「１１０」、「８１」、「５５」、「３３」、「２０」、「１１」、「６」、「４」、「２」、「１」の個数の維持パルスを印加するものとした。これらの維持パルスの個数は、実施の形態１の場合に比べて、平均して２倍弱となっている。維持パルス周期を１０μｓとすると、維持パルスを印加するために要する最大の時間Ｔｓ１は、１０×１１０＝１１００μｓである。
【０１０４】
したがって、式２は、
Ｎ≧Ｔｗ／（Ｔｗ−Ｔｓ１）＝３．６７              （７）
となる。表示電極対グループ数Ｎは、式７を満たす最小の整数であるので、４となる。このように、表示電極対を４つの表示電極対グループに分けることにより、２つの表示電極対グループの場合よりも維持パルスの個数を平均して２倍弱に増加させることができ、パネルの発光輝度を高めることができる。
【０１０５】
図１１は、プラズマディスプレイパネルの駆動回路４６における維持電極駆動回路１４４の回路図である。維持電極駆動回路１４４は、４つの維持パルス発生回路１８０ａ、１８０ｂ、１８０ｃ、および１８０ｄ、４つの所定電圧印加回路１９０ａ、１９０ｂ、１９０ｃ、および１９０ｄ、１つの電圧選択回路１００、ならびに４つの電極経路ＲＧ１１、ＲＧ１２、ＲＧ２１、およびＲＧ２２を備えている。維持電極駆動回路１４４は、電極経路ＲＧ１１を介して維持電極グループＵＧ１１と接続され、電極経路ＲＧ１２を介して維持電極グループＵＧ１２と接続され、電極経路ＲＧ２１を介して維持電極グループＵＧ２１と接続され、電極経路ＲＧ２２を介して維持電極グループＵＧ２２と接続される。電極経路ＲＧ１１は、維持電極駆動回路１４４において、維持電極グループＵＧ１１への出力経路または維持電極グループＵＧ１１からの入力経路を表す。電極経路ＲＧ１２は、維持電極駆動回路１４４において、維持電極グループＵＧ１２への出力経路または維持電極グループＵＧ１２からの入力経路を表す。電極経路ＲＧ２１は、維持電極駆動回路１４４において、維持電極グループＵＧ２１への出力経路または維持電極グループＵＧ２１からの入力経路を表す。電極経路ＲＧ２２は、維持電極駆動回路１４４において、維持電極グループＵＧ２２への出力経路または維持電極グループＵＧ２２からの入力経路を表す。
【０１０６】
電圧選択回路１００は、実施の形態１における電圧選択回路１００と同様な構成になっており、同様に動作する。すなわち、電圧選択回路１００は、所定電圧Ｖｓ、Ｖｅ１のうちいずれか１つの所定電圧を選択し、選択された所定電圧を高電圧側経路Ｒ３Ｈに供給する。
【０１０７】
各維持パルス発生回路１８０ａ、１８０ｂ、１８０ｃ、１８０ｄは、実施の形態１における維持パルス発生回路８０ａと同様な構成になっており、同様に動作する。すなわち、維持パルス発生回路１８０ａ、１８０ｂ、１８０ｃ、１８０ｄは、パルス尖頭電圧およびパルス基準電圧を繰り返し発生することにより維持パルスを発生し、それぞれ維持電極グループＵＧ１１、ＵＧ１２、ＵＧ２１、ＵＧ２２に印加する。さらに、維持パルス発生回路１８０ａ、１８０ｂ、１８０ｃ、１８０ｄは、電圧選択回路１００からの所定電圧Ｖｅ１を、高電圧側経路Ｒ３Ｈにおいて受け、それぞれ維持電極グループＵＧ１１、ＵＧ１２、ＵＧ２１、ＵＧ２２に印加する。
【０１０８】
各所定電圧印加回路１９０ａ、１９０ｂ、１９０ｃ、１９０ｄは、実施の形態１における所定電圧印加回路９０ａと同様な構成になっており、同様に動作する。すなわち、所定電圧印加回路１９０ａ、１９０ｂ、１９０ｃ、１９０ｄは、オンされることにより、所定電圧Ｖｅ２を、それぞれ維持電極グループＵＧ１１、ＵＧ１２、ＵＧ２１、ＵＧ２２に印加する。所定電圧印加回路１９０ａ、１９０ｂ、１９０ｃ、１９０ｄは、オフされることにより、電源経路Ｒ２と維持電極グループＵＧ１１、ＵＧ１２、ＵＧ２１、ＵＧ２２とをそれぞれ電気的に遮断する。
【０１０９】
なお、所定電圧印加回路１９０ａ、１９０ｂ、１９０ｃ、１９０ｄは、所定電圧源Ｅ２から、それぞれ維持電極グループＵＧ１１、ＵＧ１２、ＵＧ２１、ＵＧ２２に向かってのみ電流を流す場合には、スイッチング素子の一方をダイオードで置き換えることができる。
【０１１０】
このように、実施の形態２における維持電極駆動回路１４４は、所定電圧Ｖｓおよび所定電圧Ｖｅ１から１つの所定電圧を選択して、４つの維持パルス発生回路１８０ａ、１８０ｂ、１８０ｃ、１８０ｄのそれぞれに供給する電圧選択回路１００を備えている。この回路構成により、表示電極対グループ数と同数の維持電極駆動回路を設けた場合に比べて、スイッチング素子の数を少なくすることができ、簡素な維持電極駆動回路を実現している。実際、表示電極対グループ数と同数の維持電極駆動回路を設けたと仮定すると、それぞれの維持電極駆動回路に対して所定電圧Ｖｅ１を供給するためにスイッチング素子が２つずつ、合計８つのスイッチング素子が必要となる。しかしながら実施の形態２によれば、電圧選択回路１００を構成する２つのスイッチング素子Ｑ１０１、Ｑ１０２を追加することで、上述した８つのスイッチング素子をなくすことができるので、スイッチング素子を６つ減らすことができる。
【０１１１】
なお実施の形態１、２の維持電極駆動回路においては、電圧選択回路１００は、維持パルス発生回路の高電圧側経路Ｒ３Ｈに所定電圧Ｖｓまたは所定電圧Ｖｅ１を供給する回路構成であるとした。しかし本発明はこの構成に限定されるものではない。以下に、維持パルス発生回路の低電圧側経路Ｒ３Ｌに所定電圧０（Ｖ）または所定電圧Ｖｅ１を供給する電圧選択回路を備えた維持電極駆動回路について説明する。
【０１１２】
（実施の形態３）
実施の形態３においては、実施の形態１と同様に、パネルを上下方向に２分割して２つの表示電極対グループＤＧ１、ＤＧ２に分けている。走査電極ＳＣ１〜ＳＣ１０８０（すなわち、走査電極グループＳＧ１）および維持電極ＳＵ１〜ＳＵ１０８０（すなわち、維持電極グループＵＧ１）が表示電極対グループＤＧ１に属し、走査電極ＳＣ１０８１〜ＳＣ２１６０（すなわち、走査電極グループＳＧ２）および維持電極ＳＵ１０８１〜ＳＵ２１６０（すなわち、維持電極グループＵＧ２）が表示電極対グループＤＧ２に属するものとして説明する。
【０１１３】
図１２は、プラズマディスプレイパネルの駆動回路４６における維持電極駆動回路２４４の回路図である。維持電極駆動回路２４４は、２つの維持パルス発生回路８０ａおよび８０ｂ、２つの所定電圧印加回路９０ａおよび９０ｂ、１つの電圧選択回路２００、ならびに２つの電極経路ＲＧ１およびＲＧ２を備えている。図１２の維持電極駆動回路２４４が図７の維持電極駆動回路４４と異なる点は、電圧選択回路１００が電圧選択回路２００に変更されている点である。さらに、維持電極駆動回路４４では、高電圧側経路Ｒ３Ｈは電圧選択回路１００に接続され、低電圧側経路Ｒ３Ｌは接地されているのに対して、維持電極駆動回路２４４では、高電圧側経路Ｒ３Ｈは所定電圧源ＥＳからの所定電圧Ｖｓを受け、低電圧側経路Ｒ３Ｌは電圧選択回路２００に接続されている。その他の構成、動作、および効果は、実施の形態１および２と同等であるので、説明を省略する。
【０１１４】
電圧選択回路２００は、電源経路Ｒ１、スイッチング素子Ｑ２０１、およびスイッチング素子Ｑ２０２を有する。所定電圧源Ｅ１は所定電圧Ｖｅ１を発生し、電源経路Ｒ１は所定電圧Ｖｅ１を受ける。スイッチング素子Ｑ２０１は接地と維持パルス発生回路８０ａおよび８０ｂとの間に接続され、スイッチング素子Ｑ２０２は電源経路Ｒ１と維持パルス発生回路８０ａおよび８０ｂとの間に接続される。
【０１１５】
電圧選択回路２００は、複数の所定電圧のうちいずれか１つの所定電圧を選択し、選択された所定電圧を表す選択電圧Ｖ３を生成する。一例では、電圧選択回路２００は、所定電圧０（Ｖ）または所定電圧Ｖｅ１のうちいずれか一方を選択し、選択電圧Ｖ３を生成する。電圧選択回路２００は、スイッチング素子Ｑ２０１がオンされる場合、所定電圧０（Ｖ）を選択し、選択電圧Ｖ３を所定電圧０（Ｖ）とする。一方、電圧選択回路２００は、スイッチング素子Ｑ２０２がオンされる場合、所定電圧Ｖｅ１を選択し、選択電圧Ｖ３を所定電圧Ｖｅ１とする。
【０１１６】
電圧クランプ部８５ａでは、高電圧側経路Ｒ３Ｈは所定電圧源ＥＳに接続され、低電圧側経路Ｒ３Ｌは、電圧選択回路２００のスイッチング素子Ｑ２０１およびＱ２０２に接続される。高電圧側経路Ｒ３Ｈは所定電圧源ＥＳからの所定電圧Ｖｓを受け、低電圧側経路Ｒ３Ｌは選択電圧Ｖ３を受ける。維持電極グループＵＧ１は、スイッチング素子Ｑ８６ａがオンされると、低電圧側経路Ｒ３Ｌにおける選択電圧Ｖ３にクランプされる。維持電極グループＵＧ１は、選択電圧Ｖ３が所定電圧０（Ｖ）の場合、所定電圧０（Ｖ）にクランプされ、選択電圧Ｖ３が所定電圧Ｖｅ１の場合、所定電圧Ｖｅ１にクランプされる。維持電極グループＵＧ１は、スイッチング素子Ｑ８５ａがオンされると、所定電圧Ｖｓにクランプされる。
【０１１７】
所定電圧Ｖｓは維持パルスのパルス尖頭電圧に対応し、所定電圧０（Ｖ）は維持パルスのパルス基準電圧に対応する。電圧クランプ部８５ａは、維持パルスのパルス尖頭電圧またはパルス基準電圧を発生し、維持期間中の維持電極グループＵＧ１を、維持パルスのパルス尖頭電圧またはパルス基準電圧にそれぞれ設定する。このように、維持パルス発生回路８０ａは、パルス尖頭電圧およびパルス基準電圧を繰り返し発生することにより維持パルスを発生し、電極経路ＲＧ１を介して維持電極グループＵＧ１に印加する。さらに、維持パルス発生回路８０ａは、電圧選択回路２００からの所定電圧Ｖｅ１を、低電圧側経路Ｒ３Ｌにおいて受け、電極経路ＲＧ１を介して維持電極グループＵＧ１に印加する。
【０１１８】
電圧クランプ部８５ｂについても、電圧クランプ部８５ａと同様に動作する。
【０１１９】
図１３は、プラズマディスプレイパネルの駆動回路４６における維持電極駆動回路２４４の動作を示す波形図である。図１３の上半部は、維持電極グループＵＧ１および維持電極グループＵＧ２に印加する駆動電圧波形を示している。図１３の下半部は、スイッチング素子Ｑ８５ａ、Ｑ８６ａ、Ｑ８５ｂ、およびＱ８６ｂ、所定電圧印加回路９０ａおよび９０ｂ、ならびにスイッチング素子Ｑ２０１およびＱ２０２が、タイミング信号Ｓ４５にもとづいてオン／オフされる状態を示している。
【０１２０】
初期化期間Ｔｉｎにおいて維持電極グループＵＧ１、ＵＧ２に所定電圧０（Ｖ）を印加するには、スイッチング素子Ｑ２０１をオンにする。そしてスイッチング素子Ｑ８６ａをオンにして、維持電極グループＵＧ１を接地するとともに、スイッチング素子Ｑ８６ｂをオンにして維持電極グループＵＧ２を接地する。
【０１２１】
次に維持電極グループＵＧ１、ＵＧ２に所定電圧Ｖｅ１を印加するには、スイッチング素子Ｑ２０１をオフにし、スイッチング素子Ｑ２０２をオンにする。これによりスイッチング素子Ｑ２０２、Ｑ８６ａを介して維持電極グループＵＧ１に所定電圧Ｖｅ１が印加され、スイッチング素子Ｑ２０２、Ｑ８６ｂを介して維持電極グループＵＧ２に所定電圧Ｖｅ１が印加される。
【０１２２】
続く維持電極グループＵＧ１におけるサブフィールドＳＦ１の書き込み期間Ｔｗ１において、スイッチング素子Ｑ８６ａをオフにするとともに所定電圧印加回路９０ａをオンにして、維持電極グループＵＧ１に所定電圧Ｖｅ２を印加する。同時に、スイッチング素子Ｑ８６ｂをオフにするとともに所定電圧印加回路９０ｂをオンにして、維持電極グループＵＧ２にも所定電圧Ｖｅ２を印加する。
【０１２３】
続く維持電極グループＵＧ１におけるサブフィールドＳＦ１の維持期間Ｔｓ１において、スイッチング素子Ｑ２０１をオンにして維持パルス発生回路８０ａ、８０ｂに所定電圧０（Ｖ）を供給する。そして所定電圧印加回路９０ａをオフにするとともに維持パルス発生回路８０ａで発生させた維持パルスを維持電極グループＵＧ１に印加する。
【０１２４】
この間、維持電極グループＵＧ２はサブフィールドＳＦ１の書き込み期間Ｔｗ１の状態にあるので、維持電極グループＵＧ２に所定電圧Ｖｅ２を継続して印加する。
【０１２５】
続く維持電極グループＵＧ１におけるサブフィールドＳＦ１の消去期間Ｔｅにおいて、スイッチング素子Ｑ８１ａ、Ｑ８２ａ、Ｑ８５ａ、Ｑ８６ａをオフにした後、所定電圧印加回路９０ａをオンにして、維持電極グループＵＧ１に所定電圧Ｖｅ２を印加する。その後、維持電極グループＵＧ１におけるサブフィールドＳＦ２の書き込み期間Ｔｗ１において、継続して維持電極グループＵＧ１に所定電圧Ｖｅ２を印加する。
【０１２６】
維持電極グループＵＧ１におけるサブフィールドＳＦ２の書き込み期間Ｔｗ１では、維持電極グループＵＧ２はサブフィールドＳＦ１の維持期間Ｔｓ１の状態にあるので、所定電圧印加回路９０ｂをオフにするとともに維持パルス発生回路８０ｂで発生させた維持パルスを、維持電極グループＵＧ２に印加する。
【０１２７】
以下同様に、書き込み期間Ｔｗ１となる維持電極グループに属する維持電極には、対応する維持パルス発生回路のスイッチング素子をオフとするとともに、対応する所定電圧印加回路をオンとして所定電圧Ｖｅ２を印加する。そして維持期間となる維持電極グループに属する維持電極には、対応する所定電圧印加回路をオフとするとともに、対応する維持パルス発生回路のスイッチング素子を制御して維持パルスを印加する。
【０１２８】
以上の動作を繰り返すことにより、図１３に示した駆動電圧波形を各維持電極グループＵＧ１、ＵＧ２に属する維持電極に印加することができる。
【０１２９】
このように、実施の形態３における維持電極駆動回路２４４は、所定電圧０（Ｖ）および所定電圧Ｖｅ１から１つの所定電圧を選択して、２つの維持パルス発生回路８０ａ、８０ｂのそれぞれに供給する電圧選択回路２００を備えている。この回路構成により、実施の形態１における維持電極駆動回路４４と同様に、スイッチング素子を２つ減らすことができる。
【０１３０】
（実施の形態４）
実施の形態４では、実施の形態１〜３と異なる点を中心に説明する。実施の形態４におけるその他の構成、動作、および効果は、実施の形態１〜３と同等であるので、説明を省略する。
【０１３１】
図１４は、プラズマディスプレイパネルの駆動回路４６ａの回路図である。プラズマディスプレイパネルの駆動回路４６ａは、走査電極駆動回路４３ｃ、走査電極駆動回路４３ｄ、維持電極駆動回路３４４、バック経路ＲＢ１、およびバック経路ＲＢ２を備えている。プラズマディスプレイパネルの駆動回路４６ａは、さらに、図５において上述したプラズマディスプレイパネルの駆動回路４６と同様な回路を備えている。すなわち、プラズマディスプレイパネルの駆動回路４６ａは、画像信号処理回路４１、データ電極駆動回路４２、タイミング発生回路４５、および各回路ブロックに必要な電源を供給する電源回路を備えている。しかし図１４では、これらの回路は、図示の簡単化のため省略されている。走査電極駆動回路４３ｃは走査電極駆動回路４３ａから変更され、走査電極駆動回路４３ｄは走査電極駆動回路４３ｂから変更され、維持電極駆動回路３４４は維持電極駆動回路４４から変更されている（図５、図６、および図７を参照）。
【０１３２】
走査電極駆動回路４３ｃは、維持パルス発生回路１５０ａ、初期化波形発生回路６０ａ、および走査パルス発生回路７０ａを備えている。維持パルス発生回路１５０ａは、電圧クランプ部５５ａおよび電力回収部１５１ａを備えている。初期化波形発生回路６０ａ、走査パルス発生回路７０ａ、および電圧クランプ部５５ａは、図６において上述した通りである。すなわち、走査電極駆動回路４３ｃが走査電極駆動回路４３ａと異なる点は、電力回収部１５１ａが電力回収部５１ａと異なる点である。さらに、電力回収部１５１ａが電力回収部５１ａと異なる点は、電力回収用のコンデンサＣ５１ａが削除されている点、および削除されたコンデンサＣ５１ａが接続されていた接続点ＰＣ１に、バック経路ＲＢ１が接続されている点である。
【０１３３】
走査電極駆動回路４３ｄは、走査電極駆動回路４３ｃと同様に、維持パルス発生回路１５０ｂ、初期化波形発生回路６０ｂ、および走査パルス発生回路７０ｂを備えている。維持パルス発生回路１５０ｂは、電圧クランプ部５５ｂおよび電力回収部１５１ｂを備えている。維持パルス発生回路１５０ｂ、初期化波形発生回路６０ｂ、および走査パルス発生回路７０ｂは、それぞれ維持パルス発生回路１５０ａ、初期化波形発生回路６０ａ、および走査パルス発生回路７０ａと同様に構成される。電力回収部１５１ｂは、電力回収部１５１ａと同様に構成され、電力回収用のコンデンサを含まず、接続点ＰＣ１に対応する接続点ＰＣ２に、バック経路ＲＢ２が接続されている。
【０１３４】
維持電極駆動回路３４４は、維持パルス発生回路２８０ａおよび２８０ｂ、所定電圧印加回路９０ａおよび９０ｂ、電圧選択回路１００、電極経路ＲＧ１、ならびに電極経路ＲＧ２を備えている。維持電極駆動回路３４４が維持電極駆動回路４４と異なる点は、維持パルス発生回路２８０ａ、２８０ｂがそれぞれ維持パルス発生回路８０ａ、８０ｂ（図７および図１２を参照）から変更されている点である。さらに、維持パルス発生回路２８０ａが維持パルス発生回路８０ａと異なる点は、電力回収部８１ａが削除されている点、および削除された電力回収部８１ａが接続されていた接続点ＰＵ１に、バック経路ＲＢ１が接続されている点である。同様に、維持パルス発生回路２８０ｂが維持パルス発生回路８０ｂと異なる点は、電力回収部８１ｂが削除されている点、および削除された電力回収部８１ｂが接続されていた接続点ＰＵ２に、バック経路ＲＢ２が接続されている点である。
【０１３５】
このように、プラズマディスプレイパネルの駆動回路４６ａがプラズマディスプレイパネルの駆動回路４６と異なる点は、３点である。１点目は、走査電極駆動回路４３ｃでは、走査電極駆動回路４３ａの電力回収用のコンデンサＣ５１ａが削除され、走査電極駆動回路４３ｄでは、走査電極駆動回路４３ｃの場合と同様に、走査電極駆動回路４３ｂの電力回収用のコンデンサが削除されている点である。２点目は、維持電極駆動回路３４４では、維持電極駆動回路４４の電力回収部８１ａ、８１ｂが削除されている点である。３点目は、接続点ＰＣ１、ＰＵ１が、共通にバック経路ＲＢ１に接続され、接続点ＰＣ２、ＰＵ２が、共通にバック経路ＲＢ２に接続されている点である。以下では、これらの異なる点に関して、構成、動作、および効果を説明する。
【０１３６】
走査電極駆動回路４３ｃにおいて、電力回収部１５１ａは、スイッチング素子Ｑ５１ａおよびＱ５２ａ、逆流防止用のダイオードＤ５１ａおよびＤ５２ａ、ならびに共振用のインダクタＬ５１ａを有する。電圧クランプ部５５ａは、スイッチング素子Ｑ５５ａおよびＱ５６ａを有する。スイッチング素子Ｑ５１ａの一端およびスイッチング素子Ｑ５２ａの一端は、接続点ＰＣ１を介してバック経路ＲＢ１に共通に接続される。スイッチング素子Ｑ５１ａの他端はダイオードＤ５１ａのアノードに接続され、スイッチング素子Ｑ５２ａの他端はダイオードＤ５２ａのカソードに接続される。ダイオードＤ５１ａのカソードおよびダイオードＤ５２ａのアノードは、共通にインダクタＬ５１ａの一端に接続される。インダクタＬ５１ａの他端は、電圧クランプ部５５ａにおけるスイッチング素子Ｑ５５ａとスイッチング素子Ｑ５６ａとの接続点に接続される。
【０１３７】
走査電極駆動回路４３ｄにおいて、電力回収部１５１ｂは、スイッチング素子Ｑ５１ｂおよびＱ５２ｂ、逆流防止用のダイオードＤ５１ｂおよびＤ５２ｂ、ならびに共振用のインダクタＬ５１ｂを有する。電圧クランプ部５５ｂは、スイッチング素子Ｑ５５ｂおよびＱ５６ｂを有する。スイッチング素子Ｑ５１ｂの一端およびスイッチング素子Ｑ５２ｂの一端は、接続点ＰＣ２を介してバック経路ＲＢ２に共通に接続される。スイッチング素子Ｑ５１ｂの他端はダイオードＤ５１ｂのアノードに接続され、スイッチング素子Ｑ５２ｂの他端はダイオードＤ５２ｂのカソードに接続される。ダイオードＤ５１ｂのカソードおよびダイオードＤ５２ｂのアノードは、共通にインダクタＬ５１ｂの一端に接続される。インダクタＬ５１ｂの他端は、電圧クランプ部５５ｂにおけるスイッチング素子Ｑ５５ｂとスイッチング素子Ｑ５６ｂとの接続点に接続される。
【０１３８】
電力回収部１５１ａは、タイミング信号Ｓ４５にもとづいてスイッチング素子Ｑ５１ａ、Ｑ５２ａが制御されることによって、ＬＣ共振させる。すなわち、電力回収部１５１ａは、表示電極対グループＤＧ１を構成する走査電極グループＳＧ１と維持電極グループＵＧ１との間の１０８０個の電極間容量と、インダクタＬ５１ａとをＬＣ共振させて、維持パルスの立ち上がりおよび立ち下がりを行う。電力回収部１５１ａは、走査電極グループＳＧ１における維持パルスの立ち上がり時には、維持電極グループＵＧ１における電荷（または電力）を、所定の走査電極供給経路を介して走査電極グループＳＧ１に供給する。所定の走査電極供給経路は、電極経路ＲＧ１、接続点ＰＵ１、バック経路ＲＢ１、接続点ＰＣ１、スイッチング素子Ｑ５１ａ、ダイオードＤ５１ａ、インダクタＬ５１ａ、初期化波形発生回路６０ａ、および走査パルス発生回路７０ａを介する経路である。一方、電力回収部１５１ａは、走査電極グループＳＧ１における維持パルスの立ち下がり時には、走査電極グループＳＧ１における電荷（または電力）を、所定の走査電極回収経路を介して維持電極グループＵＧ１に回収する。所定の走査電極回収経路は、走査パルス発生回路７０ａ、初期化波形発生回路６０ａ、インダクタＬ５１ａ、ダイオードＤ５２ａ、スイッチング素子Ｑ５２ａ、接続点ＰＣ１、バック経路ＲＢ１、接続点ＰＵ１、および電極経路ＲＧ１を介する経路である。
【０１３９】
このように、電力回収部１５１ａは、維持電極グループＵＧ１から電荷（または電力）を回収するとともに、回収した電荷（または電力）をそのまま走査電極グループＳＧ１に供給する。これにより、電力回収部１５１ａは、維持電極グループＵＧ１における維持パルスの立ち下がり、および走査電極グループＳＧ１における維持パルスの立ち上がりを、時間的に並行して行う。さらに電力回収部１５１ａは、走査電極グループＳＧ１から電荷（または電力）を回収するとともに、回収した電荷（または電力）をそのまま維持電極グループＵＧ１に供給する。これにより、電力回収部１５１ａは、走査電極グループＳＧ１における維持パルスの立ち下がり、および維持電極グループＵＧ１における維持パルスの立ち上がりを、時間的に並行して行う。
【０１４０】
電力回収部１５１ｂは、電力回収部１５１ａと同様に動作する。すなわち電力回収部１５１ａは、維持電極グループＵＧ２から電荷（または電力）を回収するとともに、回収した電荷（または電力）をそのまま走査電極グループＳＧ２に供給する。これにより、電力回収部１５１ｂは、維持電極グループＵＧ２における維持パルスの立ち下がり、および走査電極グループＳＧ２における維持パルスの立ち上がりを、時間的に並行して行う。さらに電力回収部１５１ｂは、走査電極グループＳＧ２から電荷（または電力）を回収するとともに、回収した電荷（または電力）をそのまま維持電極グループＵＧ２に供給する。これにより、電力回収部１５１ｂは、走査電極グループＳＧ２における維持パルスの立ち下がり、および維持電極グループＵＧ２における維持パルスの立ち上がりを、時間的に並行して行う。
【０１４１】
図１５は、プラズマディスプレイパネルの駆動回路４６ａの動作を示す波形図である。図１５の上半部は、表示電極対グループＤＧ１に属する走査電極グループＳＧ１および維持電極グループＵＧ１の駆動電圧波形、ならびに表示電極対グループＤＧ２に属する走査電極グループＳＧ２および維持電極グループＵＧ２の駆動電圧波形を示している。図１５の下半部は、各スイッチング素子Ｑ５１ａ、Ｑ５２ａ、Ｑ５５ａ、Ｑ５６ａ、Ｑ５１ｂ、Ｑ５２ｂ、Ｑ５５ｂ、Ｑ５６ｂ、Ｑ８５ａ、Ｑ８６ａ、Ｑ８５ｂ、およびＱ８６ｂが、タイミング信号Ｓ４５にもとづいてオン／オフされる状態を示している。
【０１４２】
走査電極グループＳＧ１における書き込み期間Ｔｗ１の終了直前では、走査電極グループＳＧ１の電圧を電圧０（Ｖ）にし、維持電極グループＵＧ１の電圧を電圧Ｖｅ２にする。走査電極グループＳＧ１における書き込み期間Ｔｗ１後の維持期間Ｔｓ１では、最初に、スイッチング素子Ｑ５２ａ、Ｑ５５ａ、Ｑ５６ａをオフにするとともに、スイッチング素子Ｑ５１ａをオンにする。このとき、表示電極対グループＤＧ１を構成する走査電極グループＳＧ１と維持電極グループＵＧ１との間の１０８０個の電極間容量とインダクタＬ５１ａとがＬＣ共振する。その結果、走査電極グループＳＧ１の電圧は、電圧０（Ｖ）から電圧Ｖｓ付近まで上昇し、同時に維持電極グループＵＧ１の電圧は、電圧Ｖｅ２から電圧０（Ｖ）付近まで下降する。
【０１４３】
次に、スイッチング素子Ｑ５５ａおよびスイッチング素子Ｑ８６ａをオンにすると、走査電極グループＳＧ１の電圧は電圧Ｖｓに、維持電極グループＵＧ１の電圧は電圧０（Ｖ）にクランプされる。走査電極グループＳＧ１および維持電極グループＵＧ１がクランプされている期間、放電セルＣｉｊが発光する。続いて、スイッチング素子Ｑ５１ａ、Ｑ５５ａ、Ｑ８６ａをオフにするとともに、スイッチング素子Ｑ５２ａをオンにする。このとき、再び１０８０個の電極間容量とインダクタＬ５１ａとがＬＣ共振する。その結果、走査電極グループＳＧ１の電圧は、電圧Ｖｓから電圧０（Ｖ）付近まで下降し、同時に維持電極グループＵＧ１の電圧は、電圧０（Ｖ）から電圧Ｖｓ付近まで上昇する。
【０１４４】
次に、スイッチング素子Ｑ５６ａおよびスイッチング素子Ｑ８５ａをオンにすると、走査電極グループＳＧ１の電圧は電圧０（Ｖ）に、維持電極グループＵＧ１の電圧は電圧Ｖｓにクランプされる。走査電極グループＳＧ１および維持電極グループＵＧ１がクランプされている期間、放電セルＣｉｊが発光する。続いて、スイッチング素子Ｑ５２ａ、Ｑ５６ａ、Ｑ８５ａをオフにするとともに、スイッチング素子Ｑ５１ａをオンにする。このとき、再び１０８０個の電極間容量とインダクタＬ５１ａとがＬＣ共振する。その結果、走査電極グループＳＧ１の電圧は、電圧０（Ｖ）から電圧Ｖｓ付近まで上昇し、同時に維持電極グループＵＧ１の電圧は、電圧Ｖｓから電圧０（Ｖ）付近まで下降する。以降、維持期間Ｔｓ１においてこのような動作を繰り返し行うことにより、維持パルス発生回路１５０ａおよび２８０ａは、表示電極対グループＤＧ１に維持パルスを印加し、放電セルＣｉｊ（ｉ＝１〜１０８０）における放電を継続させる。
【０１４５】
走査電極グループＳＧ１における維持期間Ｔｓ１の間、走査電極グループＳＧ２は、書き込み期間Ｔｗ１の状態にあり、書き込み期間Ｔｗ１の終了後、維持期間Ｔｓ１の状態となる。走査電極グループＳＧ２における維持期間Ｔｓ１において、スイッチング素子Ｑ５１ｂ、Ｑ５２ｂ、Ｑ５５ｂ、Ｑ５６ｂ、Ｑ８５ｂ、Ｑ８６ｂは、タイミング信号Ｓ４５にもとづいて制御される。これらのスイッチング素子の動作は、走査電極グループＳＧ１における維持期間Ｔｓ１において、スイッチング素子Ｑ５１ａ、Ｑ５２ａ、Ｑ５５ａ、Ｑ５６ａ、Ｑ８５ａ、Ｑ８６ａがタイミング信号Ｓ４５にもとづいて制御される動作とそれぞれ同様である。これにより、維持パルス発生回路１５０ｂおよび２８０ｂは、表示電極対グループＤＧ２に維持パルスを印加し、放電セルＣｉｊ（ｉ＝１０８１〜２１６０）における放電を継続させる。
【０１４６】
なお、図１４において電力回収部は、各走査電極駆動回路４３ｃ、４３ｄに含まれ、維持電極駆動回路３４４に含まれていなかったが、反対に、各走査電極駆動回路４３ｃ、４３ｄに含まれず、維持電極駆動回路３４４に含まれてもよい。すなわち、各電力回収部１５１ａ、１５１ｂは削除され、スイッチング素子Ｑ５５ａとスイッチング素子Ｑ５６ａとの接続点にバック経路ＲＢ１が接続され、およびスイッチング素子Ｑ５５ｂとスイッチング素子Ｑ５６ｂとの接続点にバック経路ＲＢ２が接続される。さらに、維持パルス発生回路２８０ａは、維持パルス発生回路８０ａにおいてコンデンサＣ８１ａを削除することにより構成される回路で置き換えられ、削除されたコンデンサＣ８１ａが接続されていた接続点に、バック経路ＲＢ１が接続される。同様に、維持パルス発生回路２８０ｂは、維持パルス発生回路８０ｂにおいてコンデンサＣ８１ｂを削除することにより構成される回路で置き換えられ、削除されたコンデンサＣ８１ｂが接続されていた接続点に、バック経路ＲＢ２が接続される。
【０１４７】
なお、維持電極駆動回路３４４における電圧選択回路１００は、実施の形態３の図１２に示す電圧選択回路２００で置き換えられてもよい。
【０１４８】
なお、表示電極対グループ数Ｎは、表示電極対グループＤＧ１、ＤＧ２のようにＮ＝２としたが、実施の形態２（図９、図１０、および図１１）において上述したようにＮ＝４としてもよく、さらに別の任意のグループ数であってもよい。この場合、上述の説明と同様にして、同一の表示電極対グループを駆動する走査電極駆動回路および維持電極駆動回路において、いずれか一方の電力回収部が削除され、他方の電力回収部における電力回収用のコンデンサが削除される。さらに削除された電力回収部が接続されていた接続点と削除された電力回収用のコンデンサが接続されていた接続点とが、バック経路により接続される。
【０１４９】
このように、実施の形態４におけるプラズマディスプレイパネルの駆動回路４６ａによれば、各走査電極駆動回路４３ｃ、４３ｄと維持電極駆動回路３４４とが、電力回収部を共有することができる。これにより、電力回収部に対応する部品点数が削減され、コストを低減することが可能となる。
【０１５０】
（実施の形態のまとめ）
なお、実施の形態１〜４においては、図３に示したように、すべてのサブフィールドにおいて、表示電極対グループＤＧ１と表示電極対グループＤＧ２とのサブフィールドの位相をずらしたサブフィールド構成を例に説明した。しかしながら本発明は、上述したサブフィールド構成に限定されるものではなく、例えば、すべての放電セルに対する維持期間の位相を揃えた書き込み・維持分離方式のサブフィールドをいくつか含むサブフィールド構成であっても適用することができる。
【０１５１】
なお、実施の形態１〜４においては、図４、図８、および図１３に示したように、初期化期間の前半には維持電極に所定電圧０（Ｖ）を、初期化期間の後半には所定電圧Ｖｅ２より低い所定電圧Ｖｅ１を印加するとして説明した。しかしこれらパネルの各電極に印加する駆動電圧波形は一例を示したものであり、本発明はこれに限定されるものではない。例えば所定電圧Ｖｅ１は所定電圧Ｖｅ２より高い電圧であってもよく、また初期化期間において所定電圧０（Ｖ）および所定電圧Ｖｅ１以外にも、所定電圧Ｖｅ２および所定電圧Ｖｓ等を維持電極に印加してもよい。
【０１５２】
なお、実施の形態１〜４において用いた具体的な各数値は、単に一例を挙げたに過ぎず、パネルの特性やプラズマディスプレイ装置の仕様等にあわせて、適宜最適な値に設定することが望ましい。
【０１５３】
本発明は、高精細度パネルであっても十分なサブフィールド数を確保することができる簡素な駆動回路を提供することができるので、プラズマディスプレイ装置として有用である。
【０１５４】
以上のように、実施の形態におけるプラズマディスプレイパネルの駆動回路によれば、１つの選択電圧Ｖ３を生成する１つの電圧選択回路（１００；２００）を備え、複数の維持パルス発生回路（８０ａ、８０ｂ；１８０ａ、１８０ｂ、１８０ｃ、１８０ｄ；２８０ａ、２８０ｂ）がこの１つの選択電圧Ｖ３にもとづいて維持パルスまたは所定電圧Ｖｅ１を、複数の維持電極グループ（ＵＧ１、ＵＧ２；ＵＧ１１、ＵＧ１２、ＵＧ２１、ＵＧ２２）へそれぞれ異なる維持期間において印加することができる。これにより、高精細度パネルにおいて十分なサブフィールド数および維持パルス数を確保することができるので、プラズマディスプレイパネルを高精細度化かつ高輝度化させることが可能となる。それとともに、部品点数を少なくし、回路構成を簡素化することができるので、駆動回路を低コスト化することが可能となる。
【０１５５】
以上において、記述された数字は、本発明を具体的に説明するために例示したものであり、本発明は例示された数字に限定されない。また、ハードウェアによって構成された構成要素は、ソフトウェアによっても構成可能であり、ソフトウェアによって構成された構成要素は、ハードウェアによっても構成可能である。さらに、上述した実施形態におけるすべての構成要素のうち、いくつかを上述した実施形態とは異なる組み合わせで再構成することにより、異なる組み合わせの効果を奏することが可能である。
【０１５６】
以上、実施の形態におけるこれまでの説明は、すべて本発明を具体化した一例であって、本発明はこれらの例に限定されず、本発明の技術を用いて当業者が容易に構成可能な種々の例に展開可能である。
【産業上の利用可能性】
【０１５７】
本発明は、プラズマディスプレイパネルの駆動回路およびプラズマディスプレイ装置に利用できる。
【符号の説明】
【０１５８】
１０    プラズマディスプレイパネル
２２    走査電極
２３    維持電極
２４    表示電極対
３２    データ電極
４０    プラズマディスプレイ装置
４１    画像信号処理回路
４２    データ電極駆動回路
４３ａ、４３ｂ、４３ｃ、４３ｄ    走査電極駆動回路
４４、１４４、２４４、３４４    維持電極駆動回路
４５    タイミング発生回路
４６、４６ａ    プラズマディスプレイパネルの駆動回路
５０ａ、８０ａ、８０ｂ、１５０ａ、１５０ｂ、１８０ａ、１８０ｂ、１８０ｃ、１８０ｄ、２８０ａ、２８０ｂ    維持パルス発生回路
６０ａ、６０ｂ    初期化波形発生回路
７０ａ、７０ｂ    走査パルス発生回路
５１ａ、８１ａ、８１ｂ、１５１ａ、１５１ｂ    電力回収部
５５ａ、５５ｂ、５６ａ、５６ｂ、８５ａ、８５ｂ、８６ａ、８６ｂ    電圧クランプ部
９０ａ、９０ｂ、１９０ａ、１９０ｂ、１９０ｃ、１９０ｄ    所定電圧印加回路
１００、２００    電圧選択回路
ＤＧ１、ＤＧ２、ＤＧ１１、ＤＧ１２、ＤＧ２１、ＤＧ２２    表示電極対グループ
ＥＳ、Ｅ１、Ｅ２    所定電圧源
ＲＳ、Ｒ１、Ｒ２    電源経路
ＲＢ１、ＲＢ２    バック経路
ＳＧ１、ＳＧ２、ＳＧ１１、ＳＧ１２、ＳＧ２１、ＳＧ２２    走査電極グループ
ＵＧ１、ＵＧ２、ＵＧ１１、ＵＧ１２、ＵＧ２１、ＵＧ２２    維持電極グループ
【図１】
2009157181.tif 000003
【図２】
2009157181.tif 000004
【図３】
2009157181.tif 000005
【図４】
2009157181.tif 000006
【図５】
2009157181.tif 000007
【図６】
2009157181.tif 000008
【図７】
2009157181.tif 000009
【図８】
2009157181.tif 000010
【図９】
2009157181.tif 000011
【図１０】
2009157181.tif 000012
【図１１】
2009157181.tif 000013
【図１２】
2009157181.tif 000014
【図１３】
2009157181.tif 000015
【図１４】
2009157181.tif 000016
【図１５】
2009157181.tif 000017
【手続補正書】
【提出日】平成22年2月23日(2010.2.23)
【手続補正１】
【補正対象書類名】特許請求の範囲
【補正対象項目名】全文
【補正方法】変更
【補正の内容】
【特許請求の範囲】
【請求項１】
プラズマディスプレイパネルを構成する複数の維持電極を、少なくとも第１維持電極グループおよび第２維持電極グループに分割し、維持期間において維持パルスを印加する、プラズマディスプレイパネルの駆動回路であって、
前記維持パルスを発生し、前記第１維持電極グループへの第１電極経路に、第１所定タイミングで印加する第１維持パルス発生回路と、
前記維持パルスを発生し、前記第２維持電極グループへの第２電極経路に、第２所定タイミングで印加する第２維持パルス発生回路と、
第１所定電圧を前記第１電極経路に、第３所定タイミングで印加する第１所定電圧印加回路と、
前記第１所定電圧を前記第２電極経路に、第４所定タイミングで印加する第２所定電圧印加回路と、
少なくとも第２所定電圧および第３所定電圧のうちのいずれか一方を選択し、選択電圧を生成する電圧選択回路とを有し、
前記第１維持パルス発生回路は、前記選択電圧が前記第２所定電圧の場合、前記第２所定電圧にもとづいて前記維持パルスを発生し、前記選択電圧が前記第３所定電圧の場合、前記第３所定電圧を前記第１電極経路に第５所定タイミングで印加し、
前記第２維持パルス発生回路は、前記選択電圧が前記第２所定電圧の場合、前記第２所定電圧にもとづいて前記維持パルスを発生し、前記選択電圧が前記第３所定電圧の場合、前記第３所定電圧を前記第２電極経路に第６所定タイミングで印加する、
プラズマディスプレイパネルの駆動回路。
【請求項２】
前記第１維持パルス発生回路および前記第２維持パルス発生回路のそれぞれは、
高電圧側経路および低電圧側経路を含み、
前記高電圧側経路からの所定の高電圧と前記低電圧側経路からの所定の低電圧の繰り返しにより、前記維持パルスを発生し、
前記高電圧側経路は、前記選択電圧を受ける、請求項１に記載のプラズマディスプレイパネルの駆動回路。
【請求項３】
前記第１維持パルス発生回路および前記第２維持パルス発生回路のそれぞれは、
高電圧側経路および低電圧側経路を含み、
前記高電圧側経路からの所定の高電圧と前記低電圧側経路からの所定の低電圧の繰り返しにより、前記維持パルスを発生し、
前記低電圧側経路は、前記選択電圧を受ける、請求項１に記載のプラズマディスプレイパネルの駆動回路。
【請求項４】
請求項１に記載のプラズマディスプレイパネルの駆動回路と、
前記プラズマディスプレイパネルとを含む、プラズマディスプレイ装置。
【手続補正書】
【提出日】平成22年12月28日(2010.12.28)
【手続補正１】
【補正対象書類名】明細書
【補正対象項目名】全文
【補正方法】変更
【補正の内容】
【発明の詳細な説明】
【技術分野】
【０００１】
本発明は、プラズマディスプレイパネルの駆動回路およびプラズマディスプレイ装置に関し、さらに詳しくはプラズマディスプレイパネルを駆動する駆動回路およびこの駆動回路を用いたプラズマディスプレイ装置に関する。
【背景技術】
【０００２】
プラズマディスプレイパネル（以下、「パネル」と略記する）として代表的な交流面放電型パネルでは、対向配置された前面基板と背面基板との間に多数の放電セルが形成されている。
【０００３】
前面基板には走査電極と維持電極とからなる表示電極対が互いに平行に複数対形成され、背面基板にはデータ電極が平行に複数形成されている。そして、表示電極対とデータ電極とが立体交差するように前面基板と背面基板とが対向配置されて密封され、内部の放電空間には放電ガスが封入されている。ここで表示電極対とデータ電極との対向する部分に放電セルが形成される。
【０００４】
パネルを駆動する構成としては、１フィールドを複数のサブフィールドに分割した上で、サブフィールドの組み合わせによって階調表示を行うサブフィールド法による構成が用いられる。各サブフィールドは、初期化期間、書き込み期間、および維持期間を有する。初期化期間では初期化放電を発生し、続く書き込み動作に必要な壁電荷を形成する。書き込み期間では、表示する画像に応じて選択的に放電セルで書き込み放電を発生し壁電荷を形成する。そして維持期間では、表示電極対に交互に維持パルスを印加して維持放電を発生させ、対応する放電セルの蛍光体層を発光させることにより画像表示を行う。
【０００５】
サブフィールド法の中でも、すべての放電セルに対する維持期間の位相を揃えることにより、書き込み期間と維持期間とが重ならないように時間的に分離した、書き込み・維持分離方式が一般的に用いられている。書き込み・維持分離方式では、書き込み放電を発生させる放電セルと維持放電を発生させる放電セルとが共存するタイミングが存在しないので、書き込み期間には書き込み放電に最適な条件で、維持期間には維持放電に最適な条件でパネルを駆動することができる。そのため放電制御が比較的簡単であり、またパネルの駆動マージンも大きく設定することができる。
【０００６】
その反面、書き込み・維持分離方式では書き込み期間を除く期間に維持期間を設定するため、パネルの高精細度化等により書き込み期間に要する時間が長くなると、画像表示品質を向上するための十分なサブフィールド数が確保できなくなるという問題があった。
【０００７】
このような問題を解決するために、表示電極対を複数のグループに分け、複数のグループのうち２つ以上のグループに対する書き込み期間が時間的に重ならないように、それぞれのグループに対するサブフィールドの開始時間をずらして駆動する構成が開示されている（例えば、特許文献１参照）。
【先行技術文献】
【特許文献】
【０００８】
【特許文献１】特開２００５−１５７３３８号公報
【発明の概要】
【発明が解決しようとする課題】
【０００９】
しかしながら特許文献１に記載の駆動回路によれば、表示電極対グループの数と同数の走査電極駆動回路および維持電極駆動回路がそれぞれ必要であり、回路規模が増大し使用する回路部品も増加する。その結果、駆動回路のコストが増大するという課題があった。
【００１０】
本発明は上述した課題に鑑みてなされたものであり、高精細度パネルにおいて十分なサブフィールド数を確保するとともに、低コストで簡素なプラズマディスプレイパネルの駆動回路およびプラズマディスプレイ装置を提供することを目的とする。
【課題を解決するための手段】
【００１１】
上述した目的を達成するために本発明のプラズマディスプレイパネルの駆動回路は、走査電極と維持電極とで構成された表示電極対を複数備えるとともに複数のデータ電極を備え、前記表示電極対と前記データ電極とが交差する位置のそれぞれに放電セルを形成したプラズマディスプレイパネルを駆動する駆動回路であって、複数の前記表示電極対を複数の表示電極対グループに分けるとともに、複数の前記表示電極対グループのそれぞれに対して設けられ、前記表示電極対グループに属する維持電極に維持パルスを印加する維持パルス発生回路と、複数の前記表示電極対グループのそれぞれに対して設けられ、前記表示電極対グループに属する維持電極に一定電圧を印加する一定電圧発生回路と、複数の電圧から１つの電圧を選択して、複数の前記維持パルス発生回路のそれぞれに供給する電圧選択回路と、を備えたことを特徴とする。
【００１２】
また本発明のプラズマディスプレイ装置は、上記プラズマディスプレイパネルの駆動回路と、上記プラズマディスプレイパネルとを備えたことを特徴とする。
【発明の効果】
【００１３】
本発明のプラズマディスプレイパネルの駆動回路およびプラズマディスプレイ装置によれば、１つの選択電圧を生成する１つの電圧選択回路を備え、複数の維持パルス発生回路がこの１つの選択電圧にもとづいて維持パルスまたは所定電圧を、複数の維持電極グループへそれぞれ異なる維持期間において印加することができる。これにより、高精細度パネルにおいて十分なサブフィールド数および維持パルス数を確保することができるので、プラズマディスプレイパネルを高精細度化かつ高輝度化させることが可能となる。それとともに、部品点数を少なくし、回路構成を簡素化することができるので、駆動回路を低コスト化することが可能となる。
【図面の簡単な説明】
【００１４】
【図１】本発明の実施の形態１におけるプラズマディスプレイ装置のプラズマディスプレイパネルの分解斜視図
【図２】同プラズマディスプレイ装置のプラズマディスプレイパネルの電極配列図
【図３】同プラズマディスプレイ装置のサブフィールド構成を示すタイミング図
【図４】同プラズマディスプレイ装置のプラズマディスプレイパネルの各電極に印加する駆動電圧波形を示す波形図
【図５】同プラズマディスプレイ装置のブロック図
【図６】本発明の実施の形態１におけるプラズマディスプレイパネルの駆動回路の走査電極駆動回路の回路図
【図７】同プラズマディスプレイパネルの駆動回路の維持電極駆動回路の回路図
【図８】同プラズマディスプレイパネルの駆動回路の維持電極駆動回路の動作を示す波形図
【図９】本発明の実施の形態２におけるプラズマディスプレイ装置のプラズマディスプレイパネルの電極配列図
【図１０】同プラズマディスプレイ装置のサブフィールド構成を示すタイミング図
【図１１】本発明の実施の形態２におけるプラズマディスプレイパネルの駆動回路の維持電極駆動回路の回路図
【図１２】本発明の実施の形態３におけるプラズマディスプレイパネルの駆動回路の維持電極駆動回路の回路図
【図１３】同プラズマディスプレイパネルの駆動回路の維持電極駆動回路の動作を示す波形図
【図１４】本発明の実施の形態４におけるプラズマディスプレイパネルの駆動回路の回路図
【図１５】同プラズマディスプレイパネルの駆動回路の動作を示す波形図
【発明を実施するための形態】
【００１５】
以下、本発明を実施するための形態に関するいくつかの例について、図面を参照しながら説明する。図面において、実質的に同一の構成、動作、および効果を表す要素については、同一の符号を付す。
【００１６】
（実施の形態１）
図１は、プラズマディスプレイ装置のプラズマディスプレイパネル１０（以下、「パネル」と略記する）の分解斜視図である。ガラス製の前面基板２１上には走査電極２２と維持電極２３とで構成された表示電極対２４が複数形成されている。そして表示電極対２４を覆うように誘電体層２５が形成され、その誘電体層２５上に保護層２６が形成されている。
【００１７】
背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色、緑色および青色の各色に発光する蛍光体層３５が設けられている。
【００１８】
これら前面基板２１と背面基板３１とは、微小な放電空間を挟んで表示電極対２４とデータ電極３２とが交差するように対向配置され、その外周部をガラスフリット等の封着材によって封着されている。そして放電空間には、例えばネオン、アルゴン、キセノン、といった希ガスあるいは、これらの混合ガスが放電ガスとして封入されている。放電空間は隔壁３４によって複数の区画に仕切られており、表示電極対２４とデータ電極３２とが交差する位置のそれぞれに放電セルが構成されている。そしてこれらの放電セルが放電、発光することにより画像が表示される。
【００１９】
なお、パネル１０の構造は上述したものに限られるわけではなく、例えばストライプ状の隔壁を備えたものであってもよい。
【００２０】
図２は、プラズマディスプレイ装置のパネル１０の電極配列図である。パネル１０には、行方向に長いｎ本の走査電極ＳＣ１、ＳＣ２、・・・、ＳＣｎ（図１の走査電極２２）およびｎ本の維持電極ＳＵ１、ＳＵ２、・・・、ＳＵｎ（図１の維持電極２３）が配列され、列方向に長いｍ本のデータ電極Ｄ１、Ｄ２、・・・、Ｄｍ（図１のデータ電極３２）が配列されている。そして、１対の走査電極ＳＣｉ（ｉ＝１、２、・・・、ｎ）および維持電極ＳＵｉ（ｉ＝１〜ｎ）で構成されるｎ対の表示電極対と、１つのデータ電極Ｄｊ（ｊ＝１、２、・・・、ｍ）とが交差した部分に、放電セルＣｉｊ（ｉ＝１〜ｎ、ｊ＝１〜ｍ）が形成される。放電セルＣｉｊは、放電空間内にｍ×ｎ個形成されている。表示電極対の数について特に制限はないが、一例として、ｎ＝２１６０として説明する。
【００２１】
走査電極ＳＣ１〜ＳＣ２１６０および維持電極ＳＵ１〜ＳＵ２１６０からなる２１６０対の表示電極対は、複数の表示電極対グループＤＧ１、ＤＧ２、・・・、ＤＧＮに分けられている。表示電極対グループの数Ｎの決め方については後述することとして、一例として、パネルを上下に２分割し、２つの表示電極対グループＤＧ１、ＤＧ２に分けたとして説明する。図２に示したように、パネルの上半分に位置する表示電極対を表示電極対グループＤＧ１とし、パネルの下半分に位置する表示電極対を表示電極対グループＤＧ２とする。また、１０８０本の走査電極ＳＣ１〜ＳＣ１０８０を走査電極グループＳＧ１とし、１０８０本の維持電極ＳＵ１〜ＳＵ１０８０を維持電極グループＵＧ１とする。さらに、１０８０本の走査電極ＳＣ１０８１〜ＳＣ２１６０を走査電極グループＳＧ２とし、１０８０本の維持電極ＳＵ１０８１〜ＳＵ２１６０を維持電極グループＵＧ２とする。すなわち、走査電極グループＳＧ１および維持電極グループＵＧ１が表示電極対グループＤＧ１に属し、走査電極グループＳＧ２および維持電極グループＵＧ２が表示電極対グループＤＧ２に属している。
【００２２】
次に、パネル１０を駆動するための駆動構成について説明する。一例として、初期化期間を除き、書き込み動作が連続して行われるように走査パルスおよび書き込みパルスのタイミングを設定している。その結果、１フィールド期間内に最大限の数のサブフィールドを設定することができる。以下に、その詳細について、例をあげて説明する。
【００２３】
図３は、プラズマディスプレイ装置のサブフィールド構成を示すタイミング図である。図３（ａ）、図３（ｂ）、図３（ｃ）、および図３（ｄ）の縦軸は走査電極ＳＣ１〜ＳＣ２１６０を示し、横軸は時間ｔを示している。また、書き込み動作を行うタイミングを表す書き込みタイミングｔＷは太い実線で示し、維持期間および後述する消去期間のタイミングを表す維持消去期間タイミングｔＳＥはハッチングで示している。なお以下の説明では、１フィールド期間Ｔｆを１６．７ｍｓとした。
【００２４】
まず、図３（ａ）に示すように、１フィールド期間Ｔｆの最初に、すべての放電セルで一斉に初期化放電を発生させる初期化期間Ｔｉｎを設ける。一例として、初期化期間Ｔｉｎを５００μｓと設定した。
【００２５】
次に、図３（ｂ）に示すように、走査電極ＳＣ１〜ＳＣ２１６０のすべてに走査パルスを順次印加する（すなわち、走査電極ＳＣ１〜ＳＣ２１６０のすべてに書き込み動作を１回行う）ために要する期間を表す全書き込み期間Ｔｗを見積もる。このとき、書き込み動作が連続して行われるように走査パルスを可能な限り短くかつ可能な限り連続して印加することが望ましい。一例として、走査電極１本あたりの書き込み動作に要する期間を０．７μｓとした。走査電極の数が２１６０本であるため、全書き込み期間Ｔｗは、０．７×２１６０＝１５１２μｓである。
【００２６】
次に、サブフィールド数を見積もる。当初は、消去期間を無視する。１フィールド期間Ｔｆから初期化期間Ｔｉｎを引いて、全書き込み期間Ｔｗで割ると、（１６．７−０．５）／１．５＝１０．８ｍｓとなる。その結果、図３（ｃ）に示すように、最大で１０個のサブフィールドＳＦ１、ＳＦ２、・・・、ＳＦ１０を確保できることがわかる。
【００２７】
次に、必要な維持パルス数にもとづき、表示電極対グループＤＧ１、ＤＧ２、・・・、ＤＧＮの数を表す表示電極対グループ数Ｎを決める。一例として、サブフィールドＳＦ１〜ＳＦ１０においてそれぞれ「６０」、「４４」、「３０」、「１８」、「１１」、「６」、「３」、「２」、「１」、「１」の個数の維持パルスを、走査電極ＳＣ１〜ＳＣ２１６０に印加するものと仮定する。維持パルスを印加するために要する期間を表す維持期間Ｔｓ１、Ｔｓ２、・・・、Ｔｓ１０は、それぞれサブフィールドＳＦ１〜ＳＦ１０における上述した維持パルスの個数に、維持パルス周期を掛けたものとなる。維持パルス周期を１０μｓとすると、最大の維持期間を表す最大維持期間Ｔｓ１は、１０×６０＝６００μｓとなる。
【００２８】
図３（ｄ）（および後述する図４）において、書き込み期間Ｔｗ１は、全書き込み期間Ｔｗのうちの各表示電極対グループＤＧ１〜ＤＧＮの書き込み動作に要する期間を表し、式１により求められる。
Ｔｗ１＝Ｔｗ／Ｎ                              （１）
【００２９】
維持期間Ｔｓ１〜Ｔｓ１０は、それぞれのサブフィールドＳＦ１〜ＳＦ１０において、書き込み期間Ｔｗ１の後に設けられる。表示電極対グループＤＧ１〜ＤＧＮのうちｐ番目（ｐ＝１〜Ｎ）の表示電極対グループＤＧｐに対するｑ番目（ｑ＝１〜１０）のサブフィールドＳＦｑの維持期間は、各表示電極対グループＤＧ（ｐ＋１）〜ＤＧＮ（ここで、ｐ＝１、２、・・・、Ｎ−１）に対するサブフィールドＳＦｑの書き込み期間Ｔｗ１と時間的に並行して設定される。さらに、表示電極対グループＤＧｐに対するサブフィールドＳＦｑの維持期間は、各表示電極対グループＤＧ１〜ＤＧ（ｐ−１）（ここで、ｐ＝２、３、・・・、Ｎ）に対するサブフィールドＳＦ（ｑ＋１）（ここで、ｑ＝１〜９）の書き込み期間Ｔｗ１と、時間的に並行して設定される。
【００３０】
表示電極対グループ数Ｎは、全書き込み期間Ｔｗと最大維持期間Ｔｓ１を用いて、以下の式２を満たす最小の整数として求められる。
Ｎ≧Ｔｗ／（Ｔｗ−Ｔｓ１）                    （２）
【００３１】
ここで、式２の導出を説明する。式２の元の式は、
Ｔｓ１≦Ｔｗ×（Ｎ−１）／Ｎ                  （３）
である。式３は、全書き込み期間Ｔｗからグループ単位書き込み期間Ｔｗ／Ｎを引いた残りの期間を、最大維持期間Ｔｓ１が超えてはならないことを示している。言い換えれば、最大維持期間Ｔｓ１よりも、式３の右辺で表される期間（Ｔｗ×（Ｎ−１）／Ｎ）が長くなるように、表示電極対グループ数Ｎを決める必要がある。例えば、式３が成立しない小さなＮを選択する場合、表示電極対グループＤＧＮに対するサブフィールドＳＦｑの書き込み動作が終了した時点で、表示電極対グループＤＧ（Ｎ−１）に対するサブフィールドＳＦｑの維持期間が終了していないことになる。その結果、表示電極対グループＤＧ１に対するサブフィールドＳＦ（ｑ＋１）の書き込み動作が、直ちには行えない。したがって、次のサブフィールドに向けて連続した書き込み動作が実現せず、駆動時間が短縮できない。よって、式３が成立する自然数Ｎを選択する必要がある。式２は、式３のこのような導出理由の結果として表される。
【００３２】
上述したように、Ｔｗ＝１５１２μｓ、Ｔｓ１＝６００μｓであるので、式２から、
１５１２／（１５１２−６００）＝１．６６      （４）
となり、表示電極対グループ数Ｎは２となる。
【００３３】
以上の考察にもとづき、図２に示したように表示電極対を２つの表示電極対グループＤＧ１、ＤＧ２に分ける。この場合、Ｎ＝２、Ｔｗ＝１５１２μｓ、Ｔｓ１＝６００μｓであるので、
Ｔｗ×（Ｎ−１）／Ｎ＝７５６≧６００          （５）
となり、もちろん式３の条件を満たしている。
【００３４】
以上のようにして、パネル１０を駆動するための駆動構成および表示電極対グループ数Ｎを決めることができる。なお、以上においては、消去期間を無視して計算を進めたが、いずれかの表示電極対グループが消去期間であるときには書き込み動作を行わないことが望ましい。これは、消去期間では壁電圧を消去するだけでなく、次の書き込み期間Ｔｗ１の書き込み動作に備えてデータ電極上の壁電圧を調整する期間でもあるため、データ電極の電圧を固定しておくことが望ましいからである。
【００３５】
次に、駆動電圧波形の詳細とその動作について説明する。
図４は、プラズマディスプレイ装置のパネル１０の各電極に印加する駆動電圧波形を示す波形図である。図４は、上から順に、データ電極Ｄ１〜Ｄｍの駆動電圧波形と、表示電極対グループＤＧ１に属する走査電極グループＳＧ１および維持電極グループＵＧ１の駆動電圧波形と、表示電極対グループＤＧ２に属する走査電極グループＳＧ２および維持電極グループＵＧ２の駆動電圧波形とを示している。１フィールド期間Ｔｆの最初に、各放電セルＣｉｊで初期化放電を発生させる初期化期間Ｔｉｎを設ける。さらに、１フィールド期間Ｔｆ内の初期化期間Ｔｉｎの後に、図３（ｄ）と同様に表示電極対グループＤＧ１、ＤＧ２毎にサブフィールドＳＦ１〜ＳＦ１０を設ける。サブフィールドＳＦｑは、書き込み期間Ｔｗ１、維持期間Ｔｓｑ、および消去期間Ｔｅの順序で構成される（ｑ＝１〜１０）。消去期間Ｔｅは、各維持期間Ｔｓ１〜Ｔｓ１０の後に、その維持期間で放電した放電セルに対して消去放電を発生させる期間である。図３（ｄ）において上述したように、表示電極対グループＤＧ２に対するサブフィールドＳＦ１〜ＳＦ１０は、表示電極対グループＤＧ１に対するサブフィールドＳＦ１〜ＳＦ１０に比べて、全体的に書き込み期間Ｔｗ１だけ遅れている。その結果、表示電極対グループＤＧ１の維持期間Ｔｓｑおよび消去期間Ｔｅは、表示電極対グループＤＧ２に対するサブフィールドＳＦｑの書き込み期間Ｔｗ１と時間的に並行することになる（ｑ＝１〜１０）。
【００３６】
まず、初期化期間Ｔｉｎについて説明する。
初期化期間Ｔｉｎでは、データ電極Ｄ１〜Ｄｍおよび維持電極ＳＵ１〜ＳＵ２１６０にそれぞれ電圧０（Ｖ）を印加する。走査電極ＳＣ１〜ＳＣ２１６０には、それぞれ維持電極ＳＵ１〜ＳＵ２１６０に対する正の放電開始電圧よりも低い正の電圧Ｖｉ１から、放電開始電圧を超える正の電圧Ｖｉ２に向かって緩やかに上昇する傾斜波形電圧を印加する。この傾斜波形電圧が上昇する間に、走査電極ＳＣ１〜ＳＣ２１６０と、維持電極ＳＵ１〜ＳＵ２１６０およびデータ電極Ｄ１〜Ｄｍとの間でそれぞれ微弱な初期化放電が発生する。そして、走査電極ＳＣ１〜ＳＣ２１６０上に負の壁電圧が蓄積されるとともに、データ電極Ｄ１〜Ｄｍ上および維持電極ＳＵ１〜ＳＵ２１６０上には正の壁電圧が蓄積される。ここで、電極上の壁電圧とは、電極を覆う誘電体層上、保護層上、および蛍光体層上等に蓄積された壁電荷により生じる電圧を表す。なお、この期間はデータ電極Ｄ１〜Ｄｍに電圧Ｖｄを印加してもよい。
【００３７】
次に、データ電極Ｄ１〜Ｄｍに電圧０（Ｖ）を印加し、維持電極ＳＵ１〜ＳＵ２１６０に正の所定電圧Ｖｅ１を印加し、走査電極ＳＣ１〜ＳＣ２１６０には、それぞれ維持電極ＳＵ１〜ＳＵ２１６０に対する正の放電開始電圧よりも低い正の電圧Ｖｉ３から、負の放電開始電圧を負方向に超える負の電圧Ｖｉ４に向かって、緩やかに下降する傾斜波形電圧を印加する。この間に、走査電極ＳＣ１〜ＳＣ２１６０と、維持電極ＳＵ１〜ＳＵ２１６０およびデータ電極Ｄ１〜Ｄｍとの間でそれぞれ微弱な初期化放電が発生する。そして、走査電極ＳＣ１〜ＳＣ２１６０上の負の壁電圧および維持電極ＳＵ１〜ＳＵ２１６０上の正の壁電圧が弱められ、データ電極Ｄ１〜Ｄｍ上の正の壁電圧は書き込み動作に適した値に調整される。その後、走査電極ＳＣ１〜ＳＣ２１６０に電圧Ｖｃを印加する。以上により、すべての放電セルに対して初期化放電を行う初期化動作が終了する。
【００３８】
次に表示電極対グループＤＧ１に対するサブフィールドＳＦ１の書き込み期間Ｔｗ１について説明する。
維持電極グループＵＧ１に、所定電圧Ｖｅ１よりも高い正の所定電圧Ｖｅ２を印加する。そして走査電極ＳＣ１に負の電圧Ｖａを持つ走査パルスを印加するとともに、発光すべき放電セルに対応するデータ電極Ｄｊ（ｊ＝１〜ｍ）に、正の電圧Ｖｄを持つ書き込みパルスを印加する。するとデータ電極Ｄｊ上と走査電極ＳＣ１上との交差部の電圧差は、外部印加電圧の差（Ｖｄ−Ｖａ）に、データ電極Ｄｊ上の壁電圧と走査電極ＳＣ１上の壁電圧との差が加算されたものとなり、放電開始電圧を超える。そして、データ電極Ｄｊと走査電極ＳＣ１との間で放電が開始し、維持電極ＳＵ１と走査電極ＳＣ１との間の放電に進展して書き込み放電が発生する。その結果、走査電極ＳＣ１上に正の壁電圧が蓄積され、維持電極ＳＵ１上に負の壁電圧が蓄積され、データ電極Ｄｊ上にも負の壁電圧が蓄積される。このようにして、１行目に発光させるべき放電セルにおいて書き込み放電が発生し、各電極上に壁電圧を蓄積する書き込み動作が行われる。一方、書き込みパルスを印加しなかったデータ電極Ｄ１〜Ｄｍと走査電極ＳＣ１との交差部の電圧は放電開始電圧を超えないので、書き込み放電は発生しない。
【００３９】
次に、２行目の走査電極ＳＣ２に走査パルスを印加するとともに、発光すべき放電セルに対応するデータ電極Ｄｊに書き込みパルスを印加する。すると走査パルスと書き込みパルスとが同時に印加された２行目の放電セルでは書き込み放電が発生し、書き込み動作が行われる。
【００４０】
以上の書き込み動作を１０８０行目の放電セルに至るまで繰り返し、発光すべき放電セルに対して選択的に書き込み放電を発生させて壁電荷を形成する。
表示電極対グループＤＧ１に対するサブフィールドＳＦ１の書き込み期間Ｔｗ１において、走査電極グループＳＧ２には電圧Ｖｃが、維持電極グループＵＧ２には所定電圧Ｖｅ１がそれぞれ印加されたままである。この書き込み期間Ｔｗ１は、表示電極対グループＤＧ２に対しては放電の発生しない休止期間である。ただし、表示電極対グループＤＧ２に属する各電極に印加する電圧は上述した電圧に限定されるものではなく、放電を発生しない範囲の、他の電圧を印加してもよい。
【００４１】
次に表示電極対グループＤＧ２に対するサブフィールドＳＦ１の書き込み期間Ｔｗ１について説明する。
維持電極グループＵＧ２に正の所定電圧Ｖｅ２を印加する。そして走査電極ＳＣ１０８１に走査パルスを印加するとともに、発光すべき放電セルに対応するデータ電極Ｄｊに書き込みパルスを印加する。するとデータ電極Ｄｊと走査電極ＳＣ１０８１との間、維持電極ＳＵ１０８１と走査電極ＳＣ１０８１との間で書き込み放電が発生する。次に、走査電極ＳＣ１０８２に走査パルスを印加するとともに、発光すべき放電セルに対応するデータ電極Ｄｊに書き込みパルスを印加する。すると走査パルスと書き込みパルスとが同時に印加された１０８２行目の放電セルで、書き込み放電が発生する。以上の書き込み動作を２１６０行目の放電セルに至るまで繰り返し、発光すべき放電セルに対して選択的に書き込み放電を発生させて壁電荷を形成する。
【００４２】
表示電極対グループＤＧ２に対するサブフィールドＳＦ１の書き込み期間Ｔｗ１は、表示電極対グループＤＧ１に対してはサブフィールドＳＦ１の維持期間Ｔｓ１に対応する。すなわち、走査電極グループＳＧ１へ「６０」個の維持パルス、および維持電極グループＵＧ１へ「６０」個の維持パルスを、１個ずつ交互に印加して書き込み放電を行い、放電セルを発光させる。
【００４３】
具体的には、まず走査電極グループＳＧ１に正の維持パルス電圧Ｖｓを印加するとともに、維持電極グループＵＧ１に電圧０（Ｖ）を印加する。すると書き込み放電を発生させた放電セルでは、走査電極ＳＣｉ上の壁電圧と維持電極ＳＵｉ上の壁電圧との差に維持パルス電圧Ｖｓが加算され、走査電極ＳＣｉ上と維持電極ＳＵｉ上との電圧差が放電開始電圧を超える。そのため走査電極ＳＣｉと維持電極ＳＵｉとの間に維持放電が発生し、このとき発生した紫外線により蛍光体層３５が発光する。そして走査電極ＳＣｉ上に負の壁電圧が蓄積され、維持電極ＳＵｉ上に正の壁電圧が蓄積される。書き込み期間Ｔｗ１において書き込み放電を発生させなかった放電セルでは維持放電は発生せず、初期化期間Ｔｉｎの終了時における壁電圧が保たれる。
【００４４】
続いて、走査電極グループＳＧ１には電圧０（Ｖ）を、維持電極グループＵＧ１には正の維持パルス電圧Ｖｓをそれぞれ印加する。すると、維持放電を発生した放電セルでは、維持電極ＳＵｉ上と走査電極ＳＣｉ上との電圧差が放電開始電圧を超えるので、再び維持電極ＳＵｉと走査電極ＳＣｉとの間で維持放電が発生し、維持電極ＳＵｉ上に負の壁電圧が蓄積され走査電極ＳＣｉ上に正の壁電圧が蓄積される。以降同様に、走査電極グループＳＧ１と維持電極グループＵＧ１とに交互に維持パルスを印加し、表示電極対の電極間に電位差を与えることにより、書き込み期間Ｔｗ１において書き込み放電を発生した放電セルにおいて維持放電が継続して発生し、放電セルが発光する。
【００４５】
維持期間Ｔｓ１の後には、消去期間Ｔｅが設けられている。消去期間Ｔｅでは、走査電極ＳＣ１〜ＳＣｎと維持電極ＳＵ１〜ＳＵｎとの間にいわゆる細幅パルス状の電圧差を与えて、データ電極Ｄｊ上の正の壁電圧を残したまま、走査電極ＳＣｉおよび維持電極ＳＵｉ上の壁電圧を消去している。
【００４６】
次に表示電極対グループＤＧ１に対するサブフィールドＳＦ２の書き込み期間Ｔｗ１について説明する。
維持電極グループＵＧ１に正の所定電圧Ｖｅ２を印加する。そして走査電極グループＳＧ１に対しては、サブフィールドＳＦ１の書き込み期間Ｔｗ１と同様に走査パルスを順次印加するとともに、データ電極Ｄｊに書き込みパルスを印加して、１〜１０８０行目の放電セルで書き込み動作を行う。
【００４７】
表示電極対グループＤＧ１に対するサブフィールドＳＦ２の書き込み期間Ｔｗ１は、表示電極対グループＤＧ２に対してはサブフィールドＳＦ１の維持期間Ｔｓ１に対応する。すなわち、走査電極グループＳＧ２および維持電極グループＵＧ２には、それぞれ「６０」個の維持パルスを、１個ずつ交互に印加して書き込み放電を行い、放電セルを発光させる。
そして、維持期間Ｔｓ１の後の消去期間Ｔｅでは、走査電極グループＳＧ２と維持電極グループＵＧ２との間に細幅パルス状の電圧差を与えて、データ電極Ｄｊ上の正の壁電圧を残したまま、走査電極ＳＣｉ上および維持電極ＳＵｉ上の壁電圧を消去している。
【００４８】
以降同様に、表示電極対グループＤＧ２に対するサブフィールドＳＦ２の書き込み期間Ｔｗ１、表示電極対グループＤＧ１に対するサブフィールドＳＦ３の書き込み期間Ｔｗ１、・・・、表示電極対グループＤＧ２に対するサブフィールドＳＦ１０の書き込み期間Ｔｗ１と続き、この後、最後に表示電極対グループＤＧ２に対するサブフィールドＳＦ１０の維持期間Ｔｓ１０および消去期間Ｔｅと続いて１フィールド期間Ｔｆを終える。
【００４９】
このように、初期化期間Ｔｉｎの後に、表示電極対グループＤＧ１、ＤＧ２のうちいずれか一方のグループにおいて書き込み動作が連続して行われるように、走査パルスおよび書き込みパルスのタイミングを設定している。すなわち、式６に示すように、１フィールド期間Ｔｆは、初期化期間Ｔｉｎと、全書き込み期間ＴｗのサブフィールドＳＦ１〜ＳＦ１０相当分（Ｔｗ×１０）と、サブフィールドＳＦ１０の維持期間Ｔｓ１０と、サブフィールドＳＦ１０の消去期間Ｔｅとの総和以上であればよい。
Ｔｆ≧（Ｔｉｎ＋Ｔｗ×１０＋Ｔｓ１０＋Ｔｅ）        （６）
サブフィールドＳＦ１〜ＳＦ９における維持期間Ｔｓ１〜Ｔｓ９および消去期間Ｔｅは、全書き込み期間ＴｗのサブフィールドＳＦ１〜ＳＦ１０相当分（Ｔｗ×１０）と時間的に並行しているため、実質的に無視することができる。
【００５０】
その結果、１フィールド期間Ｔｆ内に１０個のサブフィールドＳＦ１〜ＳＦ１０を設定することができる。このサブフィールドＳＦ１〜ＳＦ１０の数は、上述したように、１フィールド期間Ｔｆ内に設定できる最大の数である。
【００５１】
また上述したように、最後に表示電極対グループＤＧ２に対する維持期間Ｔｓ１０および消去期間Ｔｅで１フィールド期間Ｔｆを終える（式６を参照）。そのために、最後のサブフィールドＳＦ１０に輝度重みの最も小さい維持期間Ｔｓ１０を配置することで、式６の維持期間Ｔｓ１０を短縮することができる。
【００５２】
なお、上述したように消去期間Ｔｅでは、走査電極ＳＣ１〜ＳＣｎと維持電極ＳＵ１〜ＳＵｎとの間に細幅パルス状の電圧差を与えて消去動作を行うものとし、消去期間Ｔｅを無視してサブフィールド構成および表示電極対グループ数Ｎを決めた。また、表示電極対グループＤＧ１、ＤＧ２のうちいずれか一方のグループが消去期間Ｔｅであっても書き込み動作を行うものとして説明した。しかし、消去動作を行うためにはある程度の消去期間Ｔｅが必要であり、また上述したように、表示電極対グループＤＧ１、ＤＧ２のうちいずれか一方のグループが消去期間Ｔｅであるときには書き込み動作を行わないことが望ましい。
【００５３】
次に、プラズマディスプレイパネルの駆動回路について説明する。
図５は、プラズマディスプレイ装置４０のブロック図である。プラズマディスプレイ装置４０は、プラズマディスプレイパネルの駆動回路４６およびパネル１０を備えている。プラズマディスプレイパネルの駆動回路４６は、画像信号処理回路４１、データ電極駆動回路４２、走査電極駆動回路４３ａ、走査電極駆動回路４３ｂ、維持電極駆動回路４４、タイミング発生回路４５、および各回路ブロックに必要な電源を供給する電源回路（図示せず）を備えている。
【００５４】
タイミング発生回路４５は、画像信号の水平同期信号および垂直同期信号にもとづいて各回路の動作を制御する各種のタイミング信号Ｓ４５を発生し、それぞれの回路へ供給する。画像信号処理回路４１は、タイミング信号Ｓ４５にもとづいて、画像信号を、サブフィールド毎の発光・非発光を示す画像データに変換する。データ電極駆動回路４２は、ｍ本のデータ電極Ｄ１〜Ｄｍのそれぞれに電圧Ｖｄまたは電圧０（Ｖ）を印加するためのｍ個のスイッチを備えている。そしてデータ電極駆動回路４２は、タイミング信号Ｓ４５にもとづいて、画像信号処理回路４１から出力された画像データを各データ電極Ｄ１〜Ｄｍに対応する書き込みパルスに変換し、各データ電極Ｄ１〜Ｄｍに印加する。
【００５５】
走査電極駆動回路４３ａはタイミング信号Ｓ４５にもとづいて走査電極グループＳＧ１を駆動し、走査電極駆動回路４３ｂはタイミング信号Ｓ４５にもとづいて、走査電極グループＳＧ２を駆動する。また維持電極駆動回路４４は、タイミング信号Ｓ４５にもとづいて維持電極グループＵＧ１、ＵＧ２を駆動する。以下の実施の形態におけるプラズマディスプレイパネルの駆動回路４６、４６ａの具体的な回路図（図６、図７、図１１、図１２、および図１４）では、タイミング発生回路４５からのタイミング信号Ｓ４５の配線は、図示の簡単化のため、省略されている。
【００５６】
図６は、プラズマディスプレイパネルの駆動回路４６における走査電極駆動回路４３ａ、４３ｂの回路図である。走査電極駆動回路４３ａは、維持パルス発生回路５０ａ、初期化波形発生回路６０ａ、および走査パルス発生回路７０ａを備えている。
【００５７】
維持パルス発生回路５０ａは、電力回収部５１ａおよび電圧クランプ部５５ａを有し、走査電極グループＳＧ１に維持パルスを印加する。
【００５８】
電力回収部５１ａは、電力回収用のコンデンサＣ５１ａ、スイッチング素子Ｑ５１ａおよびＱ５２ａ、逆流防止用のダイオードＤ５１ａおよびＤ５２ａ、ならびに共振用のインダクタＬ５１ａを有する。コンデンサＣ５１ａの一端は接地され、他端はスイッチング素子Ｑ５１ａの一端およびスイッチング素子Ｑ５２ａの一端に接続される。スイッチング素子Ｑ５１ａの他端はダイオードＤ５１ａのアノードに接続され、スイッチング素子Ｑ５２ａの他端はダイオードＤ５２ａのカソードに接続される。ダイオードＤ５１ａのカソードおよびダイオードＤ５２ａのアノードは、共通にインダクタＬ５１ａの一端に接続され、インダクタＬ５１ａの他端は、電圧クランプ部５５ａにおけるスイッチング素子Ｑ５５ａとスイッチング素子Ｑ５６ａとの接続点に接続される。
【００５９】
電力回収部５１ａは、表示電極対グループＤＧ１を構成する走査電極グループＳＧ１と維持電極グループＵＧ１との間の１０８０個の電極間容量とインダクタＬ５１ａとをＬＣ共振させて、維持パルスの立ち上がりおよび立ち下がりを行う。電力回収部５１ａは、維持パルスの立ち上がり時には、電力回収用のコンデンサＣ５１ａに蓄えられている電荷（または電力）を、スイッチング素子Ｑ５１ａ、ダイオードＤ５１ａ、インダクタＬ５１ａ、初期化波形発生回路６０ａ、走査パルス発生回路７０ａ、および走査電極グループＳＧ１を介して、１０８０個の電極間容量に供給する。一方、電力回収部５１ａは、維持パルスの立ち下がり時には、１０８０個の電極間容量に蓄えられた電荷（または電力）を、走査電極グループＳＧ１から、走査パルス発生回路７０ａ、初期化波形発生回路６０ａ、インダクタＬ５１ａ、ダイオードＤ５２ａ、およびスイッチング素子Ｑ５２ａを介して、電力回収用のコンデンサＣ５１ａに回収する。このように、電力回収部５１ａは電源から電力を供給されずにＬＣ共振によって走査電極グループＳＧ１の駆動を行うため、理想的には消費電力が「０」となる。なお、電力回収用のコンデンサＣ５１ａは１０８０個の電極間容量に比べて十分に大きい容量を持ち、電力回収部５１ａの電源として働くように、維持放電用に供給される電源電圧Ｖｓの半分の約Ｖｓ／２に充電されている。
【００６０】
電圧クランプ部５５ａは、スイッチング素子Ｑ５５ａ、Ｑ５６ａを有する。走査電極グループＳＧ１は、スイッチング素子Ｑ５５ａを介して電源に接続され、スイッチング素子Ｑ５５ａがオンされると電源電圧Ｖｓにクランプされる。また、走査電極グループＳＧ１は、スイッチング素子Ｑ５６ａを介して接地され、スイッチング素子Ｑ５６ａがオンされると電圧０（Ｖ）にクランプされる。電源電圧Ｖｓは維持パルスのパルス尖頭電圧に対応し、電圧０（Ｖ）は維持パルスのパルス基準電圧に対応する。電圧クランプ部５５ａは、維持期間中の走査電極グループＳＧ１を、維持パルスのパルス尖頭電圧とパルス基準電圧とに交互にクランプすることにより、走査電極グループＳＧ１に維持パルスを印加する。電圧印加時における電圧クランプ部５５ａのインピーダンスは小さく、強い維持放電による大きな放電電流を安定して流すことができる。
【００６１】
こうして維持パルス発生回路５０ａは、タイミング信号Ｓ４５にもとづいてスイッチング素子Ｑ５１ａ、Ｑ５２ａ、Ｑ５５ａ、Ｑ５６ａが制御されることによって維持パルスを発生し、初期化波形発生回路６０ａおよび走査パルス発生回路７０ａを介して、走査電極グループＳＧ１に維持パルスを印加する。なお、これらのスイッチング素子Ｑ５１ａ、Ｑ５２ａ、Ｑ５５ａ、Ｑ５６ａは、ＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ：金属酸化膜半導体電界効果トランジスタ）およびＩＧＢＴ（Ｉｎｓｕｌａｔｅｄ  Ｇａｔｅ  Ｂｉｐｏｌａｒ  Ｔｒａｎｓｉｓｔｏｒ：絶縁ゲートバイポーラトランジスタ）等のトランジスタ素子を用いて構成することができる。図６には、スイッチング素子として例えばＭＯＳＦＥＴを用いた回路構成を示した。また、図面を見やすくするために、ＭＯＳＦＥＴのボディーダイオードは省略した。
【００６２】
初期化波形発生回路６０ａは、ミラー積分回路６１ａ、ミラー積分回路６２ａ、スイッチング素子Ｑ６３ａ、およびスイッチング素子Ｑ６４ａを備えている。ミラー積分回路６１ａは、初期化期間Ｔｉｎにおいて、走査電極グループＳＧ１に、緩やかに上昇する傾斜波形電圧を印加する。ミラー積分回路６２ａは、初期化期間Ｔｉｎにおいて、走査電極グループＳＧ１に、緩やかに下降する傾斜波形電圧を印加する。スイッチング素子Ｑ６３ａ、Ｑ６４ａは分離スイッチであり、維持パルス発生回路５０ａおよび初期化波形発生回路６０ａを構成するスイッチング素子の寄生ダイオードを介して電流が逆流するのを防止するために設けられている。このように初期化波形発生回路６０ａは、タイミング信号Ｓ４５にもとづいてミラー積分回路６１ａ、６２ａおよびスイッチング素子Ｑ６３ａ、Ｑ６４ａが制御されることによって、走査電極グループＳＧ１に初期化パルスを印加する。
【００６３】
走査パルス発生回路７０ａは、負の電圧Ｖａの走査パルスを走査電極ＳＣ１に印加するためのスイッチング素子Ｑ７１Ｈ１およびＱ７１Ｌ１と、走査電極ＳＣ２に印加するためのスイッチング素子Ｑ７１Ｈ２およびＱ７１Ｌ２と、・・・、走査電極ＳＣ１０８０に印加するためのスイッチング素子Ｑ７１Ｈ１０８０およびＱ７１Ｌ１０８０とを有する。さらに走査パルス発生回路７０ａは、負の電圧Ｖａを発生する電圧源７２ａを有する。走査パルス発生回路７０ａは、タイミング信号Ｓ４５にもとづいて、スイッチング素子Ｑ７１Ｈｉがオンからオフへ、同時にスイッチング素子Ｑ７１Ｌｉがオフからオンへ変化することによって、負の電圧Ｖａの走査パルスを走査電極ＳＣｉに印加する（ｉ＝１〜１０８０）。このように走査パルス発生回路７０ａは、タイミング信号Ｓ４５にもとづいてスイッチング素子Ｑ７１Ｈ１〜Ｑ７１Ｈ１０８０、Ｑ７１Ｌ１〜Ｑ７１Ｌ１０８０が制御されることによって、走査電極グループＳＧ１に走査パルスを順次印加する。
【００６４】
走査電極駆動回路４３ｂは走査電極駆動回路４３ａと同様の構成であり、走査電極グループＳＧ２に、維持パルス、初期化波形、および走査パルスを印加する。
【００６５】
維持電極駆動回路は、複数の表示電極対グループのそれぞれに対して設けられ、表示電極対グループに属する維持電極に維持パルスを印加する維持パルス発生回路と、複数の表示電極対グループのそれぞれに対して設けられ、表示電極対グループに属する維持電極に所定電圧を印加する所定電圧印加回路と、複数の電圧から１つの電圧を選択して、複数の維持パルス発生回路のそれぞれに供給する電圧選択回路とを備えている。所定電圧印加回路は、一定電圧発生回路とも呼ばれる。所定電圧は、一定電圧とも呼ばれる。一定電圧発生回路は、表示電極対グループに属する維持電極に一定電圧を印加する。
【００６６】
図７は、プラズマディスプレイパネルの駆動回路４６における維持電極駆動回路４４の回路図である。上述したように、プラズマディスプレイパネル１０を構成する走査電極ＳＣ１〜ＳＣ２１６０および維持電極ＳＵ１〜ＳＵ２１６０からなる２１６０対の表示電極対は、表示電極対グループＤＧ１、ＤＧ２に分けられる。表示電極対グループＤＧ１は走査電極グループＳＧ１および維持電極グループＵＧ１を含み、表示電極対グループＤＧ２は走査電極グループＳＧ２および維持電極グループＵＧ２を含む。すなわち、プラズマディスプレイパネル１０を構成する複数の維持電極ＳＵ１〜ＳＵ２１６０は、維持電極グループＵＧ１および維持電極グループＵＧ２に分割される。維持電極駆動回路４４は、維持期間Ｔｓ１〜Ｔｓ１０において維持パルスを、維持電極グループＵＧ１および維持電極グループＵＧ２に印加する。
【００６７】
維持電極駆動回路４４は、２つの維持パルス発生回路８０ａ、８０ｂ、２つの所定電圧印加回路９０ａ、９０ｂ、１つの電圧選択回路１００、電極経路ＲＧ１、および電極経路ＲＧ２を備えている。維持電極駆動回路４４は、電極経路ＲＧ１を介して維持電極グループＵＧ１と接続され、電極経路ＲＧ２を介して維持電極グループＵＧ２と接続される。電極経路ＲＧ１は、維持電極駆動回路４４において、維持電極グループＵＧ１への出力経路または維持電極グループＵＧ１からの入力経路を表す。電極経路ＲＧ２は、維持電極駆動回路４４において、維持電極グループＵＧ２への出力経路または維持電極グループＵＧ２からの入力経路を表す。
【００６８】
電圧選択回路１００は、電源経路ＲＳ、電源経路Ｒ１、スイッチング素子Ｑ１０１、およびスイッチング素子Ｑ１０２を有する。所定電圧源ＥＳは所定電圧Ｖｓを発生し、電源経路ＲＳは所定電圧Ｖｓを受ける。同様に、所定電圧源Ｅ１は所定電圧Ｖｅ１を発生し、電源経路Ｒ１は所定電圧Ｖｅ１を受ける。スイッチング素子Ｑ１０１は電源経路ＲＳと維持パルス発生回路８０ａおよび８０ｂとの間に接続され、スイッチング素子Ｑ１０２は電源経路Ｒ１と維持パルス発生回路８０ａおよび８０ｂとの間に接続される。電源経路は、電源端子であってもよい。
【００６９】
電圧選択回路１００は、複数の所定電圧のうちいずれか１つの所定電圧を選択し、選択された所定電圧を表す選択電圧Ｖ３を生成する。一例では、電圧選択回路１００は、所定電圧Ｖｓ、Ｖｅ１のうちいずれか一方を選択し、選択電圧Ｖ３を生成する。電圧選択回路１００は、スイッチング素子Ｑ１０１がオンされる場合、所定電圧Ｖｓを選択し、選択電圧Ｖ３を所定電圧Ｖｓとする。一方、電圧選択回路１００は、スイッチング素子Ｑ１０２がオンされる場合、所定電圧Ｖｅ１を選択し、選択電圧Ｖ３を所定電圧Ｖｅ１とする。このように電圧選択回路１００は、タイミング信号Ｓ４５にもとづいてスイッチング素子Ｑ１０１、Ｑ１０２が制御されることによって選択電圧Ｖ３を生成する。
【００７０】
なお、スイッチング素子Ｑ１０２は、維持パルス発生回路８０ａおよび８０ｂから電源経路Ｒ１を介して所定電圧源Ｅ１に向かって電流を流すために設けられている。しかし、所定電圧源Ｅ１から電源経路Ｒ１を介して維持パルス発生回路８０ａおよび８０ｂに向かってのみ電流を流す場合には、ダイオードで置き換えてもよい。
【００７１】
維持パルス発生回路８０ａは、電力回収部８１ａおよび電圧クランプ部８５ａを有する。電力回収部８１ａは、電力回収用のコンデンサＣ８１ａ、スイッチング素子Ｑ８１ａおよびＱ８２ａ、逆流防止用のダイオードＤ８１ａおよびＤ８２ａ、ならびに共振用のインダクタＬ８１ａを有する。電圧クランプ部８５ａは、高電圧側経路Ｒ３Ｈ、低電圧側経路Ｒ３Ｌ、スイッチング素子Ｑ８５ａおよびＱ８６ａ、ならびにダイオードＤ８５ａおよびＤ８６ａを有する。スイッチング素子Ｑ８５ａは、高電圧側スイッチング素子の一例であり、スイッチング素子Ｑ８６ａは、低電圧側スイッチング素子の一例である。
【００７２】
コンデンサＣ８１ａの一端は接地され、他端はスイッチング素子Ｑ８１ａの一端およびスイッチング素子Ｑ８２ａの一端に接続される。スイッチング素子Ｑ８１ａの他端はダイオードＤ８１ａのアノードに接続され、スイッチング素子Ｑ８２ａの他端はダイオードＤ８２ａのカソードに接続される。ダイオードＤ８１ａのカソードおよびダイオードＤ８２ａのアノードは、インダクタＬ８１ａの一端に接続される。インダクタＬ８１ａの他端は、電圧クランプ部８５ａにおけるスイッチング素子Ｑ８５ａとスイッチング素子Ｑ８６ａとの接続点に共通に接続される。
【００７３】
同様に、維持パルス発生回路８０ｂは、電力回収部８１ｂおよび電圧クランプ部８５ｂを有する。電力回収部８１ｂは、電力回収用のコンデンサＣ８１ｂ、スイッチング素子Ｑ８１ｂおよびＱ８２ｂ、逆流防止用のダイオードＤ８１ｂおよびＤ８２ｂ、ならびに共振用のインダクタＬ８１ｂを有する。電圧クランプ部８５ｂは、高電圧側経路Ｒ３Ｈ、低電圧側経路Ｒ３Ｌ、スイッチング素子Ｑ８５ｂおよびＱ８６ｂ、ならびにダイオードＤ８５ｂおよびＤ８６ｂを有している。スイッチング素子Ｑ８５ｂは、高電圧側スイッチング素子の一例であり、スイッチング素子Ｑ８６ｂは、低電圧側スイッチング素子の一例である。
【００７４】
なお、維持パルス発生回路８０ａ、８０ｂを構成するスイッチング素子として、ＭＯＳＦＥＴやＩＧＢＴ等のトランジスタ素子を用いることができる。図７には、ＩＧＢＴを用いた回路構成を示した。特に電圧クランプ部８５ａ、８５ｂを構成するスイッチング素子Ｑ８５ａ、Ｑ８６ａ、Ｑ８５ｂ、Ｑ８６ｂとしてＩＧＢＴを用いる場合には、制御される電流の順方向（すなわち、コレクタからエミッタへ流れる順方向の電流方向）とは逆の方向の電流経路を設けてＩＧＢＴの逆耐圧特性を確保する必要がある。そのために、ダイオードＤ８５ａ、Ｄ８６ａ、Ｄ８５ｂ、Ｄ８６ｂは、それぞれスイッチング素子Ｑ８５ａ、Ｑ８６ａ、Ｑ８５ｂ、Ｑ８６ｂに対して電流の順方向が互いに逆となるように並列に接続されている。
【００７５】
また図７には示していないが、ＩＧＢＴを保護するためにスイッチング素子Ｑ８１ａ、Ｑ８２ａ、Ｑ８１ｂ、Ｑ８２ｂのそれぞれに並列にダイオードを接続してもよい。
【００７６】
電圧クランプ部８５ａでは、スイッチング素子Ｑ８５ａおよびダイオードＤ８５ａの並列回路は、高電圧側経路Ｒ３Ｈと電極経路ＲＧ１との間に接続され、スイッチング素子Ｑ８６ａおよびダイオードＤ８６ａの並列回路は、低電圧側経路Ｒ３Ｌと電極経路ＲＧ１との間に接続される。同様に、電圧クランプ部８５ｂでは、スイッチング素子Ｑ８５ｂおよびダイオードＤ８５ｂの並列回路は、高電圧側経路Ｒ３Ｈと電極経路ＲＧ２との間に接続され、スイッチング素子Ｑ８６ｂおよびダイオードＤ８６ｂの並列回路は、低電圧側経路Ｒ３Ｌと電極経路ＲＧ２との間に接続される。高電圧側経路Ｒ３Ｈは、電圧選択回路１００のスイッチング素子Ｑ１０１およびＱ１０２に接続され、低電圧側経路Ｒ３Ｌは接地される。
【００７７】
維持パルス発生回路８０ａの動作は、維持パルス発生回路５０ａの動作と同様である。すなわち、電力回収部８１ａは、維持パルスの立ち上がり時には、電力回収用のコンデンサＣ８１ａに蓄えられている電荷（または電力）を、スイッチング素子Ｑ８１ａ、ダイオードＤ８１ａ、インダクタＬ８１ａ、および電極経路ＲＧ１を介して、維持電極グループＵＧ１に属する維持電極ＳＵ１〜ＳＵ１０８０の各電極間容量に供給する。一方、電力回収部８１ａは、維持パルスの立ち下がり時には、維持電極ＳＵ１〜ＳＵ１０８０の電極間容量に蓄えられた電荷（または電力）を、電極経路ＲＧ１、インダクタＬ８１ａ、ダイオードＤ８２ａ、およびスイッチング素子Ｑ８２ａを介して、電力回収用のコンデンサＣ８１ａに回収する。
【００７８】
また、電圧クランプ部８５ａでは、高電圧側経路Ｒ３Ｈは選択電圧Ｖ３を受け、低電圧側経路Ｒ３Ｌは所定電圧０（Ｖ）を受ける。維持電極グループＵＧ１は、スイッチング素子Ｑ８５ａがオンされると、高電圧側経路Ｒ３Ｈにおける選択電圧Ｖ３にクランプされる。維持電極グループＵＧ１は、選択電圧Ｖ３が所定電圧Ｖｓの場合、所定電圧Ｖｓにクランプされ、選択電圧Ｖ３が所定電圧Ｖｅ１の場合、所定電圧Ｖｅ１にクランプされる。維持電極グループＵＧ１は、スイッチング素子Ｑ８６ａがオンされると、所定電圧０（Ｖ）にクランプされる。
【００７９】
所定電圧Ｖｓは維持パルスのパルス尖頭電圧に対応し、所定電圧０（Ｖ）は維持パルスのパルス基準電圧に対応する。電圧クランプ部８５ａは、維持期間中の維持電極グループＵＧ１を、維持パルスのパルス尖頭電圧とパルス基準電圧とに交互にクランプすることにより、維持電極グループＵＧ１に維持パルスを印加する。電圧印加時における電圧クランプ部８５ａのインピーダンスは小さく、強い維持放電による大きな放電電流を安定して流すことができる。
【００８０】
このように、維持パルス発生回路８０ａは、タイミング信号Ｓ４５にもとづいてスイッチング素子Ｑ８１ａ、Ｑ８２ａ、Ｑ８５ａ、Ｑ８６ａが制御されることによって維持パルスを発生し、電極経路ＲＧ１を介して維持電極グループＵＧ１に維持パルスを印加する。さらに、維持パルス発生回路８０ａは、電圧選択回路１００からの所定電圧Ｖｅ１を、高電圧側経路Ｒ３Ｈにおいて受け、電極経路ＲＧ１を介して維持電極グループＵＧ１に所定電圧Ｖｅ１を印加する。
【００８１】
維持パルス発生回路８０ｂの動作についても、維持パルス発生回路８０ａの動作と同様である。すなわち、維持パルス発生回路８０ｂは、パルス尖頭電圧およびパルス基準電圧を繰り返し発生することにより維持パルスを発生し、電極経路ＲＧ２を介して維持電極グループＵＧ２に印加する。さらに、維持パルス発生回路８０ｂは、電圧選択回路１００からの所定電圧Ｖｅ１を、高電圧側経路Ｒ３Ｈにおいて受け、電極経路ＲＧ２を介して維持電極グループＵＧ２に印加する。
【００８２】
所定電圧印加回路９０ａは、電源経路Ｒ２、スイッチング素子Ｑ９１ａ、およびスイッチング素子Ｑ９２ａを有する。所定電圧源Ｅ２は所定電圧Ｖｅ２を発生し、電源経路Ｒ２は所定電圧Ｖｅ２を受ける。スイッチング素子Ｑ９１ａとスイッチング素子Ｑ９２ａとは、制御される電流の順方向（すなわち、ドレインからソースへまたはコレクタからエミッタへ流れる順方向の電流方向）が互いに逆になるように、直列接続された双方向のスイッチを形成している。このスイッチング素子Ｑ９１ａとスイッチング素子Ｑ９２ａとの直列接続回路は、電源経路Ｒ２と電極経路ＲＧ１との間に接続される。所定電圧印加回路９０ａは、スイッチング素子Ｑ９１ａおよびスイッチング素子Ｑ９２ａが同時にオン状態の場合にオン状態となり、同時にオフ状態の場合にオフ状態となる。所定電圧印加回路９０ａは、オンされることにより、所定電圧Ｖｅ２を、電極経路ＲＧ１を介して維持電極グループＵＧ１に印加する。所定電圧印加回路９０ａは、オフされることにより、電源経路Ｒ２と維持電極グループＵＧ１とを電気的に遮断する。このように所定電圧印加回路９０ａは、タイミング信号Ｓ４５にもとづいて制御されることによって、所定電圧Ｖｅ２を、電極経路ＲＧ１を介して維持電極グループＵＧ１に印加する。
【００８３】
同様に、所定電圧印加回路９０ｂは、電源経路Ｒ２、スイッチング素子Ｑ９１ｂ、およびスイッチング素子Ｑ９２ｂを有する。スイッチング素子Ｑ９１ｂとスイッチング素子Ｑ９２ｂとは、制御される電流の順方向が互いに逆になるように、直列接続された双方向のスイッチを形成している。このスイッチング素子Ｑ９１ｂとスイッチング素子Ｑ９２ｂとの直列接続回路は、電源経路Ｒ２と電極経路ＲＧ２との間に接続される。所定電圧印加回路９０ｂは、スイッチング素子Ｑ９１ｂおよびスイッチング素子Ｑ９２ｂが同時にオン状態の場合にオン状態となり、同時にオフ状態の場合にオフ状態となる。所定電圧印加回路９０ｂは、オンされることにより、所定電圧Ｖｅ２を、電極経路ＲＧ２を介して維持電極グループＵＧ２に印加する。所定電圧印加回路９０ｂは、オフされることにより、電源経路Ｒ２と維持電極グループＵＧ２とを電気的に遮断する。このように所定電圧印加回路９０ｂは、タイミング信号Ｓ４５にもとづいて制御されることによって、所定電圧Ｖｅ２を、電極経路ＲＧ２を介して維持電極グループＵＧ２に印加する。
【００８４】
なお、電圧選択回路１００および所定電圧印加回路９０ａ、９０ｂを構成するスイッチング素子も、ＭＯＳＦＥＴやＩＧＢＴ等のトランジスタ素子を用いて構成することができる。図７には、ＭＯＳＦＥＴを用いた回路構成を示した。しかしスイッチング素子としてＩＧＢＴを用いる場合には、制御される電流の順方向（すなわち、コレクタからエミッタへ流れる順方向の電流方向）とは逆の方向の電流経路を設けてＩＧＢＴの逆耐圧特性を確保する必要がある。そのために、ＩＧＢＴに並列にダイオードを接続することが望ましい。なお図７にはそれぞれのＭＯＳＦＥＴのボディーダイオードを明記した。
【００８５】
なお、スイッチング素子Ｑ９１ａ、Ｑ９１ｂは、所定電圧源Ｅ２から、それぞれ維持電極グループＵＧ１、ＵＧ２に向かってのみ電流を流す場合には、ダイオードで置き換えることができる。
【００８６】
図８は、プラズマディスプレイパネルの駆動回路４６における維持電極駆動回路４４の動作を示す波形図である。図８の上半部は、維持電極グループＵＧ１および維持電極グループＵＧ２に印加する駆動電圧波形を示している。図８の下半部は、スイッチング素子Ｑ８５ａ、Ｑ８６ａ、Ｑ８５ｂ、およびＱ８６ｂ、所定電圧印加回路９０ａおよび９０ｂ、ならびにスイッチング素子Ｑ１０１およびＱ１０２が、タイミング信号Ｓ４５にもとづいてオン／オフされる状態を示している。図８、ならびに後述する図１３および図１５では、オン状態がＯＮ、オフ状態がＯＦＦのように示される。
【００８７】
初期化期間Ｔｉｎにおいて維持電極グループＵＧ１、ＵＧ２に所定電圧０（Ｖ）を印加するには、スイッチング素子Ｑ８６ａをオンにして、維持電極グループＵＧ１を接地する。同時にスイッチング素子Ｑ８６ｂをオンにして、維持電極グループＵＧ２を接地する。
【００８８】
次に維持電極グループＵＧ１、ＵＧ２に所定電圧Ｖｅ１を印加するには、スイッチング素子Ｑ８６ａ、Ｑ８６ｂをオフにする。そしてスイッチング素子Ｑ１０２をオンにして、維持パルス発生回路８０ａ、８０ｂに所定電圧Ｖｅ１を供給する。さらにスイッチング素子Ｑ８５ａをオンにして、維持電極グループＵＧ１を所定電圧Ｖｅ１にクランプする。同時にスイッチング素子Ｑ８５ｂをオンにして、維持電極グループＵＧ２を所定電圧Ｖｅ１にクランプする。
【００８９】
続く維持電極グループＵＧ１におけるサブフィールドＳＦ１の書き込み期間Ｔｗ１において、スイッチング素子Ｑ８５ａをオフにするとともに所定電圧印加回路９０ａをオンにして、維持電極グループＵＧ１に所定電圧Ｖｅ２を印加する。同時に、スイッチング素子Ｑ８５ｂをオフにするとともに所定電圧印加回路９０ｂをオンにして、維持電極グループＵＧ２にも所定電圧Ｖｅ２を印加する。
【００９０】
続く維持電極グループＵＧ１におけるサブフィールドＳＦ１の維持期間Ｔｓ１において、スイッチング素子Ｑ１０１をオンにして維持パルス発生回路８０ａ、８０ｂに所定電圧Ｖｓを供給する。そして所定電圧印加回路９０ａをオフにするとともに、維持パルス発生回路８０ａで発生させた維持パルスを維持電極グループＵＧ１に印加する。
【００９１】
維持パルス発生回路８０ａで維持パルスを発生させるには、スイッチング素子Ｑ８１ａ、Ｑ８５ａ、Ｑ８６ａをオフにした後、スイッチング素子Ｑ８２ａをオンにして、ＬＣ共振により維持電極グループＵＧ１の電圧を所定電圧０（Ｖ）付近まで低下させる。その後スイッチング素子Ｑ８６ａをオンにして、維持電極グループＵＧ１を所定電圧０（Ｖ）にクランプする。次に、スイッチング素子Ｑ８２ａ、Ｑ８６ａをオフにした後、スイッチング素子Ｑ８１ａをオンにして、ＬＣ共振により維持電極グループＵＧ１の電圧を所定電圧Ｖｓ付近まで上昇させる。その後、スイッチング素子Ｑ８５ａをオンにして、維持電極グループＵＧ１を所定電圧Ｖｓにクランプする。以上の動作を繰り返すことにより、維持パルス発生回路８０ａは維持パルスを発生させることができる。
【００９２】
この間、維持電極グループＵＧ２はサブフィールドＳＦ１の書き込み期間Ｔｗ１の状態にあるので、維持電極グループＵＧ２に所定電圧Ｖｅ２を継続して印加する。
【００９３】
続く維持電極グループＵＧ１におけるサブフィールドＳＦ１の消去期間Ｔｅにおいて、スイッチング素子Ｑ８１ａ、Ｑ８２ａ、Ｑ８５ａ、Ｑ８６ａをオフにした後、所定電圧印加回路９０ａをオンにして、維持電極グループＵＧ１に所定電圧Ｖｅ２を印加する。その後、維持電極グループＵＧ１におけるサブフィールドＳＦ２の書き込み期間Ｔｗ１において、各スイッチング素子のオンオフ状態を継続する。
【００９４】
維持電極グループＵＧ１におけるサブフィールドＳＦ２の書き込み期間Ｔｗ１では、維持電極グループＵＧ２はサブフィールドＳＦ１の維持期間Ｔｓ１の状態にあるので、所定電圧印加回路９０ｂをオフにするとともに、維持パルス発生回路８０ｂで発生させた維持パルスを、維持電極グループＵＧ２に印加する。
【００９５】
以下同様に、書き込み期間Ｔｗ１となる維持電極グループに属する維持電極には、対応する維持パルス発生回路のスイッチング素子をオフとするとともに、対応する所定電圧印加回路をオンとして所定電圧Ｖｅ２を印加する。そして維持期間となる維持電極グループに属する維持電極には、対応する所定電圧印加回路をオフとするとともに、対応する維持パルス発生回路のスイッチング素子を制御して維持パルスを印加する。
【００９６】
以上の動作を繰り返すことにより、図８に示した駆動電圧波形を各維持電極グループＵＧ１、ＵＧ２に属する維持電極に印加することができる。
【００９７】
このように、実施の形態１における維持電極駆動回路４４は、所定電圧Ｖｓおよび所定電圧Ｖｅ１から１つの所定電圧を選択して、２つの維持パルス発生回路８０ａ、８０ｂのそれぞれに供給する電圧選択回路１００を備えている。この回路構成により、表示電極対グループ数と同数の維持電極駆動回路を設けた場合に比べて、スイッチング素子の数を少なくすることができ、簡素な維持電極駆動回路を実現している。実際、表示電極対グループの数と同数の維持電極駆動回路を設けたと仮定すると、それぞれの維持電極駆動回路に対して所定電圧Ｖｅ１を供給するためにスイッチング素子が２つずつ、合計４つのスイッチング素子が必要となる。しかしながら実施の形態１によれば、電圧選択回路１００を構成する２つのスイッチング素子Ｑ１０１、Ｑ１０２を追加することで、上述した４つのスイッチング素子をなくすことができるので、スイッチング素子を２つ減らすことができる。
【００９８】
なお、実施の形態１においては２１６０対の表示電極対を上下に２分割して２つの表示電極対グループに分けた場合について説明した。しかし本発明はこれに限定するものではなく、表示電極対を３つ以上の表示電極対グループに分けた場合であっても適用することができる。また表示電極対グループの数が多くなるほどスイッチング素子の削減効果は大きくなる。以下に、表示電極対を４つの表示電極対グループに分けた例について説明する。
【００９９】
（実施の形態２）
実施の形態２では、実施の形態１と異なる点を中心に説明する。実施の形態２におけるその他の構成、動作、および効果は、実施の形態１と同等であるので、説明を省略する。
【０１００】
図９は、プラズマディスプレイ装置４０のパネル１０の電極配列図である。実施の形態２においては、パネルを上下方向に４分割して４つの表示電極対グループに分けている。パネルの上部に位置する表示電極対から順に、表示電極対グループＤＧ１１、表示電極対グループＤＧ１２、表示電極対グループＤＧ２１、表示電極対グループＤＧ２２とする。また、５４０本の走査電極ＳＣ１〜ＳＣ５４０を走査電極グループＳＧ１１とし、５４０本の維持電極ＳＵ１〜ＳＵ５４０を維持電極グループＵＧ１１とする。さらに、５４０本の走査電極ＳＣ５４１〜ＳＣ１０８０を走査電極グループＳＧ１２とし、５４０本の維持電極ＳＵ５４１〜ＳＵ１０８０を維持電極グループＵＧ１２とする。さらに、５４０本の走査電極ＳＣ１０８１〜ＳＣ１６２０を走査電極グループＳＧ２１とし、５４０本の維持電極ＳＵ１０８１〜ＳＵ１６２０を維持電極グループＵＧ２１とする。さらに、５４０本の走査電極ＳＣ１６２１〜ＳＣ２１６０を走査電極グループＳＧ２２とし、５４０本の維持電極ＳＵ１６２１〜ＳＵ２１６０を維持電極グループＵＧ２２とする。すなわち、走査電極グループＳＧ１１および維持電極グループＵＧ１１が表示電極対グループＤＧ１１に属し、走査電極グループＳＧ１２および維持電極グループＵＧ１２が表示電極対グループＤＧ１２に属している。さらに、走査電極グループＳＧ２１および維持電極グループＵＧ２１が表示電極対グループＤＧ２１に属し、走査電極グループＳＧ２２および維持電極グループＵＧ２２が表示電極対グループＤＧ２２に属している。
【０１０１】
図１０は、プラズマディスプレイ装置４０のサブフィールド構成を示すタイミング図である。図１０の縦軸は走査電極ＳＣ１〜ＳＣ２１６０を示し、横軸は時間ｔを示している。また、書き込み動作を行うタイミングを表す書き込みタイミングｔＷは、太い実線で示している。維持期間のタイミングを表す維持期間タイミングｔＳは、細いハッチングで示している。消去期間のタイミングを表す消去期間タイミングｔＥは、太いハッチングで示している。このように、表示電極対グループの数を増やすことで、図３の場合に比べて維持期間Ｔｓ１、・・・を長くすることができる。その結果、表示電極対に印加する維持パルス数を増やすことができ、パネルの発光輝度を高めることができる。
【０１０２】
また図１０では、消去期間Ｔｅを次のサブフィールドの書き込み期間の直前に設けている。そして、初期化期間Ｔｉｎおよびそれぞれの消去期間Ｔｅを除くフィールド期間Ｔｆにおいて、いずれかの表示電極対グループで連続して書き込み動作を行うように駆動している。加えて、維持期間が消去期間Ｔｅの直前で終了するように、維持期間と書き込み期間との間に放電を発生させない消去期間を設けている。このように維持期間の直後に消去期間を設けることで、維持放電で発生したプライミングを利用して消去放電を行うことができ、安定した消去動作を行うことができる。
【０１０３】
なお実施の形態２においても、１フィールド期間Ｔｆを１６．７ｍｓ、初期化期間Ｔｉｎを５００μｓ、１走査電極１本あたりの書き込み動作に要する期間を０．７μｓとした。したがって、すべての走査電極ＳＣ１〜ＳＣ２１６０で書き込み動作を１回行うために必要な期間を表す全書き込み期間Ｔｗは１５１２μｓであり、最大で１０サブフィールドを確保できる。ただし実施の形態２においては、各サブフィールドにおいてそれぞれ「１１０」、「８１」、「５５」、「３３」、「２０」、「１１」、「６」、「４」、「２」、「１」の個数の維持パルスを印加するものとした。これらの維持パルスの個数は、実施の形態１の場合に比べて、平均して２倍弱となっている。維持パルス周期を１０μｓとすると、維持パルスを印加するために要する最大の時間Ｔｓ１は、１０×１１０＝１１００μｓである。
【０１０４】
したがって、式２は、
Ｎ≧Ｔｗ／（Ｔｗ−Ｔｓ１）＝３．６７              （７）
となる。表示電極対グループ数Ｎは、式７を満たす最小の整数であるので、４となる。このように、表示電極対を４つの表示電極対グループに分けることにより、２つの表示電極対グループの場合よりも維持パルスの個数を平均して２倍弱に増加させることができ、パネルの発光輝度を高めることができる。
【０１０５】
図１１は、プラズマディスプレイパネルの駆動回路４６における維持電極駆動回路１４４の回路図である。維持電極駆動回路１４４は、４つの維持パルス発生回路１８０ａ、１８０ｂ、１８０ｃ、および１８０ｄ、４つの所定電圧印加回路１９０ａ、１９０ｂ、１９０ｃ、および１９０ｄ、１つの電圧選択回路１００、ならびに４つの電極経路ＲＧ１１、ＲＧ１２、ＲＧ２１、およびＲＧ２２を備えている。維持電極駆動回路１４４は、電極経路ＲＧ１１を介して維持電極グループＵＧ１１と接続され、電極経路ＲＧ１２を介して維持電極グループＵＧ１２と接続され、電極経路ＲＧ２１を介して維持電極グループＵＧ２１と接続され、電極経路ＲＧ２２を介して維持電極グループＵＧ２２と接続される。電極経路ＲＧ１１は、維持電極駆動回路１４４において、維持電極グループＵＧ１１への出力経路または維持電極グループＵＧ１１からの入力経路を表す。電極経路ＲＧ１２は、維持電極駆動回路１４４において、維持電極グループＵＧ１２への出力経路または維持電極グループＵＧ１２からの入力経路を表す。電極経路ＲＧ２１は、維持電極駆動回路１４４において、維持電極グループＵＧ２１への出力経路または維持電極グループＵＧ２１からの入力経路を表す。電極経路ＲＧ２２は、維持電極駆動回路１４４において、維持電極グループＵＧ２２への出力経路または維持電極グループＵＧ２２からの入力経路を表す。
【０１０６】
電圧選択回路１００は、実施の形態１における電圧選択回路１００と同様な構成になっており、同様に動作する。すなわち、電圧選択回路１００は、所定電圧Ｖｓ、Ｖｅ１のうちいずれか１つの所定電圧を選択し、選択された所定電圧を高電圧側経路Ｒ３Ｈに供給する。
【０１０７】
各維持パルス発生回路１８０ａ、１８０ｂ、１８０ｃ、１８０ｄは、実施の形態１における維持パルス発生回路８０ａと同様な構成になっており、同様に動作する。すなわち、維持パルス発生回路１８０ａ、１８０ｂ、１８０ｃ、１８０ｄは、パルス尖頭電圧およびパルス基準電圧を繰り返し発生することにより維持パルスを発生し、それぞれ維持電極グループＵＧ１１、ＵＧ１２、ＵＧ２１、ＵＧ２２に印加する。さらに、維持パルス発生回路１８０ａ、１８０ｂ、１８０ｃ、１８０ｄは、電圧選択回路１００からの所定電圧Ｖｅ１を、高電圧側経路Ｒ３Ｈにおいて受け、それぞれ維持電極グループＵＧ１１、ＵＧ１２、ＵＧ２１、ＵＧ２２に印加する。
【０１０８】
各所定電圧印加回路１９０ａ、１９０ｂ、１９０ｃ、１９０ｄは、実施の形態１における所定電圧印加回路９０ａと同様な構成になっており、同様に動作する。すなわち、所定電圧印加回路１９０ａ、１９０ｂ、１９０ｃ、１９０ｄは、オンされることにより、所定電圧Ｖｅ２を、それぞれ維持電極グループＵＧ１１、ＵＧ１２、ＵＧ２１、ＵＧ２２に印加する。所定電圧印加回路１９０ａ、１９０ｂ、１９０ｃ、１９０ｄは、オフされることにより、電源経路Ｒ２と維持電極グループＵＧ１１、ＵＧ１２、ＵＧ２１、ＵＧ２２とをそれぞれ電気的に遮断する。
【０１０９】
なお、所定電圧印加回路１９０ａ、１９０ｂ、１９０ｃ、１９０ｄは、所定電圧源Ｅ２から、それぞれ維持電極グループＵＧ１１、ＵＧ１２、ＵＧ２１、ＵＧ２２に向かってのみ電流を流す場合には、スイッチング素子の一方をダイオードで置き換えることができる。
【０１１０】
このように、実施の形態２における維持電極駆動回路１４４は、所定電圧Ｖｓおよび所定電圧Ｖｅ１から１つの所定電圧を選択して、４つの維持パルス発生回路１８０ａ、１８０ｂ、１８０ｃ、１８０ｄのそれぞれに供給する電圧選択回路１００を備えている。この回路構成により、表示電極対グループ数と同数の維持電極駆動回路を設けた場合に比べて、スイッチング素子の数を少なくすることができ、簡素な維持電極駆動回路を実現している。実際、表示電極対グループ数と同数の維持電極駆動回路を設けたと仮定すると、それぞれの維持電極駆動回路に対して所定電圧Ｖｅ１を供給するためにスイッチング素子が２つずつ、合計８つのスイッチング素子が必要となる。しかしながら実施の形態２によれば、電圧選択回路１００を構成する２つのスイッチング素子Ｑ１０１、Ｑ１０２を追加することで、上述した８つのスイッチング素子をなくすことができるので、スイッチング素子を６つ減らすことができる。
【０１１１】
なお実施の形態１、２の維持電極駆動回路においては、電圧選択回路１００は、維持パルス発生回路の高電圧側経路Ｒ３Ｈに所定電圧Ｖｓまたは所定電圧Ｖｅ１を供給する回路構成であるとした。しかし本発明はこの構成に限定されるものではない。以下に、維持パルス発生回路の低電圧側経路Ｒ３Ｌに所定電圧０（Ｖ）または所定電圧Ｖｅ１を供給する電圧選択回路を備えた維持電極駆動回路について説明する。
【０１１２】
（実施の形態３）
実施の形態３においては、実施の形態１と同様に、パネルを上下方向に２分割して２つの表示電極対グループＤＧ１、ＤＧ２に分けている。走査電極ＳＣ１〜ＳＣ１０８０（すなわち、走査電極グループＳＧ１）および維持電極ＳＵ１〜ＳＵ１０８０（すなわち、維持電極グループＵＧ１）が表示電極対グループＤＧ１に属し、走査電極ＳＣ１０８１〜ＳＣ２１６０（すなわち、走査電極グループＳＧ２）および維持電極ＳＵ１０８１〜ＳＵ２１６０（すなわち、維持電極グループＵＧ２）が表示電極対グループＤＧ２に属するものとして説明する。
【０１１３】
図１２は、プラズマディスプレイパネルの駆動回路４６における維持電極駆動回路２４４の回路図である。維持電極駆動回路２４４は、２つの維持パルス発生回路８０ａおよび８０ｂ、２つの所定電圧印加回路９０ａおよび９０ｂ、１つの電圧選択回路２００、ならびに２つの電極経路ＲＧ１およびＲＧ２を備えている。図１２の維持電極駆動回路２４４が図７の維持電極駆動回路４４と異なる点は、電圧選択回路１００が電圧選択回路２００に変更されている点である。さらに、維持電極駆動回路４４では、高電圧側経路Ｒ３Ｈは電圧選択回路１００に接続され、低電圧側経路Ｒ３Ｌは接地されているのに対して、維持電極駆動回路２４４では、高電圧側経路Ｒ３Ｈは所定電圧源ＥＳからの所定電圧Ｖｓを受け、低電圧側経路Ｒ３Ｌは電圧選択回路２００に接続されている。その他の構成、動作、および効果は、実施の形態１および２と同等であるので、説明を省略する。
【０１１４】
電圧選択回路２００は、電源経路Ｒ１、スイッチング素子Ｑ２０１、およびスイッチング素子Ｑ２０２を有する。所定電圧源Ｅ１は所定電圧Ｖｅ１を発生し、電源経路Ｒ１は所定電圧Ｖｅ１を受ける。スイッチング素子Ｑ２０１は接地と維持パルス発生回路８０ａおよび８０ｂとの間に接続され、スイッチング素子Ｑ２０２は電源経路Ｒ１と維持パルス発生回路８０ａおよび８０ｂとの間に接続される。
【０１１５】
電圧選択回路２００は、複数の所定電圧のうちいずれか１つの所定電圧を選択し、選択された所定電圧を表す選択電圧Ｖ３を生成する。一例では、電圧選択回路２００は、所定電圧０（Ｖ）または所定電圧Ｖｅ１のうちいずれか一方を選択し、選択電圧Ｖ３を生成する。電圧選択回路２００は、スイッチング素子Ｑ２０１がオンされる場合、所定電圧０（Ｖ）を選択し、選択電圧Ｖ３を所定電圧０（Ｖ）とする。一方、電圧選択回路２００は、スイッチング素子Ｑ２０２がオンされる場合、所定電圧Ｖｅ１を選択し、選択電圧Ｖ３を所定電圧Ｖｅ１とする。
【０１１６】
電圧クランプ部８５ａでは、高電圧側経路Ｒ３Ｈは所定電圧源ＥＳに接続され、低電圧側経路Ｒ３Ｌは、電圧選択回路２００のスイッチング素子Ｑ２０１およびＱ２０２に接続される。高電圧側経路Ｒ３Ｈは所定電圧源ＥＳからの所定電圧Ｖｓを受け、低電圧側経路Ｒ３Ｌは選択電圧Ｖ３を受ける。維持電極グループＵＧ１は、スイッチング素子Ｑ８６ａがオンされると、低電圧側経路Ｒ３Ｌにおける選択電圧Ｖ３にクランプされる。維持電極グループＵＧ１は、選択電圧Ｖ３が所定電圧０（Ｖ）の場合、所定電圧０（Ｖ）にクランプされ、選択電圧Ｖ３が所定電圧Ｖｅ１の場合、所定電圧Ｖｅ１にクランプされる。維持電極グループＵＧ１は、スイッチング素子Ｑ８５ａがオンされると、所定電圧Ｖｓにクランプされる。
【０１１７】
所定電圧Ｖｓは維持パルスのパルス尖頭電圧に対応し、所定電圧０（Ｖ）は維持パルスのパルス基準電圧に対応する。電圧クランプ部８５ａは、維持パルスのパルス尖頭電圧またはパルス基準電圧を発生し、維持期間中の維持電極グループＵＧ１を、維持パルスのパルス尖頭電圧またはパルス基準電圧にそれぞれ設定する。このように、維持パルス発生回路８０ａは、パルス尖頭電圧およびパルス基準電圧を繰り返し発生することにより維持パルスを発生し、電極経路ＲＧ１を介して維持電極グループＵＧ１に印加する。さらに、維持パルス発生回路８０ａは、電圧選択回路２００からの所定電圧Ｖｅ１を、低電圧側経路Ｒ３Ｌにおいて受け、電極経路ＲＧ１を介して維持電極グループＵＧ１に印加する。
【０１１８】
電圧クランプ部８５ｂについても、電圧クランプ部８５ａと同様に動作する。
【０１１９】
図１３は、プラズマディスプレイパネルの駆動回路４６における維持電極駆動回路２４４の動作を示す波形図である。図１３の上半部は、維持電極グループＵＧ１および維持電極グループＵＧ２に印加する駆動電圧波形を示している。図１３の下半部は、スイッチング素子Ｑ８５ａ、Ｑ８６ａ、Ｑ８５ｂ、およびＱ８６ｂ、所定電圧印加回路９０ａおよび９０ｂ、ならびにスイッチング素子Ｑ２０１およびＱ２０２が、タイミング信号Ｓ４５にもとづいてオン／オフされる状態を示している。
【０１２０】
初期化期間Ｔｉｎにおいて維持電極グループＵＧ１、ＵＧ２に所定電圧０（Ｖ）を印加するには、スイッチング素子Ｑ２０１をオンにする。そしてスイッチング素子Ｑ８６ａをオンにして、維持電極グループＵＧ１を接地するとともに、スイッチング素子Ｑ８６ｂをオンにして維持電極グループＵＧ２を接地する。
【０１２１】
次に維持電極グループＵＧ１、ＵＧ２に所定電圧Ｖｅ１を印加するには、スイッチング素子Ｑ２０１をオフにし、スイッチング素子Ｑ２０２をオンにする。これによりスイッチング素子Ｑ２０２、Ｑ８６ａを介して維持電極グループＵＧ１に所定電圧Ｖｅ１が印加され、スイッチング素子Ｑ２０２、Ｑ８６ｂを介して維持電極グループＵＧ２に所定電圧Ｖｅ１が印加される。
【０１２２】
続く維持電極グループＵＧ１におけるサブフィールドＳＦ１の書き込み期間Ｔｗ１において、スイッチング素子Ｑ８６ａをオフにするとともに所定電圧印加回路９０ａをオンにして、維持電極グループＵＧ１に所定電圧Ｖｅ２を印加する。同時に、スイッチング素子Ｑ８６ｂをオフにするとともに所定電圧印加回路９０ｂをオンにして、維持電極グループＵＧ２にも所定電圧Ｖｅ２を印加する。
【０１２３】
続く維持電極グループＵＧ１におけるサブフィールドＳＦ１の維持期間Ｔｓ１において、スイッチング素子Ｑ２０１をオンにして維持パルス発生回路８０ａ、８０ｂに所定電圧０（Ｖ）を供給する。そして所定電圧印加回路９０ａをオフにするとともに維持パルス発生回路８０ａで発生させた維持パルスを維持電極グループＵＧ１に印加する。
【０１２４】
この間、維持電極グループＵＧ２はサブフィールドＳＦ１の書き込み期間Ｔｗ１の状態にあるので、維持電極グループＵＧ２に所定電圧Ｖｅ２を継続して印加する。
【０１２５】
続く維持電極グループＵＧ１におけるサブフィールドＳＦ１の消去期間Ｔｅにおいて、スイッチング素子Ｑ８１ａ、Ｑ８２ａ、Ｑ８５ａ、Ｑ８６ａをオフにした後、所定電圧印加回路９０ａをオンにして、維持電極グループＵＧ１に所定電圧Ｖｅ２を印加する。その後、維持電極グループＵＧ１におけるサブフィールドＳＦ２の書き込み期間Ｔｗ１において、継続して維持電極グループＵＧ１に所定電圧Ｖｅ２を印加する。
【０１２６】
維持電極グループＵＧ１におけるサブフィールドＳＦ２の書き込み期間Ｔｗ１では、維持電極グループＵＧ２はサブフィールドＳＦ１の維持期間Ｔｓ１の状態にあるので、所定電圧印加回路９０ｂをオフにするとともに維持パルス発生回路８０ｂで発生させた維持パルスを、維持電極グループＵＧ２に印加する。
【０１２７】
以下同様に、書き込み期間Ｔｗ１となる維持電極グループに属する維持電極には、対応する維持パルス発生回路のスイッチング素子をオフとするとともに、対応する所定電圧印加回路をオンとして所定電圧Ｖｅ２を印加する。そして維持期間となる維持電極グループに属する維持電極には、対応する所定電圧印加回路をオフとするとともに、対応する維持パルス発生回路のスイッチング素子を制御して維持パルスを印加する。
【０１２８】
以上の動作を繰り返すことにより、図１３に示した駆動電圧波形を各維持電極グループＵＧ１、ＵＧ２に属する維持電極に印加することができる。
【０１２９】
このように、実施の形態３における維持電極駆動回路２４４は、所定電圧０（Ｖ）および所定電圧Ｖｅ１から１つの所定電圧を選択して、２つの維持パルス発生回路８０ａ、８０ｂのそれぞれに供給する電圧選択回路２００を備えている。この回路構成により、実施の形態１における維持電極駆動回路４４と同様に、スイッチング素子を２つ減らすことができる。
【０１３０】
（実施の形態４）
実施の形態４では、実施の形態１〜３と異なる点を中心に説明する。実施の形態４におけるその他の構成、動作、および効果は、実施の形態１〜３と同等であるので、説明を省略する。
【０１３１】
図１４は、プラズマディスプレイパネルの駆動回路４６ａの回路図である。プラズマディスプレイパネルの駆動回路４６ａは、走査電極駆動回路４３ｃ、走査電極駆動回路４３ｄ、維持電極駆動回路３４４、バック経路ＲＢ１、およびバック経路ＲＢ２を備えている。プラズマディスプレイパネルの駆動回路４６ａは、さらに、図５において上述したプラズマディスプレイパネルの駆動回路４６と同様な回路を備えている。すなわち、プラズマディスプレイパネルの駆動回路４６ａは、画像信号処理回路４１、データ電極駆動回路４２、タイミング発生回路４５、および各回路ブロックに必要な電源を供給する電源回路を備えている。しかし図１４では、これらの回路は、図示の簡単化のため省略されている。走査電極駆動回路４３ｃは走査電極駆動回路４３ａから変更され、走査電極駆動回路４３ｄは走査電極駆動回路４３ｂから変更され、維持電極駆動回路３４４は維持電極駆動回路４４から変更されている（図５、図６、および図７を参照）。
【０１３２】
走査電極駆動回路４３ｃは、維持パルス発生回路１５０ａ、初期化波形発生回路６０ａ、および走査パルス発生回路７０ａを備えている。維持パルス発生回路１５０ａは、電圧クランプ部５５ａおよび電力回収部１５１ａを備えている。初期化波形発生回路６０ａ、走査パルス発生回路７０ａ、および電圧クランプ部５５ａは、図６において上述した通りである。すなわち、走査電極駆動回路４３ｃが走査電極駆動回路４３ａと異なる点は、電力回収部１５１ａが電力回収部５１ａと異なる点である。さらに、電力回収部１５１ａが電力回収部５１ａと異なる点は、電力回収用のコンデンサＣ５１ａが削除されている点、および削除されたコンデンサＣ５１ａが接続されていた接続点ＰＣ１に、バック経路ＲＢ１が接続されている点である。
【０１３３】
走査電極駆動回路４３ｄは、走査電極駆動回路４３ｃと同様に、維持パルス発生回路１５０ｂ、初期化波形発生回路６０ｂ、および走査パルス発生回路７０ｂを備えている。維持パルス発生回路１５０ｂは、電圧クランプ部５５ｂおよび電力回収部１５１ｂを備えている。維持パルス発生回路１５０ｂ、初期化波形発生回路６０ｂ、および走査パルス発生回路７０ｂは、それぞれ維持パルス発生回路１５０ａ、初期化波形発生回路６０ａ、および走査パルス発生回路７０ａと同様に構成される。電力回収部１５１ｂは、電力回収部１５１ａと同様に構成され、電力回収用のコンデンサを含まず、接続点ＰＣ１に対応する接続点ＰＣ２に、バック経路ＲＢ２が接続されている。
【０１３４】
維持電極駆動回路３４４は、維持パルス発生回路２８０ａおよび２８０ｂ、所定電圧印加回路９０ａおよび９０ｂ、電圧選択回路１００、電極経路ＲＧ１、ならびに電極経路ＲＧ２を備えている。維持電極駆動回路３４４が維持電極駆動回路４４と異なる点は、維持パルス発生回路２８０ａ、２８０ｂがそれぞれ維持パルス発生回路８０ａ、８０ｂ（図７および図１２を参照）から変更されている点である。さらに、維持パルス発生回路２８０ａが維持パルス発生回路８０ａと異なる点は、電力回収部８１ａが削除されている点、および削除された電力回収部８１ａが接続されていた接続点ＰＵ１に、バック経路ＲＢ１が接続されている点である。同様に、維持パルス発生回路２８０ｂが維持パルス発生回路８０ｂと異なる点は、電力回収部８１ｂが削除されている点、および削除された電力回収部８１ｂが接続されていた接続点ＰＵ２に、バック経路ＲＢ２が接続されている点である。
【０１３５】
このように、プラズマディスプレイパネルの駆動回路４６ａがプラズマディスプレイパネルの駆動回路４６と異なる点は、３点である。１点目は、走査電極駆動回路４３ｃでは、走査電極駆動回路４３ａの電力回収用のコンデンサＣ５１ａが削除され、走査電極駆動回路４３ｄでは、走査電極駆動回路４３ｃの場合と同様に、走査電極駆動回路４３ｂの電力回収用のコンデンサが削除されている点である。２点目は、維持電極駆動回路３４４では、維持電極駆動回路４４の電力回収部８１ａ、８１ｂが削除されている点である。３点目は、接続点ＰＣ１、ＰＵ１が、共通にバック経路ＲＢ１に接続され、接続点ＰＣ２、ＰＵ２が、共通にバック経路ＲＢ２に接続されている点である。以下では、これらの異なる点に関して、構成、動作、および効果を説明する。
【０１３６】
走査電極駆動回路４３ｃにおいて、電力回収部１５１ａは、スイッチング素子Ｑ５１ａおよびＱ５２ａ、逆流防止用のダイオードＤ５１ａおよびＤ５２ａ、ならびに共振用のインダクタＬ５１ａを有する。電圧クランプ部５５ａは、スイッチング素子Ｑ５５ａおよびＱ５６ａを有する。スイッチング素子Ｑ５１ａの一端およびスイッチング素子Ｑ５２ａの一端は、接続点ＰＣ１を介してバック経路ＲＢ１に共通に接続される。スイッチング素子Ｑ５１ａの他端はダイオードＤ５１ａのアノードに接続され、スイッチング素子Ｑ５２ａの他端はダイオードＤ５２ａのカソードに接続される。ダイオードＤ５１ａのカソードおよびダイオードＤ５２ａのアノードは、共通にインダクタＬ５１ａの一端に接続される。インダクタＬ５１ａの他端は、電圧クランプ部５５ａにおけるスイッチング素子Ｑ５５ａとスイッチング素子Ｑ５６ａとの接続点に接続される。
【０１３７】
走査電極駆動回路４３ｄにおいて、電力回収部１５１ｂは、スイッチング素子Ｑ５１ｂおよびＱ５２ｂ、逆流防止用のダイオードＤ５１ｂおよびＤ５２ｂ、ならびに共振用のインダクタＬ５１ｂを有する。電圧クランプ部５５ｂは、スイッチング素子Ｑ５５ｂおよびＱ５６ｂを有する。スイッチング素子Ｑ５１ｂの一端およびスイッチング素子Ｑ５２ｂの一端は、接続点ＰＣ２を介してバック経路ＲＢ２に共通に接続される。スイッチング素子Ｑ５１ｂの他端はダイオードＤ５１ｂのアノードに接続され、スイッチング素子Ｑ５２ｂの他端はダイオードＤ５２ｂのカソードに接続される。ダイオードＤ５１ｂのカソードおよびダイオードＤ５２ｂのアノードは、共通にインダクタＬ５１ｂの一端に接続される。インダクタＬ５１ｂの他端は、電圧クランプ部５５ｂにおけるスイッチング素子Ｑ５５ｂとスイッチング素子Ｑ５６ｂとの接続点に接続される。
【０１３８】
電力回収部１５１ａは、タイミング信号Ｓ４５にもとづいてスイッチング素子Ｑ５１ａ、Ｑ５２ａが制御されることによって、ＬＣ共振させる。すなわち、電力回収部１５１ａは、表示電極対グループＤＧ１を構成する走査電極グループＳＧ１と維持電極グループＵＧ１との間の１０８０個の電極間容量と、インダクタＬ５１ａとをＬＣ共振させて、維持パルスの立ち上がりおよび立ち下がりを行う。電力回収部１５１ａは、走査電極グループＳＧ１における維持パルスの立ち上がり時には、維持電極グループＵＧ１における電荷（または電力）を、所定の走査電極供給経路を介して走査電極グループＳＧ１に供給する。所定の走査電極供給経路は、電極経路ＲＧ１、接続点ＰＵ１、バック経路ＲＢ１、接続点ＰＣ１、スイッチング素子Ｑ５１ａ、ダイオードＤ５１ａ、インダクタＬ５１ａ、初期化波形発生回路６０ａ、および走査パルス発生回路７０ａを介する経路である。一方、電力回収部１５１ａは、走査電極グループＳＧ１における維持パルスの立ち下がり時には、走査電極グループＳＧ１における電荷（または電力）を、所定の走査電極回収経路を介して維持電極グループＵＧ１に回収する。所定の走査電極回収経路は、走査パルス発生回路７０ａ、初期化波形発生回路６０ａ、インダクタＬ５１ａ、ダイオードＤ５２ａ、スイッチング素子Ｑ５２ａ、接続点ＰＣ１、バック経路ＲＢ１、接続点ＰＵ１、および電極経路ＲＧ１を介する経路である。
【０１３９】
このように、電力回収部１５１ａは、維持電極グループＵＧ１から電荷（または電力）を回収するとともに、回収した電荷（または電力）をそのまま走査電極グループＳＧ１に供給する。これにより、電力回収部１５１ａは、維持電極グループＵＧ１における維持パルスの立ち下がり、および走査電極グループＳＧ１における維持パルスの立ち上がりを、時間的に並行して行う。さらに電力回収部１５１ａは、走査電極グループＳＧ１から電荷（または電力）を回収するとともに、回収した電荷（または電力）をそのまま維持電極グループＵＧ１に供給する。これにより、電力回収部１５１ａは、走査電極グループＳＧ１における維持パルスの立ち下がり、および維持電極グループＵＧ１における維持パルスの立ち上がりを、時間的に並行して行う。
【０１４０】
電力回収部１５１ｂは、電力回収部１５１ａと同様に動作する。すなわち電力回収部１５１ａは、維持電極グループＵＧ２から電荷（または電力）を回収するとともに、回収した電荷（または電力）をそのまま走査電極グループＳＧ２に供給する。これにより、電力回収部１５１ｂは、維持電極グループＵＧ２における維持パルスの立ち下がり、および走査電極グループＳＧ２における維持パルスの立ち上がりを、時間的に並行して行う。さらに電力回収部１５１ｂは、走査電極グループＳＧ２から電荷（または電力）を回収するとともに、回収した電荷（または電力）をそのまま維持電極グループＵＧ２に供給する。これにより、電力回収部１５１ｂは、走査電極グループＳＧ２における維持パルスの立ち下がり、および維持電極グループＵＧ２における維持パルスの立ち上がりを、時間的に並行して行う。
【０１４１】
図１５は、プラズマディスプレイパネルの駆動回路４６ａの動作を示す波形図である。図１５の上半部は、表示電極対グループＤＧ１に属する走査電極グループＳＧ１および維持電極グループＵＧ１の駆動電圧波形、ならびに表示電極対グループＤＧ２に属する走査電極グループＳＧ２および維持電極グループＵＧ２の駆動電圧波形を示している。図１５の下半部は、各スイッチング素子Ｑ５１ａ、Ｑ５２ａ、Ｑ５５ａ、Ｑ５６ａ、Ｑ５１ｂ、Ｑ５２ｂ、Ｑ５５ｂ、Ｑ５６ｂ、Ｑ８５ａ、Ｑ８６ａ、Ｑ８５ｂ、およびＱ８６ｂが、タイミング信号Ｓ４５にもとづいてオン／オフされる状態を示している。
【０１４２】
走査電極グループＳＧ１における書き込み期間Ｔｗ１の終了直前では、走査電極グループＳＧ１の電圧を電圧０（Ｖ）にし、維持電極グループＵＧ１の電圧を電圧Ｖｅ２にする。走査電極グループＳＧ１における書き込み期間Ｔｗ１後の維持期間Ｔｓ１では、最初に、スイッチング素子Ｑ５２ａ、Ｑ５５ａ、Ｑ５６ａをオフにするとともに、スイッチング素子Ｑ５１ａをオンにする。このとき、表示電極対グループＤＧ１を構成する走査電極グループＳＧ１と維持電極グループＵＧ１との間の１０８０個の電極間容量とインダクタＬ５１ａとがＬＣ共振する。その結果、走査電極グループＳＧ１の電圧は、電圧０（Ｖ）から電圧Ｖｓ付近まで上昇し、同時に維持電極グループＵＧ１の電圧は、電圧Ｖｅ２から電圧０（Ｖ）付近まで下降する。
【０１４３】
次に、スイッチング素子Ｑ５５ａおよびスイッチング素子Ｑ８６ａをオンにすると、走査電極グループＳＧ１の電圧は電圧Ｖｓに、維持電極グループＵＧ１の電圧は電圧０（Ｖ）にクランプされる。走査電極グループＳＧ１および維持電極グループＵＧ１がクランプされている期間、放電セルＣｉｊが発光する。続いて、スイッチング素子Ｑ５１ａ、Ｑ５５ａ、Ｑ８６ａをオフにするとともに、スイッチング素子Ｑ５２ａをオンにする。このとき、再び１０８０個の電極間容量とインダクタＬ５１ａとがＬＣ共振する。その結果、走査電極グループＳＧ１の電圧は、電圧Ｖｓから電圧０（Ｖ）付近まで下降し、同時に維持電極グループＵＧ１の電圧は、電圧０（Ｖ）から電圧Ｖｓ付近まで上昇する。
【０１４４】
次に、スイッチング素子Ｑ５６ａおよびスイッチング素子Ｑ８５ａをオンにすると、走査電極グループＳＧ１の電圧は電圧０（Ｖ）に、維持電極グループＵＧ１の電圧は電圧Ｖｓにクランプされる。走査電極グループＳＧ１および維持電極グループＵＧ１がクランプされている期間、放電セルＣｉｊが発光する。続いて、スイッチング素子Ｑ５２ａ、Ｑ５６ａ、Ｑ８５ａをオフにするとともに、スイッチング素子Ｑ５１ａをオンにする。このとき、再び１０８０個の電極間容量とインダクタＬ５１ａとがＬＣ共振する。その結果、走査電極グループＳＧ１の電圧は、電圧０（Ｖ）から電圧Ｖｓ付近まで上昇し、同時に維持電極グループＵＧ１の電圧は、電圧Ｖｓから電圧０（Ｖ）付近まで下降する。以降、維持期間Ｔｓ１においてこのような動作を繰り返し行うことにより、維持パルス発生回路１５０ａおよび２８０ａは、表示電極対グループＤＧ１に維持パルスを印加し、放電セルＣｉｊ（ｉ＝１〜１０８０）における放電を継続させる。
【０１４５】
走査電極グループＳＧ１における維持期間Ｔｓ１の間、走査電極グループＳＧ２は、書き込み期間Ｔｗ１の状態にあり、書き込み期間Ｔｗ１の終了後、維持期間Ｔｓ１の状態となる。走査電極グループＳＧ２における維持期間Ｔｓ１において、スイッチング素子Ｑ５１ｂ、Ｑ５２ｂ、Ｑ５５ｂ、Ｑ５６ｂ、Ｑ８５ｂ、Ｑ８６ｂは、タイミング信号Ｓ４５にもとづいて制御される。これらのスイッチング素子の動作は、走査電極グループＳＧ１における維持期間Ｔｓ１において、スイッチング素子Ｑ５１ａ、Ｑ５２ａ、Ｑ５５ａ、Ｑ５６ａ、Ｑ８５ａ、Ｑ８６ａがタイミング信号Ｓ４５にもとづいて制御される動作とそれぞれ同様である。これにより、維持パルス発生回路１５０ｂおよび２８０ｂは、表示電極対グループＤＧ２に維持パルスを印加し、放電セルＣｉｊ（ｉ＝１０８１〜２１６０）における放電を継続させる。
【０１４６】
なお、図１４において電力回収部は、各走査電極駆動回路４３ｃ、４３ｄに含まれ、維持電極駆動回路３４４に含まれていなかったが、反対に、各走査電極駆動回路４３ｃ、４３ｄに含まれず、維持電極駆動回路３４４に含まれてもよい。すなわち、各電力回収部１５１ａ、１５１ｂは削除され、スイッチング素子Ｑ５５ａとスイッチング素子Ｑ５６ａとの接続点にバック経路ＲＢ１が接続され、およびスイッチング素子Ｑ５５ｂとスイッチング素子Ｑ５６ｂとの接続点にバック経路ＲＢ２が接続される。さらに、維持パルス発生回路２８０ａは、維持パルス発生回路８０ａにおいてコンデンサＣ８１ａを削除することにより構成される回路で置き換えられ、削除されたコンデンサＣ８１ａが接続されていた接続点に、バック経路ＲＢ１が接続される。同様に、維持パルス発生回路２８０ｂは、維持パルス発生回路８０ｂにおいてコンデンサＣ８１ｂを削除することにより構成される回路で置き換えられ、削除されたコンデンサＣ８１ｂが接続されていた接続点に、バック経路ＲＢ２が接続される。
【０１４７】
なお、維持電極駆動回路３４４における電圧選択回路１００は、実施の形態３の図１２に示す電圧選択回路２００で置き換えられてもよい。
【０１４８】
なお、表示電極対グループ数Ｎは、表示電極対グループＤＧ１、ＤＧ２のようにＮ＝２としたが、実施の形態２（図９、図１０、および図１１）において上述したようにＮ＝４としてもよく、さらに別の任意のグループ数であってもよい。この場合、上述の説明と同様にして、同一の表示電極対グループを駆動する走査電極駆動回路および維持電極駆動回路において、いずれか一方の電力回収部が削除され、他方の電力回収部における電力回収用のコンデンサが削除される。さらに削除された電力回収部が接続されていた接続点と削除された電力回収用のコンデンサが接続されていた接続点とが、バック経路により接続される。
【０１４９】
このように、実施の形態４におけるプラズマディスプレイパネルの駆動回路４６ａによれば、各走査電極駆動回路４３ｃ、４３ｄと維持電極駆動回路３４４とが、電力回収部を共有することができる。これにより、電力回収部に対応する部品点数が削減され、コストを低減することが可能となる。
【０１５０】
（実施の形態のまとめ）
なお、実施の形態１〜４においては、図３に示したように、すべてのサブフィールドにおいて、表示電極対グループＤＧ１と表示電極対グループＤＧ２とのサブフィールドの位相をずらしたサブフィールド構成を例に説明した。しかしながら本発明は、上述したサブフィールド構成に限定されるものではなく、例えば、すべての放電セルに対する維持期間の位相を揃えた書き込み・維持分離方式のサブフィールドをいくつか含むサブフィールド構成であっても適用することができる。
【０１５１】
なお、実施の形態１〜４においては、図４、図８、および図１３に示したように、初期化期間の前半には維持電極に所定電圧０（Ｖ）を、初期化期間の後半には所定電圧Ｖｅ２より低い所定電圧Ｖｅ１を印加するとして説明した。しかしこれらパネルの各電極に印加する駆動電圧波形は一例を示したものであり、本発明はこれに限定されるものではない。例えば所定電圧Ｖｅ１は所定電圧Ｖｅ２より高い電圧であってもよく、また初期化期間において所定電圧０（Ｖ）および所定電圧Ｖｅ１以外にも、所定電圧Ｖｅ２および所定電圧Ｖｓ等を維持電極に印加してもよい。
【０１５２】
なお、実施の形態１〜４において用いた具体的な各数値は、単に一例を挙げたに過ぎず、パネルの特性やプラズマディスプレイ装置の仕様等にあわせて、適宜最適な値に設定することが望ましい。
【０１５３】
本発明は、高精細度パネルであっても十分なサブフィールド数を確保することができる簡素な駆動回路を提供することができるので、プラズマディスプレイ装置として有用である。
【０１５４】
以上のように、実施の形態におけるプラズマディスプレイパネルの駆動回路によれば、１つの選択電圧Ｖ３を生成する１つの電圧選択回路（１００；２００）を備え、複数の維持パルス発生回路（８０ａ、８０ｂ；１８０ａ、１８０ｂ、１８０ｃ、１８０ｄ；２８０ａ、２８０ｂ）がこの１つの選択電圧Ｖ３にもとづいて維持パルスまたは所定電圧Ｖｅ１を、複数の維持電極グループ（ＵＧ１、ＵＧ２；ＵＧ１１、ＵＧ１２、ＵＧ２１、ＵＧ２２）へそれぞれ異なる維持期間において印加することができる。これにより、高精細度パネルにおいて十分なサブフィールド数および維持パルス数を確保することができるので、プラズマディスプレイパネルを高精細度化かつ高輝度化させることが可能となる。それとともに、部品点数を少なくし、回路構成を簡素化することができるので、駆動回路を低コスト化することが可能となる。
【０１５５】
以上において、記述された数字は、本発明を具体的に説明するために例示したものであり、本発明は例示された数字に限定されない。また、ハードウェアによって構成された構成要素は、ソフトウェアによっても構成可能であり、ソフトウェアによって構成された構成要素は、ハードウェアによっても構成可能である。さらに、上述した実施形態におけるすべての構成要素のうち、いくつかを上述した実施形態とは異なる組み合わせで再構成することにより、異なる組み合わせの効果を奏することが可能である。
【０１５６】
以上、実施の形態におけるこれまでの説明は、すべて本発明を具体化した一例であって、本発明はこれらの例に限定されず、本発明の技術を用いて当業者が容易に構成可能な種々の例に展開可能である。
【産業上の利用可能性】
【０１５７】
本発明は、プラズマディスプレイパネルの駆動回路およびプラズマディスプレイ装置に利用できる。
【符号の説明】
【０１５８】
１０    プラズマディスプレイパネル
２２    走査電極
２３    維持電極
２４    表示電極対
３２    データ電極
４０    プラズマディスプレイ装置
４１    画像信号処理回路
４２    データ電極駆動回路
４３ａ、４３ｂ、４３ｃ、４３ｄ    走査電極駆動回路
４４、１４４、２４４、３４４    維持電極駆動回路
４５    タイミング発生回路
４６、４６ａ    プラズマディスプレイパネルの駆動回路
５０ａ、８０ａ、８０ｂ、１５０ａ、１５０ｂ、１８０ａ、１８０ｂ、１８０ｃ、１８０ｄ、２８０ａ、２８０ｂ    維持パルス発生回路
６０ａ、６０ｂ    初期化波形発生回路
７０ａ、７０ｂ    走査パルス発生回路
５１ａ、８１ａ、８１ｂ、１５１ａ、１５１ｂ    電力回収部
５５ａ、５５ｂ、５６ａ、５６ｂ、８５ａ、８５ｂ、８６ａ、８６ｂ    電圧クランプ部
９０ａ、９０ｂ、１９０ａ、１９０ｂ、１９０ｃ、１９０ｄ    所定電圧印加回路
１００、２００    電圧選択回路
ＤＧ１、ＤＧ２、ＤＧ１１、ＤＧ１２、ＤＧ２１、ＤＧ２２    表示電極対グループ
ＥＳ、Ｅ１、Ｅ２    所定電圧源
ＲＳ、Ｒ１、Ｒ２    電源経路
ＲＢ１、ＲＢ２    バック経路
ＳＧ１、ＳＧ２、ＳＧ１１、ＳＧ１２、ＳＧ２１、ＳＧ２２    走査電極グループ
ＵＧ１、ＵＧ２、ＵＧ１１、ＵＧ１２、ＵＧ２１、ＵＧ２２    維持電極グループ
【手続補正２】
【補正対象書類名】特許請求の範囲
【補正対象項目名】全文
【補正方法】変更
【補正の内容】
【特許請求の範囲】
【請求項１】
プラズマディスプレイパネルを構成する複数の維持電極を、少なくとも第１維持電極グループおよび第２維持電極グループに分割し、維持期間において維持パルスを印加する、プラズマディスプレイパネルの駆動回路であって、
前記維持パルスを発生し、前記第１維持電極グループヘの第１電極経路に、第１所定タイミングで印加する第１維持パルス発生回路と、
前記維持パルスを発生し、前記第２維持電極グループヘの第２電極経路に、第２所定タイミングで印加する第２維持パルス発生回路と、
第１所定電圧を前記第１電極経路に、第３所定タイミングで印加する第１所定電圧印加回路と、
前記第１所定電圧を前記第２電極経路に、第４所定タイミングで印加する第２所定電圧印加回路と、
少なくとも第２所定電圧および第３所定電圧のうちのいずれか一方を選択し、選択電圧を生成する電圧選択回路とを有し、
前記第１維持パルス発生回路は、前記選択電圧が前記第２所定電圧の場合、前記第２所定電圧にもとづいて前記維持パルスを発生し、前記選択電圧が前記第３所定電圧の場合、前記第３所定電圧を前記第１電極経路に第５所定タイミングで印加し、
前記第２維持パルス発生回路は、前記選択電圧が前記第２所定電圧の場合、前記第２所定電圧にもとづいて前記維持パルスを発生し、前記選択電圧が前記第３所定電圧の場合、前記第３所定電圧を前記第２電極経路に第６所定タイミングで印加する、
プラズマディスプレイパネルの駆動回路。
【請求項２】
前記第１維持パルス発生回路および前記第２維持パルス発生回路のそれぞれは、
高電圧側経路および低電圧側経路を含み、
前記高電圧側経路からの所定の高電圧と前記低電圧側経路からの所定の低電圧の繰り返しにより、前記維持パルスを発生し、
前記高電圧側経路は、前記選択電圧を受ける、請求項１に記載のプラズマディスプレイパネルの駆動回路。
【請求項３】
前記第１維持パルス発生回路および前記第２維持パルス発生回路のそれぞれは、
高電圧側経路および低電圧側経路を含み、
前記高電圧側経路からの所定の高電圧と前記低電圧側経路からの所定の低電圧の繰り返しにより、前記維持パルスを発生し、
前記低電圧側経路は、前記選択電圧を受ける、請求項１に記載のプラズマディスプレイパネルの駆動回路。
【請求項４】
請求項１に記載のプラズマディスプレイパネルの駆動回路と、
前記プラズマディスプレイパネルとを含む、プラズマディスプレイ装置。
【手続補正３】
【補正対象書類名】図面
【補正対象項目名】全図
【補正方法】変更
【補正の内容】
【図１】
2009157181.tif 000018
【図２】
2009157181.tif 000019
【図３】
2009157181.tif 000020
【図４】
2009157181.tif 000021
【図５】
2009157181.tif 000022
【図６】
2009157181.tif 000023
【図７】
2009157181.tif 000024
【図８】
2009157181.tif 000025
【図９】
2009157181.tif 000026
【図１０】
2009157181.tif 000027
【図１１】
2009157181.tif 000028
【図１２】
2009157181.tif 000029
【図１３】
2009157181.tif 000030
【図１４】
2009157181.tif 000031
【図１５】
2009157181.tif 000032
【国際調査報告】
2009157181.tif 000033
2009157181.tif 000034
2009157181.tif 000035
2009157181.tif 000036